(57)【要約】本発明は、端末とネットワークとの間の接続処理のための方法および装置を提供し、本方法は、基地局が、端末によって伝送される、端末アイデンティティ情報を搬送する第１の要求メッセージを受信することであって、端末アイデンティティ情報は、端末のアイデンティティを示すために使用され、第１の要求メッセージは、端末とネットワークとの間の接続を再開するように基地局に要求するために使用される、ことと、基地局が、端末アイデンティティ情報に合致するコンテキスト情報を検索することと、基地局がコンテキスト情報を見出すとき、端末との接続を再開するためにコンテキスト情報を使用することとを含む。本実施形態によって提供される技術的ソリューションを採用することは、関連技術における端末とネットワークとの間の複雑な接続処理の問題を解決し、端末とネットワークとの間の高速接続再開を達成する。
2019508959.tif 000002
【特許請求の範囲】
【請求項１】
端末とネットワークとの間の接続処理のための方法であって、
基地局によって、前記端末によって伝送される、端末アイデンティティ情報を搬送する第１の要求メッセージを受信することであって、前記端末アイデンティティ情報は、前記端末のアイデンティティを示すために使用され、前記第１の要求メッセージは、前記端末とネットワークとの間の接続を再開するように前記基地局に要求するために使用される、ことと、
基地局によって、前記端末アイデンティティ情報に合致するコンテキスト情報を検索することと、
前記基地局が前記コンテキスト情報を見出すとき、前記端末との接続を再開するために前記コンテキスト情報を使用することと
を含む、方法。
【請求項２】
前記端末アイデンティティ情報は、以下：初期端末アイデンティティ情報および再開アイデンティティ情報のうちの少なくとも１つを備え、初期端末アイデンティティ情報は、初期端末アイデンティティまたは初期端末アイデンティティを生成するために使用される情報を備え、前記再開アイデンティティ情報は、再開アイデンティティまたは再開アイデンティティを生成するために使用される情報を備える、請求項１に記載の方法。
【請求項３】
前記基地局が前記端末アイデンティティ情報に合致するコンテキスト情報を検索した後、前記方法はさらに、
前記基地局が前記コンテキスト情報を見出さないとき、前記コンテキスト情報は、近隣基地局から入手されることと、
前記基地局は、前記端末との前記接続を再開するために、前記近隣基地局から取得される前記コンテキスト情報を利用することと
を含む、請求項１に記載の方法。
【請求項４】
前記基地局が前記端末アイデンティティ情報に合致するコンテキスト情報を検索した後、前記方法はさらに、前記基地局が前記コンテキスト情報を見出さないとき、前記端末との接続を確立するために前記端末アイデンティティ情報を使用することを含む、請求項１に記載の方法。
【請求項５】
前記第１の要求メッセージは、以下：再開要求メッセージ、接続再開インジケーションを搬送するメッセージのうちの１つを備える、請求項１に記載の方法。
【請求項６】
接続再開インジケーションを搬送する前記メッセージは、以下：無線リソース制御（ＲＲＣ）接続要求メッセージ、およびＲＲＣ接続再確立要求メッセージのうちの少なくとも１つを備える、請求項５に記載の方法。
【請求項７】
前記端末のアイデンティティ情報に合致する第１のコンテキスト情報を検索することは、前記基地局が前記第１の要求メッセージによってトリガされるとき、前記基地局は、前記再開アイデンティティ情報に合致する前記コンテキスト情報を優先的に検索することを含む、請求項２に記載の方法。
【請求項８】
前記基地局が前記第１の要求メッセージによってトリガされるとき、前記基地局が前記再開アイデンティティ情報に合致する前記コンテキスト情報を優先的に検索した後、前記方法はさらに、前記基地局が前記コンテキスト情報を見出さないとき、前記初期端末アイデンティティ情報に基づいて前記端末とのＲＲＣ接続を確立することを含む、請求項７に記載の方法。
【請求項９】
前記基地局が前記コンテキスト情報を検索した後、前記方法はさらに、前記基地局が前記コンテキスト情報を見出さないとき、拒否メッセージを前記端末に伝送することを含み、前記拒否メッセージは、拒否原因値またはインジケーション情報を搬送し、前記インジケーション情報は、前記端末が前記ネットワークとの接続を再確立するかどうかを判定するために使用される、請求項１に記載の方法。
【請求項１０】
前記拒否メッセージは、以下：ＲＲＣ接続拒否メッセージ、ＲＲＣ再確立拒否メッセージ、ＲＲＣ接続再開拒否メッセージのうちの少なくとも１つを備える、請求項９に記載の方法。
【請求項１１】
前記初期端末アイデンティティは、４１ビットを超えない長さを伴うアイデンティティ情報を備え、
前記初期端末アイデンティティを生成するために使用される前記情報は、以下：ＳＡＥ−一時モバイルサブスクライバアイデンティティ（Ｓ−ＴＭＳＩ）、モバイル管理エンティティ（ＭＭＥ）アイデンティティＭＭＥＣ、ＭＭＥユーザ一意アイデンティティコードｍ−ＴＭＳＩ、セルアイデンティティ、一意の端末アイデンティティ番号Ｃ−ＲＮＴＩ、ＳｈｏｒｔＭａｃ−Ｉ情報、３２ビットを超えない長さを伴う乱数のうちの少なくとも１つを備え、
前記再開アイデンティティは、４１ビットを超えない長さを伴うアイデンティティ情報を備え、
前記再開アイデンティティに使用される前記情報は、以下：ＳＡＥ−一時モバイルサブスクライバアイデンティティ（Ｓ−ＴＭＳＩ）、モバイル管理エンティティ（ＭＭＥ）アイデンティティＭＭＥＣ、ＭＭＥユーザ一意アイデンティティコードｍ−ＴＭＳＩ、セルアイデンティティ、一意の端末アイデンティティ番号Ｃ−ＲＮＴＩ、ＳｈｏｒｔＭａｃ−Ｉ情報、３２ビットを超えない長さを伴う乱数のうちの少なくとも１つを備える、請求項２に記載の方法。
【請求項１２】
端末とネットワークとの間の接続処理のための方法であって、
端末が、端末アイデンティティ情報を搬送する第１の要求メッセージを基地局に伝送することを含み、
前記端末アイデンティティ情報は、前記端末のアイデンティティを示すために使用され、前記第１の要求メッセージは、前記端末とネットワークとの間の接続を再開するように前記基地局に要求するために使用される、方法。
【請求項１３】
端末とネットワークとの間の接続処理のための方法であって、
基地局が、前記端末によって伝送される、データ伝送モード情報を搬送する第２の要求メッセージを受信することであって、前記データ伝送モード情報は、前記端末のデータ伝送モードを示すために使用される、ことと、
前記基地局が、前記データ伝送モード情報に基づいて、前記端末とネットワークとの間の接続のためのリソースを構成することと
を含む、方法。
【請求項１４】
前記データ伝送モード情報は、以下：ユーザプレーン最適化モード情報、制御プレーン最適化モード情報のうちの少なくとも１つを備える、請求項１３に記載の方法。
【請求項１５】
前記基地局が、前記データ伝送モード情報に基づいて、前記端末とネットワークとの間の接続のためのリソースを構成することは、
前記基地局が、前記データ伝送モード情報に基づいて無線リソースを構成すること、および／または
前記基地局が、前記データ伝送モード情報に基づいてネットワーク要素を構成すること、および／または
前記基地局が、前記データ伝送モード情報に基づいてネットワークインターフェースリソースを構成すること
を含む、請求項１３に記載の方法。
【請求項１６】
前記基地局が、前記データ伝送モード情報に基づいて無線リソースを構成することは、前記基地局が、前記端末とネットワークとの間の前記接続の前記無線リソースのためにシグナリング無線ベアラの特徴を構成すること、および／または前記基地局が、前記端末とネットワークとの間の前記接続の前記無線リソースのためにデータ無線ベアラの特徴を構成することを含む、請求項１５に記載の方法。
【請求項１７】
前記シグナリング無線ベアラの特徴は、以下：パケットデータ収束プロトコル（ＰＤＣＰ）プロトコル層を含むかどうか、透過モードＰＤＣＰプロトコル層を使用するかどうか、ＰＤＣＰプロトコルヘッダを含むかどうか、ＰＤＣＰシーケンス番号を含むかどうか、安全性情報を含むかどうかのうちの少なくとも１つを備え、
前記データ無線ベアラの特徴は、以下：ＰＤＣＰプロトコル層を含むかどうか、透過モードＰＤＣＰプロトコル層を使用するかどうか、ＰＤＣＰプロトコルヘッダを含むかどうか、ＰＤＣＰシーケンス番号を含むかどうか、安全性情報を含むかどうかのうちの少なくとも１つを備える、請求項１６に記載の方法。
【請求項１８】
前記ユーザプレーン最適化モード情報は、以下の接続確立原因：ユーザプレーン最適化モード開始コールデータ、ユーザプレーン最適化モード開始コールシグナリング、ユーザプレーン最適化モード開始コール異常報告、ユーザプレーン最適化受信コールデータ、ユーザプレーン最適化モード受信コールシグナリング、ユーザプレーン最適化モード受信コール異常報告のうちの少なくとも１つによって示され、
前記制御プレーン最適化モードの前記データ伝送モード情報は、以下の接続確立原因：制御プレーン最適化モード開始コールデータ、制御プレーン最適化モード開始コールシグナリング、制御プレーン最適化モード開始コール異常報告、制御プレーン最適化モード受信コールデータ、制御プレーン最適化モード受信コールシグナリング、制御プレーン最適化モード受信コール異常報告のうちの少なくとも１つによって示される、請求項１４に記載の方法。
【請求項１９】
前記基地局が、前記端末とネットワークとの間の前記接続の前記無線リソースのために前記シグナリング無線ベアラの特徴を構成することは、前記データ伝送モード情報が前記制御プレーン最適化モード開始コールデータまたは制御プレーン最適化モード受信コールデータであるとき、前記端末とネットワークとの間の前記接続の前記無線リソースのために前記基地局によって構成される前記信号無線ベアラが、前記ＰＤＣＰプロトコルヘッダを備えないことを含み、
前記基地局が、前記端末とネットワークとの間の前記接続の前記無線リソースのために前記シグナリング無線ベアラの特徴を構成することは、前記データ伝送モード情報が前記制御最適化モード開始コールデータおよび前記制御最適化モード受信コールデータ以外の情報であるとき、前記端末とネットワークとの間の前記接続の前記無線リソースのために前記基地局によって構成される前記シグナリング無線ベアラが、前記ＰＤＣＰプロトコルヘッダを備えることを含む、請求項１８に記載の方法。
【請求項２０】
前記基地局が前記データ伝送モード情報に基づいて前記端末とネットワークとの間の前記接続のためにリソースを構成した後、前記方法はさらに、前記基地局が、通知メッセージを通して、前記端末とネットワークとの間の前記接続の前記構成されたリソースについて前記端末に通知することを含む、請求項１３に記載の方法。
【請求項２１】
端末とネットワークとの間の接続処理のための方法であって、
端末が、データ伝送モード情報を搬送する第２の要求メッセージを基地局に伝送することを含み、
前記データ伝送モード情報は、前記端末のデータ伝送モードを示すために使用される、方法。
【請求項２２】
端末とネットワークとの間の接続処理のための方法であって、
端末が、基地局によって伝送される、前記基地局が前記端末との接続を確立または再開することを示すために使用される第１の応答メッセージを受信することと、
前記第１の応答メッセージの中で搬送される無線リソース構成インジケーションに基づいて、前記端末が、無線リソース構成を実行するモードを判定することと
を含む、方法。
【請求項２３】
前記端末が、前記第１の応答メッセージの中で搬送される前記無線リソース構成インジケーションに基づいて、無線リソース構成を実行するモードを判定することは、
前記第１の応答メッセージが、前記無線リソース構成インジケーションを備えず、空の無線リソース構成を備えるとき、前記端末が、ローカルに記憶された無線リソース構成を使用すること、または
前記第１の応答メッセージが、前記無線リソース構成インジケーションを備えず、空の無線リソース構成を備えないとき、前記端末が、前記ローカルに記憶された無線リソース構成および／または前記第１の応答メッセージの中に含有される前記無線リソース構成に基づいて生成される、無線リソース構成を使用すること
を含む、請求項２２に記載の方法。
【請求項２４】
端末とネットワークとの間の接続処理のための方法であって、
端末が、前記端末アイデンティティ情報を搬送し、ＲＲＣ接続プロセス完了を示すために使用される、メッセージを基地局に伝送することを含み、
前記端末アイデンティティ情報は、前記端末のアイデンティティを示すために使用される、方法。
【請求項２５】
前記端末アイデンティティ情報は、前記端末アイデンティティまたは前記端末アイデンティティを生成するために使用される情報を備える、請求項２４に記載の方法。
【請求項２６】
前記端末アイデンティティは、４１ビットを超えない長さを伴うアイデンティティ情報を備え、
前記端末アイデンティティを生成するために使用される前記情報は、以下：ＳＡＥ−一時モバイルサブスクライバアイデンティティ（Ｓ−ＴＭＳＩ）、モバイル管理エンティティ（ＭＭＥ）コードＭＭＥＣ、ＭＭＥユーザ一意アイデンティティ番号ｍ−ＴＭＳＩ、セルアイデンティティ、物理的セルアイデンティティ、一意の端末アイデンティティ番号Ｃ−ＲＮＴＩ、ＳｈｏｒｔＭＡＣ−Ｉ情報、３２ビットを超えない長さを伴う乱数のうちの少なくとも１つを備える、請求項２５に記載の方法。
【請求項２７】
前記端末が、ＲＲＣ接続プロセス完了を示すために使用される、前記端末アイデンティティ情報を搬送する前記メッセージを伝送する前に、前記方法はさらに、
前記端末が、前記基地局によって伝送される、前記基地局が前記端末との接続を確立または再開することを示すために使用される第２の応答メッセージを受信することと、
前記第２の応答メッセージのインジケーションに従って、前記端末が、ＲＲＣ接続プロセス完了を示すために使用される前記メッセージを前記基地局に伝送するかどうかを判定することと
を含む、請求項２５に記載の方法。
【請求項２８】
前記端末が、前記第２の応答メッセージの前記インジケーションに基づいて、ＲＲＣ接続プロセス完了を示すために使用される前記メッセージを前記基地局に伝送するかどうかを判定することは、前記第２の応答メッセージが、ＲＲＣ接続プロセス完了を示すために使用されるメッセージを伝送するかどうかを示すために使用される、命令を明示的に備えるとき、前記端末が、前記命令に基づいて、ＲＲＣ接続プロセス完了を示すために使用される前記メッセージを前記基地局に伝送するかどうかを判定することを含む、請求項２７に記載の方法。
【請求項２９】
前記端末が、前記応答メッセージの命令に基づいて、ＲＲＣ接続プロセス完了を示すために使用される前記メッセージを前記基地局に伝送するかどうかを判定することは、
前記第２の応答メッセージが、ＲＲＣ接続プロセス完了を示すために使用されるメッセージを伝送するかどうかを示すために使用される、命令を明示的に備えず、空の無線リソース構成を備えるとき、前記端末は、ＲＲＣ接続プロセス完了を示すために使用される前記メッセージを前記基地局に伝送しないこと、または
前記第２の応答メッセージが、ＲＲＣ接続プロセス完了を示すために使用されるメッセージを伝送するかどうかを示すために使用される、命令を明示的に備えず、空ではない無線リソース構成を備えるとき、前記端末は、ＲＲＣ接続プロセス完了を示すために使用される前記メッセージを前記基地局に伝送すること
を含む、請求項２７に記載の方法。
【請求項３０】
前記第２の応答メッセージが、ＲＲＣ接続プロセス完了を示すために使用されるメッセージを伝送するかどうかを示すために使用される、命令を明示的に備えず、空ではない無線リソース構成を備えるとき、ＲＲＣ接続プロセス完了を示すために使用される前記メッセージは、前記応答メッセージを備える、前記無線リソース構成に向けた前記端末の処理結果を搬送する、請求項２９に記載の方法。
【請求項３１】
端末とネットワークとの間の接続処理のための方法であって、
基地局が、前記端末によって伝送される、端末アイデンティティ情報を搬送する第３の要求メッセージを受信することであって、前記端末アイデンティティ情報は、前記端末のアイデンティティを示すために使用され、前記第３の要求メッセージは、前記端末とネットワークとの間の接続を確立または再開するように前記基地局に要求するために使用される、ことと、
前記第３の要求メッセージ命令に基づいて、前記基地局が、前記端末との接続を確立または再開するように前記ネットワーク側に通知することと
を含む、方法。
【請求項３２】
前記端末アイデンティティ情報は、以下：初期端末アイデンティティ情報、再開アイデンティティ情報のうちの少なくとも１つを備え、前記初期確立アイデンティティ情報は、初期端末アイデンティティまたは初期端末アイデンティティを生成するために使用される情報を備え、前記再開アイデンティティ情報は、再開アイデンティティまたは再開アイデンティティを生成するために使用される情報を備える、請求項３１に記載の方法。
【請求項３３】
前記初期端末アイデンティティは、４１ビットを超えない長さを伴うアイデンティティ情報を備え、
前記初期端末アイデンティティを生成するために使用される情報は、以下：ＳＡＥ−一時モバイルサブスクライバアイデンティティ（Ｓ−ＴＭＳＩ）、モバイル管理エンティティ（ＭＭＥ）アイデンティティＭＭＥＣ、ＭＭＥユーザ一意アイデンティティコードｍ−ＴＭＳＩ、セルアイデンティティ、一意の端末アイデンティティ番号Ｃ−ＲＮＴＩ、ＳｈｏｒｔＭａｃ−Ｉ情報、３２ビットを超えない長さを伴う乱数のうちの少なくとも１つを備え、
前記再開アイデンティティは、４１ビットを超えない長さを伴うアイデンティティ情報を備え、
前記再開アイデンティティに使用される情報は、以下：ＳＡＥ−一時モバイルサブスクライバアイデンティティ（Ｓ−ＴＭＳＩ）、モバイル管理エンティティ（ＭＭＥ）アイデンティティＭＭＥＣ、ＭＭＥユーザ一意アイデンティティコードｍ−ＴＭＳＩ、セルアイデンティティ、一意の端末アイデンティティ番号Ｃ−ＲＮＴＩ、ＳｈｏｒｔＭａｃ−Ｉ情報、３２ビットを超えない長さを伴う乱数のうちの少なくとも１つを備える、請求項３２に記載の方法。
【請求項３４】
前記基地局が、前記第３の要求メッセージ命令に基づいて、前記端末との接続を確立または再開するように前記ネットワーク側に通知することは、前記基地局が、前記第３の要求メッセージに基づいて、前記端末との接続を確立または再開するように前記ネットワーク側に通知し、前記再開アイデンティティ情報に合致するコンテキスト情報を取得することを含む、請求項３１に記載の方法。
【請求項３５】
前記基地局が、前記第３の要求メッセージに基づいて、前記再開アイデンティティ情報に合致する前記コンテキスト情報を取得することは、
前記基地局が、前記再開アイデンティティ情報に合致する前記コンテキスト情報を検索すること、または
前記基地局が、近隣基地局内の前記再開アイデンティティ情報に合致する前記コンテキスト情報を検索すること
を含む、請求項３４に記載の方法。
【請求項３６】
前記第３の要求メッセージはさらに、再開命令を備え、前記再開命令は、前記基地局との接続を再開するように命令する、請求項３４に記載の方法。
【請求項３７】
前記基地局が、前記第３の要求メッセージに基づいて、前記再開アイデンティティ情報に合致する前記コンテキスト情報を取得することは、
前記再開要求メッセージまたは前記再開命令によってトリガされたとき、前記基地局が、前記再開アイデンティティ情報に合致する前記コンテキスト情報を検索すること、または
前記再開要求メッセージまたは前記再開命令によってトリガされたとき、前記基地局が、前記近隣基地局内の前記再開アイデンティティ情報に合致する前記コンテキスト情報を検索すること
を含む、請求項３６に記載の方法。
【請求項３８】
前記基地局が、前記第３の要求メッセージに基づいて、前記端末との前記接続を確立または再開するように前記ネットワーク側に通知した後、前記方法はさらに、
前記基地局が、前記ネットワーク側が前記端末との接続結果を確立または再開することを示す、前記第３の応答メッセージを受信することと、
前記基地局が、前記ネットワーク側が前記端末との接続を正常に確立または再開することを示す、前記第３の応答メッセージを受信するとき、前記基地局が、前記端末との接続を確立または再開することと
を含む、請求項３４に記載の方法。
【請求項３９】
前記基地局が、前記ネットワーク側が前記端末との接続結果を確立または再開することを示す、前記第３の応答メッセージを受信した後、前記方法はさらに、前記基地局が、前記ネットワーク側が前記端末との接続の確立または再開に失敗したことを示す、前記第３の応答メッセージを受信するが、前記基地局が、前記再開アイデンティティ情報に合致する前記コンテキスト情報を正常に取得するとき、前記基地局が、前記端末とネットワークとの間の前記接続を再確立することを含む、請求項３８に記載の方法。
【請求項４０】
前記基地局が、前記端末との接続を確立または再開するように前記ネットワーク側に通知した後、前記方法はさらに、前記基地局が、前記ネットワーク側が前記端末との接続の確立または再開に失敗したことを示す、前記第３の応答メッセージを受信し、前記基地局が前記再開アイデンティティ情報に合致する前記コンテキスト情報を取得することも失敗したとき、前記基地局が、拒否メッセージを前記端末に伝送することを含み、前記拒否メッセージは、前記要求メッセージによって要求される動作を拒否するために使用され、前記拒否メッセージは、拒否原因値を搬送する、請求項３８に記載の方法。
【請求項４１】
前記基地局が前記拒否メッセージを前記端末に伝送した後、前記方法はさらに、前記端末が、ランダムアクセスプリアンブルの伝送プロセスを無視し、前記端末アイデンティティ情報を搬送する前記要求メッセージを前記基地局にもう一度伝送することを含む、請求項４０に記載の方法。
【請求項４２】
端末とネットワークとの間の接続処理のための方法であって、
前記端末が、端末アイデンティティ情報を搬送する第３の要求メッセージを基地局に伝送することを含み、
前記端末アイデンティティ情報は、前記端末のアイデンティティを示すために使用され、前記第３の要求メッセージは、前記端末とネットワークとの間の接続を確立または再開するように前記基地局に要求するために使用される、方法。
【請求項４３】
前記端末が前記端末アイデンティティ情報を搬送する前記第３の要求メッセージを前記基地局に伝送した後、前記方法はさらに、
前記端末が、タイマのタイミング値を拡張すること、または
前記端末が、基地局インジケーションに基づいて前記タイマのタイミング値を拡張すること
を含み、
前記タイミング値は、前記基地局が前記応答メッセージを伝送することを前記端末が待つ時間値である、請求項４２に記載の方法。
【請求項４４】
端末とネットワークとの間の接続処理のための方法であって、
無線ベアラ（ＲＢ）が、ＡＳ層セキュリティの確立に先立って、簡略化ＰＤＣＰ機能を使用することを含む、方法。
【請求項４５】
無線ベアラは、以下：シグナリング無線ベアラ（ＳＲＢ）、データ無線ベアラ（ＤＲＢ）のうちの１つを備える、請求項４４に記載の方法。
【請求項４６】
無線ベアラが簡略化ＰＤＣＰ機能を使用することは、以下：無線ベアラが透過モードＰＤＣＰプロトコル層を使用すること、無線ベアラがＰＤＣＰプロトコルヘッダを含有しないこと、無線ベアラがＰＤＣＰシーケンス番号を含有しないことのうちの１つを含む、請求項４４に記載の方法。
【請求項４７】
前記方法はさらに、
前記ＡＳ層セキュリティが確立される前に、前記端末が、簡略化ＰＤＣＰ機能の無線ベアラを使用することができること、または
前記ＡＳ層セキュリティが確立される前に、前記基地局が、簡略化ＰＤＣＰ機能の無線ベアラを使用することができること
を含む、請求項４４に記載の方法。
【請求項４８】
以下：所定のモード、事前構成されたモード、端末および基地局ネゴシエーションモード、前記基地局が、以下のメッセージ：システムメッセージ、専用通知メッセージを前記端末に伝送するモードのうちの少なくとも１つを通して、無線ベアラが簡略化ＰＤＣＰ機能を使用することを判定する、請求項４４に記載の方法。
【請求項４９】
前記システムメッセージまたは専用通知メッセージは、前記無線ベアラが簡略化ＰＤＣＰ機能を使用するための命令を搬送する、請求項４８に記載の方法。
【請求項５０】
基地局に適用可能である、端末とネットワーク接続処理装置であって、
前記端末によって伝送される、端末アイデンティティ情報を搬送する第１の要求メッセージを受信するように構成される、第１の受信機モジュールであって、前記端末アイデンティティ情報は、前記端末のアイデンティティを示すために使用され、前記第１の要求メッセージは、前記端末とネットワークとの間の接続を再開するように前記基地局に要求するために使用される、第１の受信機モジュールと、
前記端末アイデンティティ情報に合致するコンテキスト情報を検索するように構成される、検索モジュールと、
前記コンテキスト情報が見出されるときに、前記端末との接続を再開するために前記コンテキスト情報を使用するように構成される、第１の再開モジュールと
を備える、端末とネットワーク接続処理装置。
【請求項５１】
端末に適用可能である、端末とネットワーク接続処理装置であって、
端末アイデンティティ情報を搬送する第１の要求メッセージを基地局に伝送するように構成される、第１の伝送モジュールを備え、
前記端末アイデンティティ情報は、前記端末のアイデンティティを示すために使用され、前記要求メッセージは、端末とネットワークとの間の接続を再開するように前記基地局に要求するために使用される、端末とネットワーク接続処理装置。
【請求項５２】
基地局に適用可能である、端末とネットワーク接続処理装置であって、
前記端末によって伝送される、データ伝送モード情報を搬送する第２の要求メッセージを受信するように構成される、第２の受信機モジュールであって、前記データ伝送モード情報は、前記端末のデータ伝送モードを示すために使用される、第２の受信機モジュールと、
前記データ伝送モード情報に基づいて、前記端末とネットワークとの間の接続のリソースを構成するように構成される、構成モジュールと
を備える、端末とネットワーク接続処理装置。
【請求項５３】
端末に適用可能である、端末とネットワーク接続処理装置であって、
データ伝送モード情報を搬送する第２の要求メッセージを基地局に伝送するように構成される、第２の伝送モジュールを備え、
前記データ伝送モード情報は、前記端末のデータ伝送モードを示すために使用される、端末とネットワーク接続処理装置。
【請求項５４】
端末に適用可能である、端末とネットワーク接続処理装置であって、
基地局によって伝送され、前記基地局が前記端末との接続を確立または再開することを示すために使用される、第１の応答メッセージを受信するように構成される、第３の受信機モジュールと、
前記第１の応答メッセージの中で搬送される無線リソース構成インジケーションに基づいて、無線リソース構成を実行するモードを判定するように構成される、第１の判定モジュールと
を備える、端末とネットワーク接続処理装置。
【請求項５５】
端末に適用可能である、端末とネットワーク接続処理装置であって、
端末アイデンティティ情報を搬送し、ＲＲＣ接続プロセス完了を示すために使用される、メッセージを基地局に伝送するように構成される、第３の伝送モジュールを備え、
前記端末アイデンティティ情報は、前記端末のアイデンティティを示すために使用される、端末とネットワーク接続処理装置。
【請求項５６】
基地局に適用可能である、端末とネットワーク接続処理装置であって、
前記端末によって伝送される、端末アイデンティティ情報を搬送する、第３の要求メッセージを受信するように構成される、第４の受信機モジュールであって、前記端末アイデンティティ情報は、前記端末のアイデンティティを示すために使用され、前記第３の要求メッセージは、前記端末とネットワークとの間の接続を確立または再開するように前記基地局に要求するために使用される、第４の受信機モジュールと、
前記第３の要求メッセージインジケーションに基づいて、前記端末との接続を確立または再開するようにネットワーク側に通知するように構成される、処理モジュールと
を備える、端末とネットワーク接続処理装置。
【請求項５７】
端末に適用可能である、端末とネットワーク接続処理装置であって、
端末アイデンティティ情報を搬送する第３の要求メッセージを基地局に伝送するように構成される、第４の伝送モジュールを備え、
前記端末アイデンティティ情報は、前記端末のアイデンティティを示すために使用され、前記第３の要求メッセージは、前記端末とネットワークとの間の接続を確立または再開するように前記基地局に要求するために使用される、端末とネットワーク接続処理装置。
【請求項５８】
端末とネットワークとの間の接続処理のための方法であって、
基地局が、前記端末によって伝送される、再開アイデンティティ情報を搬送する第４の要求メッセージを受信することであって、前記第４の要求メッセージは、前記端末とネットワークとの間の接続を再開するように前記基地局に要求するために使用される、ことと、
前記基地局が、前記再開アイデンティティ情報に基づいて前記端末との接続を再開することと
を含む、方法。
【請求項５９】
前記基地局が、前記端末によって伝送される、前記再開アイデンティティ情報を搬送する前記第４の要求メッセージを受信する前に、前記方法はさらに、前記基地局が、前記再開アイデンティティ情報の全てまたは一部を前記端末に配分することを含む、請求項５８に記載の方法。
【請求項６０】
前記基地局が、前記再開アイデンティティ情報の全てまたは一部を前記端末に配分することは、コンテキスト情報が一時停止されるときに、前記基地局が、前記再開アイデンティティ情報の全てまたは一部を前記端末に伝送することを含む、請求項５９に記載の方法。
【請求項６１】
前記基地局が、前記再開アイデンティティ情報の全てまたは一部を前記端末に配分することは、
前記コンテキスト情報が接続一時停止メッセージを通して一時停止されるときに、前記基地局が、前記再開アイデンティティ情報の全てまたは一部を前記端末に伝送すること、および／または
前記コンテキスト情報が接続解放メッセージを通して一時停止されるときに、前記基地局が、前記再開アイデンティティ情報の全てまたは一部を前記端末に伝送すること
を含む、請求項５９に記載の方法。
【請求項６２】
前記基地局が、前記端末によって伝送される、前記再開アイデンティティ情報を搬送する前記第４の要求メッセージを受信する前に、前記方法はさらに、前記基地局が、前記第４の要求メッセージの伝送のために要求されるリソースを前記端末に配分することを含む、請求項５８に記載の方法。
【請求項６３】
前記基地局が、前記第４の要求メッセージの伝送のために要求される前記リソースを前記端末に配分することは、以下：
前記基地局が、前記端末に伝送されるランダムアクセス応答メッセージの中で前記リソースを示すことと、
前記基地局が、前記端末に伝送される、チャネルフォーマットメッセージまたはランダムアクセス応答メッセージを搬送する媒体アクセス制御パッケージの中で前記リソースを示すことと
のうちの少なくとも１つを含む、請求項６２に記載の方法。
【請求項６４】
前記第４の要求メッセージは、以下：再開要求メッセージ、または前記再開アイデンティティ情報を搬送するメッセージのうちの１つを備える、請求項５８〜請求項６３のいずれかに記載の方法。
【請求項６５】
前記再開アイデンティティ情報を搬送する前記メッセージは、以下：無線リソース制御（ＲＲＣ）接続要求メッセージ、およびＲＲＣ接続再確立要求メッセージのうちの少なくとも１つを備える、請求項６４に記載の方法。
【請求項６６】
前記再開アイデンティティ情報は、以下：端末コンテキストアイデンティティ、グローバルセルアイデンティティ、物理的セルアイデンティティ、基地局アイデンティティ、および事前設定ビット長値のうちの少なくとも１つを備える、請求項５８〜請求項６３のいずれかに記載の方法。
【請求項６７】
前記端末コンテキストアイデンティティは、１６ビット値である、請求項６６に記載の方法。
【請求項６８】
前記グローバルセルアイデンティティは、以下：前記コンテキスト情報が一時停止されるときのセルの前記グローバルセルアイデンティティ、前記端末コンテキスト情報を記憶するセルの前記グローバルセルアイデンティティのうちの少なくとも１つを備える、請求項６６に記載の方法。
【請求項６９】
前記物理的セルアイデンティティは、以下：前記コンテキスト情報が一時停止されるときのセルの前記物理的セルアイデンティティ、前記端末コンテキスト情報を記憶するセルの前記物理的セルアイデンティティのうちの少なくとも１つを備える、請求項６６に記載の方法。
【請求項７０】
前記基地局アイデンティティは、以下：前記コンテキスト情報が一時停止されるときの基地局の前記基地局アイデンティティ、前記端末コンテキスト情報を記憶する基地局の前記基地局アイデンティティのうちの少なくとも１つを備える、請求項６６に記載の方法。
【請求項７１】
前記事前設定ビット長値は、以下：設定ビット長値、１６ビット〜４４ビットの間の長値のうちの少なくとも１つを備える、請求項６６に記載の方法。
【請求項７２】
端末とネットワークとの間の接続処理のための方法であって、
前記端末が、再開アイデンティティ情報を搬送する第４の要求メッセージを基地局に伝送することを含み、
前記第４の要求メッセージは、前記端末とネットワークとの間の接続を再開するように前記基地局に要求するために使用され、前記再開アイデンティティ情報は、前記端末とネットワークとの間の接続を再開するために使用される、方法。
【請求項７３】
前記端末が、前記再開アイデンティティ情報を搬送する前記第４の要求メッセージを前記基地局に伝送する前に、前記方法はさらに、
前記端末が、セルのシステムメッセージを読み取ることを通して、前記再開アイデンティティ情報を生成するために使用される情報の全てまたは一部を取得すること、または
前記端末が、前記再開アイデンティティ情報の全てまたは一部を構築すること、または
前記端末が、前記基地局によって配分される前記再開アイデンティティ情報の全てまたは一部を受信すること
を含む、請求項７２に記載の方法。
【請求項７４】
前記端末が、前記セルのシステムメッセージを読み取ることを通して、前記再開アイデンティティ情報を生成するために使用される前記情報の全てまたは一部を取得することは、
前記端末が、前記セルのシステムメッセージを読み取ることを通して、グローバルセルアイデンティティを取得すること、および／または
前記端末が、前記セルのシステムメッセージを読み取ることを通して、物理的セルアイデンティティを取得すること、および／または
前記端末が、前記セルのシステムメッセージを読み取ることを通して、基地局アイデンティティを取得すること
を含む、請求項７３に記載の方法。
【請求項７５】
前記端末が、前記基地局によって配分される前記再開アイデンティティ情報の全てまたは一部を受信することは、コンテキスト情報が一時停止されるときに、前記端末が、前記基地局によって配分される前記再開アイデンティティ情報の全てまたは一部を受信することを含む、請求項７３に記載の方法。
【請求項７６】
前記コンテキスト情報が一時停止されるときに、前記端末が、前記基地局によって配分される前記再開アイデンティティ情報の全てまたは一部を受信することは、
前記コンテキスト情報が一時停止されるときに、前記端末が、接続一時停止メッセージを通して、前記基地局によって配分される前記再開アイデンティティ情報の全てまたは一部を受信すること、および／または
前記コンテキスト情報が一時停止されるときに、前記端末が、接続解放メッセージを通して、前記基地局によって配分される前記再開アイデンティティ情報の全てまたは一部を受信すること
を含む、請求項７５に記載の方法。
【請求項７７】
前記端末が、前記再開アイデンティティ情報を搬送する前記第４の要求メッセージを前記基地局に伝送する前に、前記方法はさらに、前記端末が、前記基地局によって配分される前記第４の要求メッセージの伝送のために要求されるリソースを受信することを含む、請求項７２に記載の方法。
【請求項７８】
前記端末が、前記基地局によって配分される前記第４の要求メッセージの伝送のために要求される前記リソースを受信することは、
前記端末が、ランダムアクセス応答メッセージの中で前記基地局によって示される前記リソースを受信すること、および／または
前記端末が、チャネルフォーマットメッセージまたはランダムアクセス応答メッセージを搬送する媒体アクセス制御（ＭＡＣ）パッケージの中で前記基地局によって示される前記リソースを受信することと
を含む、請求項７７に記載の方法。
【請求項７９】
前記端末が、前記基地局によって配分される前記第４の要求メッセージの伝送のために要求される前記リソースを受信した後、前記方法はさらに、前記端末が、前記リソースに基づいて前記再開アイデンティティ情報を構築することを含む、請求項７７に記載の方法。
【請求項８０】
前記端末が、前記リソースに基づいて前記再開アイデンティティ情報を構築することは、前記端末が、異なるサイズのリソースに基づいて、異なる再開アイデンティティ情報を構築することを含む、請求項７９に記載の方法。
【請求項８１】
前記端末が、リソースに基づいて再開アイデンティティ情報を構築することは、前記端末が、前記再開アイデンティティ情報を構築するために前記端末コンテキストアイデンティティおよび事前設定情報を使用することを含み、
事前設定情報は、以下：前記グローバルセルアイデンティティの全てまたは一部、前記物理的セルアイデンティティの全てまたは一部、前記基地局アイデンティティの全てまたは一部のうちの１つを備える、請求項７９〜請求項８０のいずれかに記載の方法。
【請求項８２】
前記第４の要求メッセージは、以下：再開要求メッセージ、または前記再開アイデンティティ情報を搬送するメッセージのうちの１つを備える、請求項７２〜請求項８０のいずれかに記載の方法。
【請求項８３】
前記再開アイデンティティ情報を搬送する前記メッセージは、以下：無線リソース制御（ＲＲＣ）接続要求メッセージ、およびＲＲＣ接続再確立要求メッセージのうちの少なくとも１つを備える、請求項８２に記載の方法。
【請求項８４】
前記再開アイデンティティ情報は、以下：端末コンテキストアイデンティティ、グローバルセルアイデンティティ、物理的セルアイデンティティ、基地局アイデンティティ、および事前設定ビット長値のうちの少なくとも１つを備える、請求項７２〜請求項８０のいずれかに記載の方法。
【請求項８５】
前記端末コンテキストアイデンティティは、１６ビット値である、請求項７２〜請求項８０のいずれかに記載の方法。
【請求項８６】
前記グローバルセルアイデンティティは、以下：前記コンテキスト情報が一時停止されるときのセルの前記グローバルセルアイデンティティ、前記端末コンテキスト情報を記憶するセルの前記グローバルセルアイデンティティのうちの少なくとも１つを備える、請求項７２〜請求項８０のいずれかに記載の方法。
【請求項８７】
前記物理的セルアイデンティティは、以下：前記コンテキスト情報が一時停止されるときのセルの前記物理的セルアイデンティティ、前記端末コンテキスト情報を記憶するセルの前記物理的セルアイデンティティのうちの少なくとも１つを備える、請求項７２〜請求項８０のいずれかに記載の方法。
【請求項８８】
前記基地局アイデンティティは、以下：前記コンテキスト情報が一時停止されるときの基地局の前記基地局アイデンティティ、前記端末コンテキスト情報を記憶する基地局の前記基地局アイデンティティのうちの少なくとも１つを備える、請求項７２〜請求項８０のいずれかに記載の方法。
【請求項８９】
前記事前設定ビット長値は、以下：設定ビット長値、１６ビット〜４４ビットの間の長値のうちの少なくとも１つを備える、請求項７２〜請求項８０のいずれかに記載の方法。
【請求項９０】
基地局に適用可能である、端末とネットワーク接続処理装置であって、
前記端末によって伝送される、再開アイデンティティ情報を搬送する第４の要求メッセージを受信するように構成される、第７の受信機モジュールであって、前記第４の要求メッセージは、前記端末とネットワークとの間の接続を再開するように前記基地局に要求するために使用される、第７の受信機モジュールと、
前記再開アイデンティティ情報に基づいて前記端末との接続を再開するように構成される、第３の再開モジュールと
を備える、端末とネットワーク接続処理装置。
【請求項９１】
端末に適用可能である、端末とネットワーク接続処理装置であって、
再開アイデンティティ情報を搬送する第４の要求メッセージを基地局に伝送するように構成される、第７の伝送モジュールを備え、
前記第４の要求メッセージは、前記端末とネットワークとの間の接続を再開するように前記基地局に要求するために使用され、前記再開アイデンティティ情報は、前記端末とネットワークとの間の前記接続を再開するために使用される、端末とネットワーク接続処理装置。
【発明の詳細な説明】
【技術分野】
【０００１】
本発明は、通信の分野、具体的には、端末とネットワークとの間の接続処理のための方法およびシステムに関連する。
【背景技術】
【０００２】
マシンツーマシン（Ｍ２Ｍ）通信は、現在、第５世代モバイル通信技術（５Ｇ）における研究のための重要な分野であり、無線通信の将来のための適用の重要な分野である。Ｍ２Ｍ研究の範囲内には、低コスト、低電力消費量、低モビリティ、および低スループット等の端末特徴に向けられた狭帯域モノのインターネット（ＮＢ−ＩｏＴ）のサブトピックがあり、すなわち、２００ｋｈｚ周波数範囲内で、ＮＢ−ＩｏＴ低コスト端末のための低スループット無線通信サービスを提供することである。
【０００３】
シグナリングオーバーヘッドおよびＮＢ−ＩｏＴ端末電力消費量を削減するために、既存の研究は、少量データ伝送の２つのモードをもたらした。
１．制御プレーン最適化モード（ＣＰモード）：データ無線ベアラ（ＤＲＢ）が端末とネットワークとの間に確立されることも、アクセス層（ＡＳ）セキュリティコンテキストが確立されることもないであろう。データは、非アクセス層プロトコルデータ単位（ＮＡＳ  ＰＤＵ）にパッケージ化され、伝送のために制御プレーン信号にアタッチされる。本モードは、シグナリングの比較的明白な保護を生じるが、一度に伝送されるデータパケットの長さは限定される。比較的大きいデータパケットは、伝送のために複数のより小さいパケットに分離されなければならない。カバレッジが比較的不良であるとき、パケットを失いやすく、受信者が完全なデータパケットを受信することを困難にする。
２．ユーザプレーン最適化モード（ＵＰモード）：端末およびネットワークが、データを伝送するためにＤＲＢを使用して、完全な接続を確立する。データ伝送が完了した後、ベアラ情報コンテキスト、ＡＳセキュリティコンテキスト等は、一時停止・アクティブ化プロシージャを通して、端末およびネットワーク側に保存される。データがもう一度伝送されるとき、両者は、プロシージャを復元することを通して、前もって記憶されたコンテキストを再開し、データを伝送するためにＤＲＢベアラを使用し続ける。本モードは、既存のプロセスと大きく異ならず、いかなる明白な方法でもデータパケットの長さを限定しないが、そのシグナリングを保護する能力は、限界を有する。
【０００４】
既存の研究はまた、端末とネットワークとの間の容量ネゴシエーションのプロセスも導入してきた。端末が最初にアタッチするとき、アタッチ要求は、端末のサポート可能なネットワーク挙動を示す、随意の好ましいネットワーク挙動インジケーションメッセージ：１、制御プレーン最適化モードがサポートされるかどうか、２、ユーザプレーン最適化モードがサポートされるかどうか、３、制御プレーン最適化モードまたはユーザプレーン最適化モードを使用するための推奨、４、Ｓ１−ｕデータ伝送機能がサポートされるかどうか、５、ショートメッセージがアタッチメントを伴って実装されないことを要求するかどうかを搬送する。
【０００５】
ネットワーク側のＭＭＥネットワーク要素は、それが受理することができるネットワーク挙動を示すように、アタッチ受理メッセージの中にサポートされたネットワーク挙動を含む。
【０００６】
端末およびネットワーク側がＵＰモードを採用するために交渉した後、端末が伝送を要求するアップリンクデータを有するとき、エアインターフェースおよびネットワーク側ベアラ再開プロセスがトリガされなければならない。ネットワーク側が伝送を要求するダウンリンクデータを有するとき、最初に、端末を呼び出し、次いで、エアインターフェースおよびネットワーク側ベアラ再開プロセスを開始するように端末をトリガするであろう。
【０００７】
既存の技術の標準ＲＲＣ接続再開プロセスを研究するプロセスでは、以下のアプローチ：１．新しいＲＲＣ接続再開要求／再開応答メッセージを定義すること、２．既存のＲＲＣ接続確立プロセスを使用し続け、新しい命令を追加すること、３．既存のＲＲＣ接続再確立プロセスを使用し続け、新しい命令を追加することが、エアインターフェース再開プロセスに関して議論されている。
【０００８】
これ以外にも、一部の研究者は、端末が伝送したいデータを有する場合、再開プロセスのあるアップリンクエアインターフェースメッセージの中で搬送される、ＮＡＳ  ＰＤＵまたはＤＲＢ多重化等としてデータをパッケージ化することも可能であると示唆し、例えば、エアインターフェース再開要求、エアインターフェース接続確立要求、またはエアインターフェース接続確立完了メッセージの中で、それを搬送する。
【０００９】
研究が進むにつれて、我々は、前述のアプローチ内に以下の問題が存在することを見出した。
１．現在、一時停止後および再開前に、端末は、アイドル状態で存在する。再開後、端末は、ＲＲＣ接続確立プロセスの前後の端末と同一の状態である、接続状態で存在するが、再開プロセスは、輻輳によって引き起こされる拒否、異常によって引き起こされる無線リンク障害等の任意の数の理由により失敗し得、ＲＲＣ接続確立プロセスを開始する端末が遭遇し得る障害の殆どは、類似する。加えて、異常処理を実装するように上位層に通知すること、またはアクセスを再トリガする前にある時間周期を待つこと等の再開失敗後の予期される処理モードは、ＲＲＣ接続確立プロセスの開始の失敗後に端末によって使用される処理モードに類似する。新しいＲＲＣ接続再開要求メッセージおよびその対応するプロシージャが導入された場合、多数の処理反復が起こるであろう。
２．再開プロセスでは、パッケージ化されたユーザデータのＮＡＳ  ＰＤＵを伝送することが可能である。現在、ＮＡＳ（非アクセス層）およびＡＳ（アクセス層）相互作用では、ＮＡＳシグナリングは、ＲＲＣ確立プロセスをトリガすることのみできる。新しい再開要求メッセージおよびその対応するプロシージャが導入された場合、ＮＡＳプロトコルは、さらに大いに影響を受け得る。ＮＡＳシグナリングが新しいＲＲＣ接続再開要求メッセージおよびその対応するプロシージャをトリガし得る方法について、考慮が要求される。
３．端末が再開プロセスをトリガする前に、ユーザプレーン最適化モードによって要求される種々のコンテキスト情報が、すでに事前設定端末、基地局、および関連コアネットワークネットワーク要素上に記憶されている。端末が、ある異常要因により出現するとき、コアネットワークネットワーク要素および基地局上の任意のノードの中に記憶されたコンテキスト情報は不完全であり、これは、速いペースの処理機構を要求する新しい異常である。
４．端末が再開プロセスをトリガする前に、ユーザプレーン最適化モードによって要求される種々のコンテキスト情報が、すでに事前設定端末、基地局、および関連コアネットワークネットワーク要素上に記憶されている。端末および基地局が、一貫したアイデンティティ検索を採用し、正しいコンテキスト情報を再開することができるように、本コンテキスト情報を識別する方法は、まだ今のところ決定的ではない。現在、規格で定義されるいくつかの端末アイデンティティは、主に端末接続確立プロセスにおいて配分され、または端末接続確立完了後に使用され、必ずしも接続解放後に端末に属するコンテキストを識別するために好適とは限らない。したがって、最適化された再開アイデンティティ定義が考慮されなければならない。
【００１０】
関連技術における端末とネットワークとの間の接続処理の複雑な性質に関して、現在、効果的な解決はまだ現れていない。
【発明の概要】
【発明が解決しようとする課題】
【００１１】
（本実施形態の内容）
本発明の実施形態は、少なくとも、端末とネットワークとの間の接続処理の複雑な性質という関連技術における問題を解決する、端末とネットワークとの間の接続処理のための方法および装置を提供する。
【課題を解決するための手段】
【００１２】
本発明の実施形態は、基地局が、端末によって伝送される、端末アイデンティティ情報を搬送する第１の要求メッセージを受信することであって、端末アイデンティティ情報は、端末のアイデンティティを示すために使用され、第１の要求メッセージは、端末とネットワークとの間の接続を再開するように基地局に要求するために使用される、ことと、基地局が、端末アイデンティティ情報に合致するコンテキスト情報を検索することと、基地局がコンテキスト情報を見出すとき、端末との接続を再開するためにコンテキスト情報を使用することとを含む、端末とネットワークとの間の接続処理のための方法を提供する。
【００１３】
代替として、端末アイデンティティ情報は、以下：初期端末アイデンティティ情報、再開アイデンティティ情報のうちの少なくとも１つを備え、初期端末アイデンティティ情報は、初期端末アイデンティティまたは初期端末アイデンティティを生成するために使用される情報を備え、再開アイデンティティ情報は、再開アイデンティティまたは再開アイデンティティを生成するために使用される情報を備える。
【００１４】
代替として、基地局が端末アイデンティティ情報に合致するコンテキスト情報を検索した後、本方法はさらに、基地局がコンテキスト情報を見出さないとき、コンテキスト情報は、近隣基地局から入手され、基地局は、端末との接続を再開するために、近隣基地局から取得されるコンテキスト情報を利用することを含む。
【００１５】
代替として、基地局が端末アイデンティティ情報に合致するコンテキスト情報を検索した後、本方法はさらに、基地局がコンテキスト情報を見出さないとき、端末との接続を確立するために端末アイデンティティ情報を使用することを含む。
【００１６】
代替として、第１の要求メッセージは、以下：再開要求メッセージ、接続再開インジケーションを搬送するメッセージのうちの１つを備える。
【００１７】
代替として、接続再開インジケーションを搬送するメッセージは、以下：無線リソース制御（ＲＲＣ）接続要求メッセージ、およびＲＲＣ接続再確立要求メッセージのうちの少なくとも１つを備える。
【００１８】
代替として、端末アイデンティティ情報に合致する第１のコンテキスト情報を検索することは、基地局が第１の要求メッセージによってトリガされるとき、基地局は、再開アイデンティティ情報に合致するコンテキスト情報を優先的に検索することを含む。
【００１９】
代替として、基地局が第１の要求メッセージによってトリガされるとき、基地局が再開アイデンティティ情報に合致するコンテキスト情報を優先的に検索した後、本方法はさらに、基地局がコンテキスト情報を見出さないとき、初期端末アイデンティティ情報に基づいて端末とのＲＲＣ接続を確立することを含む。
【００２０】
代替として、基地局がコンテキスト情報を検索した後、本方法はさらに、基地局がコンテキスト情報を見出さないとき、拒否メッセージを端末に伝送することを含み、拒否メッセージは、拒否原因値またはインジケーション情報を搬送し、インジケーション情報は、端末がネットワークとの接続を再確立するかどうかを判定するために使用される。
【００２１】
代替として、拒否メッセージは、以下：ＲＲＣ接続拒否メッセージ、ＲＲＣ再確立拒否メッセージ、ＲＲＣ接続再開拒否メッセージのうちの少なくとも１つを備える。
【００２２】
代替として、初期端末アイデンティティは、４１ビットを超えない長さを伴うアイデンティティ情報を備え、
初期端末アイデンティティを生成するために使用される情報は、以下：ＳＡＥ−一時モバイルサブスクライバアイデンティティ（Ｓ−ＴＭＳＩ）、モバイル管理エンティティ（ＭＭＥ）アイデンティティＭＭＥＣ、ＭＭＥユーザ一意アイデンティティコードｍ−ＴＭＳＩ、セルアイデンティティ、一意の端末アイデンティティ番号Ｃ−ＲＮＴＩ、ＳｈｏｒｔＭａｃ−Ｉ情報、３２ビットを超えない長さを伴う乱数のうちの少なくとも１つを備え、再開アイデンティティは、４１ビットを超えない長さを伴うアイデンティティ情報を備え、再開アイデンティティに使用される情報は、以下：ＳＡＥ−一時モバイルサブスクライバアイデンティティ（Ｓ−ＴＭＳＩ）、モバイル管理エンティティ（ＭＭＥ）アイデンティティＭＭＥＣ、ＭＭＥユーザ一意アイデンティティコードｍ−ＴＭＳＩ、セルアイデンティティ、一意の端末アイデンティティ番号Ｃ−ＲＮＴＩ、ＳｈｏｒｔＭａｃ−Ｉ情報、３２ビットを超えない長さを伴う乱数のうちの少なくとも１つを備える。
【００２３】
本発明の別の実施形態はさらに、端末が、端末アイデンティティ情報を搬送する第１の要求メッセージを基地局に伝送することを含み、端末アイデンティティ情報は、端末のアイデンティティを示すために使用され、第１の要求メッセージは、端末とネットワークとの間の接続を再開するように基地局に要求するために使用される、端末とネットワークとの間の接続処理のための方法を提供する。
【００２４】
本発明の別の実施形態はさらに、基地局が、端末によって伝送される、データ伝送モード情報を搬送する第２の要求メッセージを受信することであって、データ伝送モード情報は、端末のデータ伝送モードを示すために使用される、ことと、基地局が、データ伝送モード情報に基づいて、端末とネットワークとの間の接続のためのリソースを構成することとを含む、端末とネットワークとの間の接続処理のための方法を提供する。
【００２５】
代替として、データ伝送モード情報は、以下：ユーザプレーン最適化モード情報、制御プレーン最適化モード情報のうちの少なくとも１つを備える。
【００２６】
代替として、基地局が、データ伝送モード情報に基づいて、端末とネットワークとの間の接続のためのリソースを構成することは、基地局がデータ伝送モード情報に基づいて無線リソースを構成すること、および／または基地局がデータ伝送モード情報に基づいてネットワーク要素を構成すること、および／または基地局がデータ伝送モード情報に基づいてネットワークアクセス要素を構成することを含む。
【００２７】
代替として、基地局が、データ伝送モード情報に基づいて無線リソースを構成することは、基地局が端末とネットワークとの間の接続の無線リソースのためにシグナリング無線ベアラの特徴を構成すること、および／または基地局が端末とネットワークとの間の接続の無線リソースのためにデータ無線ベアラの特徴を構成することを含む。
【００２８】
代替として、シグナリング無線ベアラの特徴は、以下：パケットデータ収束プロトコル（ＰＤＣＰ）プロトコル層を含むかどうか、透過モードＰＤＣＰプロトコル層を使用するかどうか、ＰＤＣＰプロトコルヘッダを含むかどうか、ＰＤＣＰシーケンス番号を含むかどうか、安全性情報を含むかどうかのうちの少なくとも１つを備える。
【００２９】
データ無線ベアラの特徴は、以下：ＰＤＣＰプロトコル層を含むかどうか、透過モードＰＤＣＰプロトコル層を使用するかどうか、ＰＤＣＰプロトコルヘッダを含むかどうか、ＰＤＣＰシーケンス番号を含むかどうか、安全性情報を含むかどうかのうちの少なくとも１つを備える。
【００３０】
代替として、ユーザプレーン最適化モード情報は、以下の接続：ユーザプレーン最適化モード開始コールデータ、ユーザプレーン最適化モード開始コールシグナリング、ユーザプレーン最適化モード開始コール異常報告、ユーザプレーン最適化受信コールデータ、ユーザプレーン最適化モード受信コールシグナリング、ユーザプレーン最適化モード受信コール異常報告のうちの少なくとも１つを通して、原因インジケーションを確立し、制御プレーン最適化モードのデータ伝送モード情報は、以下の接続：制御プレーン最適化モード開始コールデータ、制御プレーン最適化モード開始コールシグナリング、制御プレーン最適化モード開始コール異常報告、制御プレーン最適化モード受信コールデータ、制御プレーン最適化モード受信コールシグナリング、制御プレーン最適化モード受信コール異常報告のうちの少なくとも１つを通して、原因インジケーションを確立する。
【００３１】
代替として、基地局が、端末とネットワークとの間の接続の無線リソースのためにシグナリング無線ベアラの特徴を構成することは、データ伝送モード情報が制御プレーン最適化モード開始コールデータまたは制御プレーン最適化モード受信コールデータであるとき、端末とネットワークとの間の接続の無線リソースのために基地局によって構成される信号無線ベアラが、ＰＤＣＰプロトコルヘッダを備えないことを含み、基地局が、端末とネットワークとの間の接続の無線リソースのためにシグナリング無線ベアラの特徴を構成することは、データ伝送モード情報が制御最適化モード開始コールデータおよび制御最適化モード受信コールデータ以外の情報であるとき、端末とネットワークとの間の接続の無線リソースのために基地局によって構成されるシグナリング無線ベアラが、ＰＤＣＰプロトコルヘッダを備えることを含む。
【００３２】
代替として、データ伝送モード情報に基づいて、基地局が端末とネットワークとの間の接続のためにリソースを構成した後、本方法はさらに、基地局が、通知メッセージを通して、端末とネットワークとの間の接続の構成されたリソースについて端末に通知することを含む。
【００３３】
本発明の別の実施形態はさらに、端末が、データ伝送モード情報を搬送する第２の要求メッセージを基地局に伝送することを含み、データ伝送モード情報は、端末のデータ伝送モードを示すために使用される、端末とネットワークとの間の接続処理のための方法を提供する。
【００３４】
本発明の別の実施形態はさらに、端末が、基地局によって伝送される、基地局が端末との接続を確立または再開することを示すために使用される第１の応答メッセージを受信することと、第１の応答メッセージの中で搬送される無線リソース構成インジケーションに基づいて、端末が、無線リソース構成を実行するモードを判定することとを含む、端末とネットワークとの間の接続処理のための方法を提供する。
【００３５】
代替として、端末が、第１の応答メッセージの中で搬送される無線リソース構成インジケーションに基づいて、無線リソース構成を実行するモードを判定することは、第１の応答メッセージが、無線リソース構成インジケーションを備えず、空の無線リソース構成を備えるとき、端末が、ローカルに記憶された無線リソース構成を使用し、第１の応答メッセージが、無線リソース構成インジケーションを備えず、空の無線リソース構成を備えないとき、端末が、ローカルに記憶された無線リソース構成および／または第１の応答メッセージの中に含有される無線リソース構成に基づいて生成される、無線リソース構成を使用することを含む。
【００３６】
本発明の別の実施形態はさらに、端末が、端末アイデンティティ情報を搬送し、ＲＲＣ接続プロセス完了を示すために使用される、メッセージを基地局に伝送することを含み、端末アイデンティティ情報は、端末のアイデンティティを示すために使用される、端末とネットワークとの間の接続処理のための方法を提供する。
【００３７】
代替として、端末アイデンティティ情報は、端末アイデンティティまたは端末アイデンティティを生成するために使用される情報を備える。
【００３８】
代替として、端末アイデンティティは、４１ビットを超えない長さを伴うアイデンティティ情報を備え、端末アイデンティティを生成するために使用される情報は、以下：ＳＡＥ−一時モバイルサブスクライバアイデンティティ、モバイル管理エンティティ（ＭＭＥ）コードＭＭＥＣ、ＭＭＥユーザ一意アイデンティティ番号ｍ−ＴＭＳＩ、セルアイデンティティ、物理的セルアイデンティティ、一意の端末アイデンティティ番号Ｃ−ＲＮＴＩ、ＳｈｏｒｔＭＡＣ−Ｉ情報、３２ビットを超えない長さを伴う乱数のうちの少なくとも１つを備える。
【００３９】
代替として、端末が、ＲＲＣ接続プロセス完了を示すために使用される、端末アイデンティティ情報を搬送するメッセージを伝送する前に、本方法はさらに、端末が、基地局によって伝送される、基地局が端末との接続を確立または再開することを示すために使用される第２の応答メッセージを受信することと、第２の応答メッセージのインジケーションに従って、端末が、ＲＲＣ接続プロセス完了を示すために使用されるメッセージを基地局に伝送するかどうかを判定することとを含む。
【００４０】
代替として、第２の応答メッセージのインジケーションに従って、端末が、ＲＲＣ接続プロセス完了を示すために使用されるメッセージを基地局に伝送するかどうかを判定することは、第２の応答メッセージが、ＲＲＣ接続プロセス完了を示すために使用されるメッセージを伝送するかどうかを示すために使用される、命令を明示的に備えるとき、端末が、命令に基づいて、ＲＲＣ接続プロセス完了を示すために使用されるメッセージを基地局に伝送するかどうかを判定することを含む。
【００４１】
代替として、端末が、応答メッセージの命令に基づいて、ＲＲＣ接続プロセス完了を示すために使用されるメッセージを基地局に伝送するかどうかを判定することは、第２の応答メッセージが、ＲＲＣ接続プロセス完了を示すために使用されるメッセージを伝送するかどうかを示すために使用される、命令を明示的に備えず、空の無線リソース構成を備えるとき、端末は、ＲＲＣ接続プロセス完了を示すために使用されるメッセージを基地局に伝送しないこと、または第２の応答メッセージが、ＲＲＣ接続プロセス完了を示すために使用されるメッセージを伝送するかどうかを示すために使用される、命令を明示的に備えず、空ではない無線リソース構成を備えるとき、端末は、ＲＲＣ接続プロセス完了を示すために使用されるメッセージを基地局に伝送することを含む。
【００４２】
代替として、第２の応答メッセージが、ＲＲＣ接続プロセス完了を示すために使用されるメッセージを伝送するかどうかを示すために使用される、命令を明示的に備えず、空ではない無線リソース構成を備えるとき、ＲＲＣ接続プロセス完了を示すために使用されるメッセージは、応答メッセージを備える、無線リソース構成に向けた端末の処理結果を搬送する。
【００４３】
本発明の別の実施形態はさらに、基地局が、端末によって伝送される、端末アイデンティティ情報を搬送する第３の要求メッセージを受信することであって、端末アイデンティティ情報は、端末のアイデンティティを示すために使用され、第３の要求メッセージは、端末とネットワークとの間の接続を確立または再開するように基地局に要求するために使用される、ことと、第３の要求メッセージ命令に基づいて、基地局が、端末との接続を確立または再開するようにネットワーク側に通知することとを含む、端末とネットワークとの間の接続処理のための方法を提供する。
【００４４】
代替として、端末アイデンティティ情報は、以下：初期端末アイデンティティ情報、再開アイデンティティ情報のうちの少なくとも１つを備え、初期確立アイデンティティ情報は、初期端末アイデンティティまたは初期端末アイデンティティを生成するために使用される情報を備え、再開アイデンティティ情報は、再開アイデンティティまたは再開アイデンティティを生成するために使用される情報を備える。
【００４５】
代替として、初期端末アイデンティティは、４１ビットを超えない長さを伴うアイデンティティ情報を備え、初期端末アイデンティティを生成するために使用される情報は、以下：ＳＡＥ−一時モバイルサブスクライバアイデンティティ（Ｓ−ＴＭＳＩ）、モバイル管理エンティティ（ＭＭＥ）アイデンティティＭＭＥＣ、ＭＭＥユーザ一意アイデンティティコードｍ−ＴＭＳＩ、セルアイデンティティ、一意の端末アイデンティティ番号Ｃ−ＲＮＴＩ、ＳｈｏｒｔＭａｃ−Ｉ情報、３２ビットを超えない長さを伴う乱数のうちの少なくとも１つを備え、再開アイデンティティは、４１ビットを超えない長さを伴うアイデンティティ情報を備え、再開アイデンティティに使用される情報は、以下：ＳＡＥ−一時モバイルサブスクライバアイデンティティ（Ｓ−ＴＭＳＩ）、モバイル管理エンティティ（ＭＭＥ）アイデンティティＭＭＥＣ、ＭＭＥユーザ一意アイデンティティコードｍ−ＴＭＳＩ、セルアイデンティティ、一意の端末アイデンティティ番号Ｃ−ＲＮＴＩ、ＳｈｏｒｔＭａｃ−Ｉ情報、３２ビットを超えない長さを伴う乱数のうちの少なくとも１つを備える。
【００４６】
代替として、基地局が、第３の要求メッセージ命令に基づいて、端末との接続を確立または再開するようにネットワーク側に通知することは、基地局が、第３の要求メッセージに基づいて、端末との接続を確立または再開するようにネットワーク側に通知し、再開アイデンティティ情報に合致するコンテキスト情報を取得することを含む。
【００４７】
代替として、基地局が、第３の要求メッセージに基づいて、再開アイデンティティ情報に合致するコンテキスト情報を取得することは、基地局が再開アイデンティティ情報に合致するコンテキスト情報を検索すること、または基地局が近隣基地局内の再開アイデンティティ情報に合致するコンテキスト情報を検索することを含む。
【００４８】
代替として、第３の要求メッセージはさらに、再開命令を備え、再開命令は、基地局との接続を再開するように命令する。
【００４９】
代替として、基地局が、第３の要求メッセージに基づいて、再開アイデンティティ情報に合致するコンテキスト情報を取得することは、再開要求メッセージまたは再開命令によってトリガされたとき、基地局が、再開アイデンティティ情報に合致するコンテキスト情報を検索すること、または再開要求メッセージまたは再開命令によってトリガされたとき、基地局が、近隣基地局内の再開アイデンティティ情報に合致するコンテキスト情報を検索することを含む。
【００５０】
代替として、基地局が、第３の要求メッセージに基づいて、端末との接続を確立または再開するようにネットワーク側に通知した後、本方法はさらに、基地局が、ネットワーク側が端末との接続結果を確立または再開することを示す、第３の応答メッセージを受信することと、基地局が、ネットワーク側が端末との接続を正常に確立または再開することを示す、第３の応答メッセージを受信するとき、基地局が、基地局と端末との間の接続を確立または再開することを含む。
【００５１】
代替として、基地局が、ネットワーク側が端末との接続結果を確立または再開することを示す、第３の応答メッセージを受信した後、本方法はさらに、基地局が、ネットワーク側が端末との接続の確立または再開に失敗したことを示す、第３の応答メッセージを受信するが、基地局が、再開アイデンティティ情報に合致するコンテキスト情報を正常に取得するとき、基地局が、端末とネットワークとの間の接続を再確立することを含む。
【００５２】
代替として、基地局が、端末との接続を確立または再開するようにネットワーク側に通知した後、本方法はさらに、基地局が、ネットワーク側が端末との接続の確立または再開に失敗したことを示す、第３の応答メッセージを受信し、基地局が再開アイデンティティ情報に合致するコンテキスト情報を取得することも失敗したとき、基地局が、拒否メッセージを端末に伝送することを含み、拒否メッセージは、要求メッセージによって要求される動作を拒否するために使用され、拒否メッセージは、拒否原因値を搬送する。
【００５３】
代替として、基地局が拒否メッセージを端末に伝送した後、本方法はさらに、端末が、ランダムアクセスプリアンブルの伝送プロセスを無視し、端末アイデンティティ情報を搬送する要求メッセージを基地局にもう一度伝送することを含む。
【００５４】
本発明の別の実施形態はさらに、端末が、端末アイデンティティ情報を搬送する第３の要求メッセージを基地局に伝送することを含み、端末アイデンティティ情報は、端末のアイデンティティを示すために使用され、第３の要求メッセージは、端末とネットワークとの間の接続を確立または再開するように基地局に要求するために使用される、端末とネットワークとの間の接続処理のための方法を提供する。
【００５５】
代替として、端末が端末アイデンティティ情報を搬送する第３の要求メッセージを基地局に伝送した後、本方法はさらに、端末がタイマのタイミング値を拡張すること、または端末が基地局インジケーションに基づいてタイマのタイミング値を拡張することを含み、タイミング値は、基地局が応答メッセージを伝送することを端末が待つ時間である。
【００５６】
本発明の別の実施形態はさらに、無線ベアラが、ＡＳ層セキュリティの確立に先立って、簡略化ＰＤＣＰ機能を使用することを含む、端末とネットワークとの間の接続処理のための方法を提供する。
【００５７】
代替として、無線ベアラは、以下：シグナリング無線ベアラ（ＳＲＢ）、データ無線ベアラ（ＤＲＢ）のうちの１つを備える。
【００５８】
代替として、無線ベアラが簡略化ＰＤＣＰ機能を使用することは、以下：無線ベアラが透過モードＰＤＣＰプロトコル層を使用すること、無線ベアラがＰＤＣＰプロトコルヘッダを含有しないこと、無線ベアラがＰＤＣＰシーケンス番号を含有しないことのうちの少なくとも１つを含む。
【００５９】
代替として、本方法はさらに、ＡＳ層セキュリティが確立される前に、端末が簡略化ＰＤＣＰ機能の無線ベアラを使用することができること、またはＡＳ層セキュリティが確立される前に、基地局が簡略化ＰＤＣＰ機能の無線ベアラを使用することができることを含む。
【００６０】
代替として、以下：所定のモード、事前構成されたモード、端末および基地局ネゴシエーションモード、基地局が、以下のメッセージ：システムメッセージ、専用通知メッセージを端末に伝送するモードのうちの少なくとも１つを通して、シグナリング無線ベアラが簡略化ＰＤＣＰ機能を使用することを判定することを含む。
【００６１】
代替として、システムメッセージまたは専用通知メッセージは、簡略化ＰＤＣＰ機能を使用するように無線ベアラに命令する命令を搬送する。
【００６２】
本発明の別の実施形態はさらに、端末によって伝送される、端末アイデンティティ情報を搬送する第１の要求メッセージを受信するように構成される、第１の受信機モジュールであって、端末アイデンティティ情報は、端末のアイデンティティを示すために使用され、第１の要求メッセージは、端末とネットワークとの間の接続を再開するように基地局に要求するために使用される、第１の受信機モジュールと、端末アイデンティティ情報に合致するコンテキスト情報を検索するように構成される、検索モジュールと、コンテキスト情報が見出されるときに、端末との接続を再開するためにコンテキスト情報を使用するように構成される、第１の再開モジュールとを備える、基地局に適用可能である、端末とネットワーク接続処理装置を提供する。
【００６３】
本発明の別の実施形態はさらに、端末アイデンティティ情報を搬送する第１の要求メッセージを基地局に伝送するように構成される、第１の伝送モジュールを備え、端末アイデンティティ情報は、端末のアイデンティティを示すために使用され、要求メッセージは、端末とネットワークとの間の接続を再開するように基地局に要求するために使用される、端末に適用可能である、端末とネットワーク接続処理装置を提供する。
【００６４】
本発明の別の実施形態はさらに、端末によって伝送される、データ伝送モード情報を搬送する第２の要求メッセージを受信するように構成される、第２の受信機モジュールであって、データ伝送モード情報は、端末のデータ伝送モードを示すために使用される、第２の受信機モジュールと、データ伝送モード情報に基づいて、端末とネットワークとの間の接続のリソースを構成するように設定される、構成モジュールとを備える、基地局に適用可能である、端末とネットワーク接続処理装置を提供する。
【００６５】
本発明の別の実施形態はさらに、データ伝送モード情報を搬送する第２の要求メッセージを基地局に伝送するように構成される、第２の伝送モジュールを備え、データ伝送モード情報は、端末のデータ伝送モードを示すために使用される、端末に適用可能である、端末とネットワーク接続処理装置を提供する。
【００６６】
本発明の別の実施形態はさらに、基地局によって伝送され、基地局が端末との接続を確立または再開することを示すために使用される、第１の応答メッセージを受信するように構成される、第３の受信機モジュールと、第１の応答メッセージの中で搬送される無線リソース構成インジケーションに基づいて、無線リソース構成を実行するモードを判定するように構成される、第１の判定モジュールとを備える、端末に適用可能である、端末とネットワーク接続処理装置を提供する。
【００６７】
本発明の別の実施形態はさらに、端末によって伝送される、端末アイデンティティ情報を搬送し、ＲＲＣ接続プロセス完了を示すために使用される、メッセージを受信するように構成される、第４の受信機モジュールであって、端末アイデンティティ情報は、端末のアイデンティティを示すために使用される、第４の受信機モジュールと、ＲＲＣ接続プロセス完了を示すために使用されるメッセージに基づいて、端末との接続を処理するように構成される、第１の処理モジュールとを備える、基地局に適用可能である、端末とネットワーク接続処理装置を提供する。
【００６８】
本発明の別の実施形態はさらに、端末アイデンティティ情報を搬送し、ＲＲＣ接続プロセス完了を示すために使用される、メッセージを基地局に伝送するように構成される、第３の伝送モジュールを備え、端末アイデンティティ情報は、端末のアイデンティティを示すために使用される、端末に適用可能である、端末とネットワーク接続処理装置を提供する。
【００６９】
本発明の別の実施形態はさらに、端末によって伝送される、端末アイデンティティ情報を搬送する、第３の要求メッセージを受信するように構成される、第４の受信機モジュールであって、端末アイデンティティ情報は、端末のアイデンティティを示すために使用され、第３の要求メッセージは、端末とネットワークとの間の接続を確立または再開するように基地局に要求するために使用される、第４の受信機モジュールと、第３の要求メッセージインジケーションに基づいて、端末との接続を確立または再開するようにネットワーク側に通知するように構成される、処理モジュールとを備える、基地局に適用可能である、端末とネットワーク接続処理装置を提供する。
【００７０】
本発明の別の実施形態はさらに、端末アイデンティティ情報を搬送する第３の要求メッセージを基地局に伝送するように構成される、第４の伝送モジュールを備え、端末アイデンティティ情報は、端末のアイデンティティを示すために使用され、第３の要求メッセージは、端末とネットワークとの間の接続を確立または再開するように基地局に要求するために使用される、端末に適用可能である、端末とネットワーク接続処理装置を提供する。
【００７１】
本発明の別の実施形態はさらに、基地局が、端末によって伝送される、再開アイデンティティ情報を搬送する第４の要求メッセージを受信することであって、第４の要求メッセージは、端末とネットワークとの間の接続を再開するように基地局に要求するために使用される、ことを含み、基地局は、再開アイデンティティ情報に基づいて端末との接続を再開する、端末とネットワークとの間の接続処理のための方法を提供する。
【００７２】
代替として、基地局が、端末によって伝送される、再開アイデンティティ情報を搬送する第４の要求メッセージを受信する前に、本方法はさらに、基地局が、再開アイデンティティ情報の全てまたは一部を端末に配分することを含む。
【００７３】
代替として、基地局が、再開アイデンティティ情報の全てまたは一部を端末に配分することは、コンテキスト情報が一時停止されるときに、基地局が、再開アイデンティティ情報の全てまたは一部を端末に伝送することを含む。
【００７４】
代替として、基地局が、再開アイデンティティ情報の全てまたは一部を端末に配分することは、コンテキスト情報が接続一時停止メッセージを通して一時停止されるときに、基地局が、再開アイデンティティ情報の全てまたは一部を端末に伝送すること、および／またはコンテキスト情報が接続解放メッセージを通して一時停止されるときに、基地局が、再開アイデンティティ情報の全てまたは一部を端末に伝送することを含む。
【００７５】
代替として、基地局が、端末によって伝送される、再開アイデンティティ情報を搬送する第４の要求メッセージを受信する前に、本方法はさらに、基地局が、第４の要求メッセージの伝送のために要求されるリソースを端末に配分することを含む。
【００７６】
代替として、基地局が、第４の要求メッセージの伝送のために要求されるリソースを端末に配分することは、以下：基地局が、端末に伝送されるランダムアクセス応答メッセージの中でリソースを示すことと、基地局が、端末に伝送される、チャネルフォーマットメッセージまたはランダムアクセス応答メッセージを搬送する媒体アクセス制御パッケージの中でリソースを示すこととのうちの少なくとも１つを含む。
【００７７】
代替として、第４の要求メッセージは、以下：再開要求メッセージ、または再開アイデンティティ情報を搬送するメッセージのうちの１つを備える。
【００７８】
代替として、再開アイデンティティ情報を搬送するメッセージは、以下：無線リソース制御（ＲＲＣ）接続要求メッセージ、およびＲＲＣ接続再確立要求メッセージのうちの少なくとも１つを備える
【００７９】
代替として、再開アイデンティティ情報は、以下：端末コンテキストアイデンティティ、グローバルセルアイデンティティ、物理的セルアイデンティティ、基地局アイデンティティ、および事前設定ビット長値のうちの少なくとも１つを備える。
【００８０】
代替として、端末コンテキストアイデンティティは、１６ビット値である。
【００８１】
代替として、グローバルセルアイデンティティは、以下：コンテキスト情報が一時停止されるときのセルのグローバルセルアイデンティティ、端末コンテキスト情報を記憶するセルのグローバルセルアイデンティティのうちの少なくとも１つを備える。
【００８２】
代替として、物理的セルアイデンティティは、以下：コンテキスト情報が一時停止されるときのセルの物理的セルアイデンティティ、端末コンテキスト情報を記憶するセルの物理的セルアイデンティティのうちの少なくとも１つを備える。
【００８３】
代替として、基地局アイデンティティは、以下：コンテキスト情報が一時停止されるときの基地局の基地局アイデンティティ、端末コンテキスト情報を記憶する基地局の基地局アイデンティティのうちの少なくとも１つを備える。
【００８４】
代替として、事前設定ビット長値は、以下：設定ビット長値、１６ビット〜４４ビットの間の長値のうちの少なくとも１つを備える。
【００８５】
本発明の別の実施形態はさらに、端末が、再開アイデンティティ情報を搬送する第４の要求メッセージを基地局に伝送することを含み、第４の要求メッセージは、端末とネットワークとの間の接続を再開するように基地局に要求するために使用され、再開アイデンティティ情報は、端末とネットワークとの間の接続を再開するために使用される、端末とネットワークとの間の接続処理のための方法を提供する。
【００８６】
代替として、端末が、再開アイデンティティ情報を搬送する第４の要求メッセージを基地局に伝送する前に、本方法はさらに、端末が、セルのシステムメッセージを読み取ることを通して、再開アイデンティティ情報を生成するために使用される情報の全てまたは一部を取得すること、または端末が再開アイデンティティ情報の全てまたは一部を構築すること、または端末が基地局によって配分される再開アイデンティティ情報の全てまたは一部を受信することを含む。
【００８７】
代替として、端末が、セルのシステムメッセージを読み取ることを通して、再開アイデンティティ情報を生成するために使用される情報の全てまたは一部を取得することは、端末がセルのシステムメッセージを読み取ることを通してグローバルセルアイデンティティを取得すること、および／または端末がセルのシステムメッセージを読み取ることを通して物理的セルアイデンティティを取得すること、および／または端末がセルのシステムメッセージを読み取ることを通して基地局アイデンティティを取得することを含む。
【００８８】
代替として、端末が、基地局によって配分される再開アイデンティティ情報の全てまたは一部を受信することは、コンテキスト情報が一時停止されるときに、端末が、基地局によって配分される再開アイデンティティ情報の全てまたは一部を受信することを含む。
【００８９】
代替として、コンテキスト情報が一時停止されるときに、端末が、基地局によって配分される再開アイデンティティ情報の全てまたは一部を受信することは、コンテキスト情報が一時停止されるときに、端末が、接続一時停止メッセージを通して、基地局によって配分される再開アイデンティティ情報の全てまたは一部を受信すること、および／またはコンテキスト情報が一時停止されるときに、端末が、接続解放メッセージを通して、基地局によって配分される再開アイデンティティ情報の全てまたは一部を受信することを含む。
【００９０】
代替として、端末が、再開アイデンティティ情報を搬送する第４の要求メッセージを基地局に伝送する前に、本方法はさらに、端末が、基地局によって配分される第４の要求メッセージの伝送のために要求されるリソースを受信することを含む。
【００９１】
代替として、端末が、基地局によって配分される第４の要求メッセージの伝送のために要求されるリソースを受信することは、端末がランダムアクセス応答メッセージの中で基地局によって示されるリソースを受信すること、および／または端末がチャネルフォーマットメッセージまたはランダムアクセス応答メッセージを搬送する媒体アクセス制御（ＭＡＣ）パッケージの中で基地局によって示されるリソースを受信することとを含む。
【００９２】
代替として、端末が、基地局によって配分される第４の要求メッセージの伝送のために要求されるリソースを受信した後、本方法はさらに、端末が、リソースに基づいて再開アイデンティティ情報を構築することを含む。
【００９３】
代替として、端末が、リソースに基づいて再開アイデンティティ情報を構築することは、端末が、異なるサイズのリソースに基づいて、異なる再開アイデンティティ情報を構築することを含む。
【００９４】
代替として、端末が、リソースに基づいて再開アイデンティティ情報を構築することは、端末が、再開アイデンティティ情報を構築するために端末コンテキストアイデンティティおよび事前設定情報を使用することを含み、事前設定情報は、以下：グローバルセルアイデンティティの全てまたは一部、物理的セルアイデンティティの全てまたは一部、基地局アイデンティティの全てまたは一部のうちの１つを備える。
【００９５】
代替として、第４の要求メッセージは、以下：再開要求メッセージ、または再開アイデンティティ情報を搬送するメッセージのうちの１つを備える。
【００９６】
代替として、再開アイデンティティ情報を搬送するメッセージは、以下：無線リソース制御（ＲＲＣ）接続要求メッセージ、およびＲＲＣ接続再確立要求メッセージのうちの少なくとも１つを備える。
【００９７】
代替として、再開アイデンティティ情報は、以下：端末コンテキストアイデンティティ、グローバルセルアイデンティティ、物理的セルアイデンティティ、基地局アイデンティティ、および事前設定ビット長値のうちの少なくとも１つを備える。
【００９８】
代替として、端末コンテキストアイデンティティは、１６ビット値である。
【００９９】
代替として、グローバルセルアイデンティティは、以下：コンテキスト情報が一時停止されるときのセルのグローバルセルアイデンティティ、端末コンテキスト情報を記憶するセルのグローバルセルアイデンティティのうちの少なくとも１つを備える。
【０１００】
代替として、物理的セルアイデンティティは、以下：コンテキスト情報が一時停止されるときのセルの物理的セルアイデンティティ、端末コンテキスト情報を記憶するセルの物理的セルアイデンティティのうちの少なくとも１つを備える。
【０１０１】
代替として、基地局アイデンティティは、以下：コンテキスト情報が一時停止されるときの基地局の基地局アイデンティティ、端末コンテキスト情報を記憶する基地局の基地局アイデンティティのうちの少なくとも１つを備える。
【０１０２】
代替として、事前設定ビット長値は、以下：設定ビット長値、１６ビット〜４４ビットの間の長値のうちの少なくとも１つを備える。
【０１０３】
本発明の別の実施形態はさらに、端末によって伝送される、再開アイデンティティ情報を搬送する第４の要求メッセージを受信するように構成される、第７の受信機モジュールであって、第４の要求メッセージは、端末とネットワークとの間の接続を再開するように基地局に要求するために使用される、第７の受信機モジュールと、再開アイデンティティ情報に基づいて端末との接続を再開するように構成される、第３の再開モジュールとを備える、基地局に適用可能である、端末とネットワーク接続処理装置を提供する。
【０１０４】
本発明の別の実施形態はさらに、再開アイデンティティ情報を搬送する第４の要求メッセージを基地局に伝送するように構成される、第７の伝送モジュールを備え、第４の要求メッセージは、端末とネットワークとの間の接続を再開するように基地局に要求するために使用され、再開アイデンティティ情報は、端末とネットワークとの間の接続を再開するために使用される、端末に適用可能である、端末とネットワーク接続処理装置を提供する。
【０１０５】
本発明の別の実施形態はさらに、上記で概説されるネットワークと端末との間の接続処理方法を達成するために使用される、実行可能命令を記憶することができる、コンピュータ記憶媒体を提供する。
【０１０６】
基地局が、端末によって伝送される、端末のアイデンティティ情報を搬送する第１の要求メッセージを受信し、端末アイデンティティ情報が、端末のアイデンティティを示すために使用され、第１の要求メッセージが、端末とネットワークとの間の接続を再開するように基地局に要求するために使用され、基地局が、端末アイデンティティ情報に合致するコンテキスト情報を検索し、基地局が、コンテキスト情報を見出すとき、端末との接続を再開するためにコンテキスト情報を使用し、接続再開を要求する端末が、すでに以前に基地局との接続を確立した可能性があり、基地局が、端末のコンテキスト情報を留保している場合があるため、基地局によって受信される要求メッセージは、端末との接続を優先的に再開するように基地局に命令することができる、接続要求メッセージを搬送し、基地局が、要求メッセージの中で搬送される端末アイデンティティ情報に基づいて、示された端末アイデンティティ情報に合致するコンテキスト情報が存在するかどうかを検索し、コンテキスト情報が見出された場合、基地局が、コンテキスト情報に基づいて、端末との接続を直接再開する、本発明の実施形態の実装は、関連技術における端末とネットワークとの間の複雑な接続処理の問題を解決し、端末とネットワークとの間の高速接続再開を達成する。これ以外にも、基地局は、本来のコンテキスト情報を利用し、それによって、接続確立プロシージャの反復実行を回避し、端末とネットワークとの間の接続処理の効率を向上させる。
【０１０７】
本明細書に説明される付随する図面は、本発明のさらなる理解を提供するために含まれ、本願の一部を構成する。概略的実施形態およびそれらの解説は、本発明を解説するために使用され、その請求項を限定する役割を果たすものではない。
【図面の簡単な説明】
【０１０８】
【図１】図１は、本発明の実施形態に基づく、端末とネットワークとの間の随意の接続処理方法のフローチャートである。
【図２】図２は、本発明の代替実施形態に基づく、端末とネットワークとの間の接続処理のための方法のフローチャートである。
【図３】図３は、本発明の代替実施形態に基づく、端末とネットワークとの間の接続処理のための方法の別のフローチャートである。
【図４】図４は、本発明の代替実施形態に基づく、端末とネットワークとの間の接続処理のための方法の別のフローチャートである。
【図５】図５は、本発明の実施形態の端末とネットワークとの間の接続処理の別の随意の方法に基づくフローチャートである。
【図６】図６は、本発明の代替実施形態に基づく、端末とネットワークとの間の接続処理のための方法の別のフローチャートである。
【図７】図７は、本発明の代替実施形態に基づく、端末とネットワークとの間の接続処理のための方法の別のフローチャートである。
【図８】図８は、本発明の代替実施形態に基づく、端末とネットワークとの間の接続処理のための方法の別のフローチャートである。
【図９】図９は、本発明の代替実施形態の端末とネットワークとの間の接続処理の別の随意の方法に基づくフローチャートである。
【図１０】図１０は、本発明の実施形態の端末とネットワークとの間の接続処理の別の随意の方法に基づくフローチャートである。
【図１１】図１１は、本発明の代替実施形態に基づく、端末とネットワークとの間の接続処理のための方法の別のフローチャートである。
【図１２】図１２は、本発明の代替実施形態に基づく、端末とネットワークとの間の接続処理のための方法の別のフローチャートである。
【図１３】図１３は、本発明の代替実施形態に基づく、端末とネットワークとの間の接続処理のための方法の別のフローチャートである。
【図１４】図１４は、本発明の代替実施形態に基づく、端末とネットワークとの間の接続処理のための方法の別のフローチャートである。
【図１５】図１５は、本発明の代替実施形態に基づく、端末とネットワークとの間の接続処理のための方法の別のフローチャートである。
【図１６】図１６は、本発明の実施形態の端末とネットワークとの間の接続処理の別の随意の方法に基づくフローチャートである。
【図１７】図１７は、本発明の代替実施形態に基づく、端末とネットワークとの間の接続処理のための方法の別のフローチャートである。
【図１８】図１８は、本発明の代替実施形態に基づく、端末とネットワークとの間の接続処理のための方法の別のフローチャートである。
【図１９】図１９は、本発明の実施形態の随意の端末・ネットワーク接続処理装置に基づく構造ブロック図である。
【図２０】図２０は、本発明の実施形態の別の随意の端末・ネットワーク接続処理装置に基づく構造ブロック図である。
【図２１】図２１は、本発明の実施形態の別の随意の端末・ネットワーク接続処理装置に基づく構造ブロック図である。
【図２２】図２２は、本発明の実施形態の別の随意の端末・ネットワーク接続処理装置に基づく構造ブロック図である。
【図２３】図２３は、本発明の実施形態の別の随意の端末・ネットワーク接続処理装置に基づく構造ブロック図である。
【図２４】図２４は、本発明の実施形態の端末とネットワークとの間の接続処理の別の随意の方法に基づくフローチャートである。
【図２５】図２５は、本発明の代替実施形態に基づく、端末とネットワークとの間の接続処理のための方法の別のフローチャートである。
【図２６】図２６は、本発明の代替実施形態に基づく、端末とネットワークとの間の接続処理のための方法の別のフローチャートである。
【図２７】図２７は、本発明の代替実施形態に基づく、端末とネットワークとの間の接続処理のための方法の別のフローチャートである。
【図２８】図２８は、本発明の代替実施形態に基づく、端末とネットワークとの間の接続処理のための方法の別のフローチャートである。
【図２９】図２９は、本発明の実施形態の別の随意の端末・ネットワーク接続処理装置に基づく構造ブロック図である。
【発明を実施するための形態】
【０１０９】
（詳細な説明）
本発明は、以降で、付随する図面および実施形態を参照して詳細に説明されるであろう。本願の実施形態およびその特徴は、矛盾しない様式で組み合わせられ得ることに留意されたい。
【０１１０】
本発明の解説、請求項、および付随する図面の中の「第１の」、「第２の」等の用語は、同様のオブジェクトを区別するためだけに使用され、動作の具体的順序または順番を説明するために使用される必要がないことに留意されたい。
【０１１１】
実施形態１
本実施形態は、端末とネットワークとの間の接続処理のための方法を提供する。図１は、本発明の実施形態に基づく、端末とネットワークとの間の随意の接続処理方法のフローチャートである。図１が示すように、プロシージャは、以下のステップを含む。
【０１１２】
ステップＳ１０２で、基地局は、端末によって伝送される、端末アイデンティティ情報を搬送する第１の要求メッセージを受信し、端末アイデンティティ情報は、端末のアイデンティティを示すために使用され、第１の要求メッセージは、端末とネットワークとの間の接続を再開するように基地局に要求するために使用される。
【０１１３】
ステップＳ１０４で、基地局は、端末アイデンティティ情報に合致するコンテキスト情報を検索する。
【０１１４】
ステップＳ１０６で、基地局がコンテキスト情報を見出すとき、端末との接続を再開するためにコンテキスト情報を使用する。
【０１１５】
代替として、上記のステップは、無線接続に、またはユーザプレーン最適化シナリオに、特に、ＮＢ−ＩｏＴ技術を用いて、ユーザプレーン最適化モードが採用されるとき、基地局と端末との間のＲＲＣ接続が再開されるシナリオ等のＲＲＣ接続再開シナリオに適用されることができる。
【０１１６】
接続再開を要求する端末が、すでに以前に基地局との接続を確立した可能性があり、基地局が、端末のコンテキスト情報を留保している場合があるため、基地局によって受信される要求メッセージは、端末との接続を優先的に再開するように基地局に命令することができる、接続要求メッセージを搬送し、基地局は、要求メッセージの中で搬送される端末アイデンティティ情報に基づいて、示された端末アイデンティティ情報に合致するコンテキスト情報が存在するかどうかを検索し、コンテキスト情報が見出された場合、基地局は、コンテキスト情報に基づいて、端末との接続を直接再開し、上記のステップの実装は、それによって、関連技術における端末とネットワークとの間の複雑な接続処理の問題を解決し、端末とネットワークとの間の高速接続再開を達成する。これ以外にも、基地局は、本来のコンテキスト情報を利用し、それによって、接続確立フローの反復実行を回避し、端末とネットワークとの間の接続処理の効率を向上させる。
【０１１７】
本実施形態内で、端末アイデンティティ情報は、以下：初期端末アイデンティティ情報、再開アイデンティティ情報のうちの少なくとも１つを備えることができるが、それに限定されず、初期端末アイデンティティ情報は、初期端末アイデンティティまたは初期端末アイデンティティを生成するために使用される情報を備え、再開アイデンティティ情報は、再開アイデンティティまたは再開アイデンティティを生成するために使用される情報を備える。
【０１１８】
以下は、実施例の使用を通して端末アイデンティティ情報を説明する。
【０１１９】
端末アイデンティティ情報は、初期確立アイデンティティおよび再開アイデンティティを直接搬送することができ、それはまた、接続を再開する必要性に基づいて、初期確立アイデンティティおよび再開アイデンティティを生成することが可能な情報を搬送することもできる。例えば、初期確立アイデンティティが、第１のビット値の初期確立アイデンティティ値および第２のビット値の擬似ランダムコードから成り、再開アイデンティティが、第３のビット値の再開アイデンティティ値および第４のビット値の擬似ランダムコードから成ると仮定されたい。１つのタイプの端末アイデンティティ情報は、複合初期確立アイデンティティおよび複合再開アイデンティティを搬送することができ、別のタイプの端末アイデンティティ情報は、第１のビット値の初期確立アイデンティティ値、第２のビット値の擬似ランダムコード、第３のビット値の再開アイデンティティ値、および第４のビット値の擬似ランダムコードを直接搬送することができる。インジケーションに基づいて、第１のビット値の初期確立値および第２のビット値の擬似ランダムコードは、初期確立アイデンティティを構成し、またはインジケーションに基づいて、第３のビット値の再開アイデンティティ値および第４のビット値の擬似ランダムコードは、再開アイデンティティを構成する。
【０１２０】
代替として、ステップＳ１０４の後に、基地局がコンテキスト情報を見出していないとき、近隣基地局からコンテキスト情報を取得し、近隣基地局内で取得されるコンテキスト情報を使用して、端末との接続を再開することができる。基地局がコンテキスト情報を見出していないとき、基地局はさらに、端末との接続を確立するために端末アイデンティティ情報を使用することができる。
【０１２１】
代替として、第１の要求メッセージは、以下：再開要求メッセージ、接続再開インジケーションを搬送するメッセージのうちの１つを備えることができるが、それに限定されない。
【０１２２】
代替として、接続再開インジケーションを搬送するメッセージは、以下：ＲＲＣ接続要求メッセージ、およびＲＲＣ接続再確立要求メッセージのうちの少なくとも１つを備えることができるが、それに限定されない。
【０１２３】
代替として、ステップＳ１０４では、第１の要求メッセージによってトリガされるとき、基地局は、再開アイデンティティ情報に合致するコンテキスト情報を優先的に検索することができ、その後、基地局がコンテキスト情報を見出していない場合、初期端末アイデンティティ情報に基づいて端末とのＲＲＣ接続を確立することができる。
【０１２４】
代替として、ステップＳ１０４の後、基地局がコンテキスト情報を見出していないとき、さらに、拒否メッセージを端末に伝送することができ、拒否メッセージは、拒否原因値またはインジケーション情報を搬送し、インジケーション情報は、端末がネットワークとの接続を再確立するかどうかを判定するために使用される。
【０１２５】
本実施形態内で、拒否メッセージは、以下：ＲＲＣ接続拒否メッセージ、ＲＲＣ再確立拒否メッセージ、ＲＲＣ接続再開拒否メッセージのうちの少なくとも１つを備えることができるが、それに限定されない。
【０１２６】
本実施形態内で、初期端末アイデンティティは、４１ビットを超えない長さを伴うアイデンティティ情報を備えることができるが、それに限定されず、初期端末アイデンティティを生成するために使用される情報は、以下：ＳＡＥ−一時モバイルサブスクライバアイデンティティ（Ｓ−ＴＭＳＩ）、モバイル管理エンティティ（ＭＭＥ）アイデンティティＭＭＥＣ、ＭＭＥユーザ一意アイデンティティコードｍ−ＴＭＳＩ、セルアイデンティティ、一意の端末アイデンティティ番号Ｃ−ＲＮＴＩ、ＳｈｏｒｔＭａｃ−Ｉ情報、３２ビットを超えない長さを伴う乱数のうちの少なくとも１つを備えることができるが、それに限定されず、再開アイデンティティは、４１ビットを超えない長さを伴うアイデンティティ情報を備えることができるが、それに限定されず、再開アイデンティティに使用される情報は、以下：ＳＡＥ−一時モバイルサブスクライバアイデンティティ（Ｓ−ＴＭＳＩ）、モバイル管理エンティティ（ＭＭＥ）アイデンティティＭＭＥＣ、ＭＭＥユーザ一意アイデンティティコードｍ−ＴＭＳＩ、セルアイデンティティ、一意の端末アイデンティティ番号Ｃ−ＲＮＴＩ、ＳｈｏｒｔＭａｃ−Ｉ情報、３２ビットを超えない長さを伴う乱数のうちの少なくとも１つを備えることができるが、それに限定されない。
【０１２７】
本実施形態はさらに、端末とネットワークとの間の接続処理のための方法を提供し、本方法は、以下のステップ：端末が、端末アイデンティティ情報を搬送する第１の要求メッセージを基地局に伝送することを含み、端末アイデンティティ情報は、端末のアイデンティティを示すために使用され、第１の要求メッセージは、端末とネットワークとの間の接続を再開するように基地局に要求するために使用される。
【０１２８】
代替として、既存のＲＲＣ接続確立フローのメッセージは、端末とネットワークとの間のエアインターフェース再開フローを実行するために使用されることができる。
【０１２９】
代替として、第１の要求メッセージは、端末アイデンティティとして作用する、初期確立アイデンティティおよび再開アイデンティティを同時に搬送し得る、ＲＲＣ接続要求であることができる。基地局は、再開インジケーションに基づいて、再開アイデンティティを優先的に使用することができるが、それに限定されない。
【０１３０】
代替として、再開アイデンティティは、Ｃ−ＲＮＴＩおよびセルアイデンティティ（ＩＤ）情報の組み合わせであることができる。
【０１３１】
代替として、新しい接続再開インジケーション、例えば、再開アイデンティティ情報の優先的使用を示す、接続再開インジケーションが、ＲＲＣ接続要求に追加されることができる。
【０１３２】
以下は、実装の随意のモードに基づく、本実施形態の接続処理プロシージャを説明する。図２は、本発明の代替実施形態に基づく、端末とネットワークとの間の接続処理のための方法のフローチャートである。図２に示されるように、プロシージャは、以下のステップを含む。
【０１３３】
ステップＳ２０２で、メッセージ１は、端末と基地局との間のランダムアクセスプリアンブル伝送である。
【０１３４】
ステップＳ２０４で、基地局は、メッセージ２：ランダムアクセス応答を端末に伝送する。
【０１３５】
ステップＳ２０６で、基地局は、端末によって伝送される要求メッセージ（上記で概説される第１の要求メッセージと同等である）を受信し、要求メッセージは、初期端末アイデンティティ（例えば、Ｓ−ＴＭＳＩ）および／または再開アイデンティティ（Ｒｅｓｕｍｅ  ＩＤ）を搬送することができる。
【０１３６】
ステップＳ２０８で、基地局は、要求メッセージに基づいてＵＥコンテキスト情報を再開する。
【０１３７】
図３は、本発明の代替実施形態に基づく、端末とネットワークとの間の接続処理のための方法の別のフローチャートである。図３に示されるように、プロシージャは、以下のステップを含む。
【０１３８】
ステップＳ３０２で、メッセージ１は、端末と基地局との間のランダムアクセスプリアンブル伝送である。
【０１３９】
ステップＳ３０４で、基地局は、メッセージ２：ランダムアクセス応答を端末に伝送する。
【０１４０】
ステップＳ３０６で、基地局は、端末によって伝送される要求メッセージ（上記で概説される第１の要求メッセージと同等である）を受信し、要求メッセージは、初期端末アイデンティティ（例えば、Ｓ−ＴＭＳＩ）および／または再開アイデンティティ（Ｒｅｓｕｍｅ  ＩＤ）を搬送することができる。
【０１４１】
ステップＳ３０８で、基地局は、要求メッセージに基づいてＵＥコンテキスト情報を再開する。
【０１４２】
ステップＳ３１０で、基地局は、再開成功を示すために使用される応答メッセージを端末に伝送する。
【０１４３】
図４は、本発明の代替実施形態に基づく、端末とネットワークとの間の接続処理のための方法の別のフローチャートである。図４が示すように、プロシージャは、以下のステップを含む。
【０１４４】
ステップＳ４０２で、メッセージ１は、端末と基地局との間のランダムアクセスプリアンブル伝送である。
【０１４５】
ステップＳ４０４で、基地局は、メッセージ２：ランダムアクセス応答を端末に伝送する。
【０１４６】
ステップＳ４０６で、基地局は、端末によって伝送される要求メッセージ（上記で概説される第１の要求メッセージと同等である）を受信し、要求メッセージは、初期端末アイデンティティ（例えば、Ｓ−ＴＭＳＩ）および／または再開アイデンティティ（Ｒｅｓｕｍｅ  ＩＤ）を搬送することができる。
【０１４７】
ステップＳ４０８で、基地局は、要求メッセージに基づいてＵＥコンテキスト情報を再開する。
【０１４８】
ステップＳ４１０で、基地局は、ネットワーク側から、Ｓ１インターフェースリソースを再開する要求メッセージを要求し、要求メッセージは、初期端末アイデンティティ（例えば、Ｓ−ＴＭＳＩ）を搬送することができるが、それに限定されない。
【０１４９】
ステップＳ４１２で、基地局は、再開失敗を示すために使用される応答メッセージを端末に伝送し、応答メッセージはさらに、接続を再確立するように端末に命令するメッセージを搬送することができる。
【０１５０】
ステップＳ４１４で、基地局は、ネットワーク側のＳ１インターフェースリソースを再開する応答メッセージを受信する。
【０１５１】
上記の実施形態の説明を通して、上記の方法は、ソフトウェアおよび必要なユニバーサルハードウェアプラットフォームを使用して実装されることができ、また、ハードウェアを伴って実装されることもできるが、多くの状況に関して、前者の実装モードが理想的であることが、当業者に明白であろう。本理解に基づいて、本発明の技術的ソリューション自体、または既存の技術に寄与するであろうその部分は、端末デバイス（例えば、電話、コンピュータ、サーバ、またはネットワークデバイス等）に本実施形態の各方法を実行させるために使用される、いくつかの命令を備える、記憶媒体（例えば、ＲＯＭ／ＲＡＭ、磁気ディスク、光ディスク）上に記憶されたコンピュータソフトウェア製品の形態で具現化されることができる。
【０１５２】
実施形態２
本実施形態は、端末とネットワークとの間の接続処理のための方法を提供する。図５は、本発明の実施形態の端末とネットワークとの間の接続処理の別の随意の方法に基づくフローチャートである。図５に示されるように、プロシージャは、以下のステップを含む。
【０１５３】
ステップＳ５０２で、基地局は、端末によって伝送される、データ伝送モード情報を搬送する第２の要求メッセージを受信し、データ伝送モード情報は、端末のデータ伝送モードを示すために使用される。
【０１５４】
ステップＳ５０４で、基地局は、データ伝送モード情報に基づいて、端末とネットワークとの間の接続のためのリソースを構成する。
【０１５５】
代替として、データ伝送モード情報は、以下：ユーザプレーン最適化モード情報、制御プレーン最適化モード情報のうちの少なくとも１つを備えることができるが、それに限定されない。
【０１５６】
代替として、基地局は、以下：基地局がデータ伝送モード情報に基づいて無線リソースを構成すること、基地局がデータ伝送モード情報に基づいてネットワーク要素を構成すること、基地局がデータ伝送モード情報に基づいてネットワークインターフェースリソースを構成することのうちの少なくとも１つに基づいて、端末とネットワークとの間の接続のためのリソースを構成することができる。
【０１５７】
代替として、基地局は、以下のモード：基地局が端末とネットワークとの間の接続の無線リソースのためにシグナリング無線ベアラの特徴を構成すること、基地局が端末とネットワークとの間の接続の無線リソースのためにデータ無線ベアラの特徴を構成することのうちの少なくとも１つに基づいて、無線リソースを構成することができる。
【０１５８】
代替として、シグナリング無線ベアラの特徴は、以下：パケットデータ収束プロトコル（ＰＤＣＰ）プロトコル層を含むかどうか、透過モードＰＤＣＰプロトコル層を使用するかどうか、ＰＤＣＰプロトコルヘッダを含むかどうか、ＰＤＣＰシーケンス番号を含むかどうか、安全性情報を含むかどうかのうちの少なくとも１つを備えることができるが、それに限定されない。
【０１５９】
データ無線ベアラの特徴は、以下：ＰＤＣＰプロトコル層を含むかどうか、透過モードＰＤＣＰプロトコル層を使用するかどうか、ＰＤＣＰプロトコルヘッダを含むかどうか、ＰＤＣＰシーケンス番号を含むかどうか、安全性情報を含むかどうかのうちの少なくとも１つを備えることができるが、それに限定されない。
【０１６０】
代替として、ユーザプレーン最適化モード情報は、以下の接続：ユーザプレーン最適化モード開始コールデータ、ユーザプレーン最適化モード開始コールシグナリング、ユーザプレーン最適化モード開始コール異常報告、ユーザプレーン最適化受信コールデータ、ユーザプレーン最適化モード受信コールシグナリング、ユーザプレーン最適化モード受信コール異常報告のうちの少なくとも１つを通した、確立原因インジケーションであることができるが、それに限定されず、制御プレーン最適化モードのデータ伝送モード情報は、以下の接続：制御プレーン最適化モード開始コールデータ、制御プレーン最適化モード開始コールシグナリング、制御プレーン最適化モード開始コール異常報告、制御プレーン最適化モード受信コールデータ、制御プレーン最適化モード受信コールシグナリング、制御プレーン最適化モード受信コール異常報告のうちの少なくとも１つを通した、確立原因インジケーションであることができるが、それに限定されない。
【０１６１】
代替として、基地局が、端末とネットワークとの間の接続の無線リソースのためにシグナリング無線ベアラの特徴を構成することは、データ伝送モード情報が制御プレーン最適化モードの開始コールデータまたは受信コールデータであるとき、端末とネットワークとの間の接続の無線リソースのために基地局によって構成されるシグナリング無線ベアラが、ＰＤＣＰプロトコルヘッダを備えない場合があることを含み、基地局が、端末とネットワークとの間の接続の無線リソースのためにシグナリング無線ベアラの特徴を構成することは、データ伝送モード情報が制御プレーン最適化モードの開始コールデータおよび受信コールデータ以外の情報であるとき、端末とネットワークとの間の接続の無線リソースのために基地局によって構成されるシグナリング無線ベアラが、ＰＤＣＰプロトコルヘッダを備え得ることを含む。
【０１６２】
代替として、基地局が、データ伝送モード情報に基づいて端末とネットワークとの間の接続のためにリソースを構成した後、基地局は、通知メッセージを通して、端末とネットワークとの間の接続のために構成されるリソースについて端末に通知することができる。
【０１６３】
本実施形態はさらに、端末とネットワークとの間の接続処理のための方法を提供し、本方法は、以下のステップ：端末が、データ伝送モード情報を搬送する第２の要求メッセージを基地局に伝送することを含み、データ伝送モード情報は、端末のデータ伝送モードを示すために使用される。
【０１６４】
以下は、実装の随意のモードに基づいて、本実施形態の接続処理プロシージャを説明する。図６は、本発明の代替実施形態に基づく、端末とネットワークとの間の接続処理のための方法の別のフローチャートである。図６が示すように、プロシージャは、以下のステップを含む。
【０１６５】
ステップＳ６０２で、端末は、非アクセス層サービス要求を処理する。
【０１６６】
ステップＳ６０４で、メッセージ１は、端末と基地局との間のランダムアクセスプリアンブル伝送である。
【０１６７】
ステップＳ６０６で、基地局は、メッセージ２：ランダムアクセス応答を端末に伝送する。
【０１６８】
ステップＳ６０８で、基地局は、端末によって伝送されるデータ伝送モード情報（例えば、Ｃｐ−ｍｏ−ｄａｔａ）を搬送する要求メッセージ（上記で概説される第２の要求メッセージと同等である）を受信する。
【０１６９】
ステップＳ６１０で、基地局は、要求メッセージ応答メッセージを端末（例えば、ＰＤＣＰを搬送しないシグナリング無線ベアラ１（ＳＲＢ１））に伝送する。
【０１７０】
図７は、本発明の代替実施形態に基づく、端末とネットワークとの間の接続処理のための方法の別のフローチャートである。図７が示すように、プロシージャは、以下のステップを含む。
【０１７１】
ステップＳ７０２で、端末は、非アクセス層サービス要求を処理する。
【０１７２】
ステップＳ７０４で、メッセージ１は、端末と基地局との間のランダムアクセスプリアンブル伝送である。
【０１７３】
ステップＳ７０６で、基地局は、メッセージ２：ランダムアクセス応答を端末に伝送する。
【０１７４】
ステップＳ７０８で、基地局は、端末によって伝送されるデータ伝送モード情報（例えば、ＵＰ−ｍｏ−ｄａｔａ）を搬送する要求メッセージ（上記で概説される第２の要求メッセージと同等である）を受信する。
【０１７５】
ステップＳ７１０で、基地局は、要求メッセージ応答メッセージを端末（例えば、ＰＤＣＰを搬送するシグナリング無線ベアラ１（ＳＲＢ１））に伝送する。
【０１７６】
図８は、本発明の代替実施形態に基づく、端末とネットワークとの間の接続処理のための方法の別のフローチャートである。図８に示されるように、プロシージャは、以下のステップを含む。
【０１７７】
ステップＳ８０２で、端末は、非アクセス層サービス要求を処理する。
【０１７８】
ステップＳ８０４で、メッセージ１は、端末と基地局との間のランダムアクセスプリアンブル伝送である。
【０１７９】
ステップＳ８０６で、基地局は、メッセージ２：ランダムアクセス応答を端末に伝送する。
【０１８０】
ステップＳ８０８で、基地局は、端末によって伝送されるデータ伝送モード情報（例えば、Ｃｐ−ｍｏ−ｄａｔａ）を搬送する要求メッセージ（上記で概説される第２の要求メッセージと同等である）を受信する。
【０１８１】
ステップＳ８１０で、基地局は、要求メッセージ応答メッセージを端末（例えば、ＰＤＣＰを搬送するシグナリング無線ベアラ１（ＳＲＢ１））に伝送する。
【０１８２】
実施形態３
本実施形態は、端末とネットワークとの間の接続処理のための方法を提供する。図９は、本発明の代替実施形態の端末とネットワークとの間の接続処理の別の随意の方法に基づくフローチャートである。図９に示されるように、プロシージャは、以下のステップを含む。
【０１８３】
ステップＳ９０２で、端末は、基地局が端末との接続を確立または再開することを示す、基地局によって伝送される第１の応答メッセージを受信する。
【０１８４】
ステップＳ９０４で、端末は、第１の応答メッセージの中で搬送される無線リソースインジケーションに基づいて、無線リソース構成を実装するモードを判定する。
【０１８５】
代替として、ステップＳ９０４では、第１の応答メッセージが、無線リソース構成インジケーションを備えず、空の無線リソース構成を備えるとき、端末は、ローカルに記憶された無線リソース構成を使用し、または第１の応答メッセージが、無線リソース構成インジケーションを備えず、空の無線リソース構成を備えないとき、端末は、ローカルに記憶された無線リソース構成および／または第１の応答メッセージの中に含有される無線リソース構成に基づいて生成される、無線リソース構成を使用する。
【０１８６】
実施形態４
本実施形態は、端末とネットワークとの間の接続処理のための方法を提供する。図１０は、本発明の実施形態の端末とネットワークとの間の接続処理の別の随意の方法に基づくフローチャートである。図１０が示すように、プロシージャは、以下のステップを含む。
【０１８７】
ステップＳ１００２で、端末は、ＲＲＣ接続プロセス完了を示すために使用される、端末アイデンティティ情報を搬送するメッセージを基地局に伝送し、端末アイデンティティ情報は、端末のアイデンティティを示すために使用される。
【０１８８】
代替として、端末アイデンティティ情報は、端末アイデンティティまたは端末アイデンティティを生成するために使用される情報を備えることができる。
【０１８９】
代替として、端末アイデンティティは、４１ビットを超えない長さを伴うアイデンティティ情報を備えることができるが、それに限定されず、端末アイデンティティを生成するために使用される情報は、以下：ＳＡＥ−一時モバイルサブスクライバアイデンティティ、モバイル管理エンティティ（ＭＭＥ）コードＭＭＥＣ、ＭＭＥユーザ一意アイデンティティ番号ｍ−ＴＭＳＩ、セルアイデンティティ、物理的セルアイデンティティ、一意の端末アイデンティティ番号Ｃ−ＲＮＴＩ、ＳｈｏｒｔＭＡＣ−Ｉ情報、３２ビットを超えない長さを伴う乱数のうちの少なくとも１つを備えることができるが、それに限定されない。
【０１９０】
代替として、ステップＳ１００２の前に、端末は、基地局が端末との接続を確立または再開することを示す、基地局によって伝送される第２の応答メッセージを受信することができ、第２の応答メッセージインジケーションに基づいて、ＲＲＣ接続プロセス完了を示すメッセージを基地局に伝送するかどうかを判定することができる。
【０１９１】
代替として、第２の応答メッセージが、ＲＲＣ接続プロセス完了を示すために使用されるメッセージを伝送するかどうかを示す命令を明示的に備えるとき、端末は、命令に基づいて、ＲＲＣ接続プロセス完了を示すために使用されるメッセージを基地局に伝送するかどうかを判定する。
【０１９２】
代替として、第２の応答メッセージが、ＲＲＣ接続プロセス完了を示すために使用されるメッセージを伝送するかどうかを示す命令を明示的に備えず、第２の応答メッセージが、空の無線リソース構成を備えるとき、端末は、ＲＲＣ接続プロセス完了を示すために使用されるメッセージを基地局に伝送しないこと、または第２の応答メッセージが、ＲＲＣ接続プロセス完了を示すために使用されるメッセージを伝送するかどうかを示す命令を明示的に備えず、第２の応答メッセージが、空ではない無線リソース構成を備えるとき、端末は、ＲＲＣ接続プロセス完了を示すために使用されるメッセージを基地局に伝送する。
【０１９３】
代替として、第２の応答メッセージが、ＲＲＣ接続プロセス完了を示すために使用されるメッセージを伝送するかどうかを示す命令を明示的に備えず、第２の応答メッセージが、空ではない無線リソース構成を備えるとき、ＲＲＣ接続プロセス完了を示すために使用されるメッセージは、応答メッセージを備える、無線リソース構成に向けた端末の処理結果を搬送する。
【０１９４】
以下は、実装の随意のモードに基づく、本実施形態の接続処理フローを説明する。図１１は、本発明の代替実施形態に基づく、端末とネットワークとの間の接続処理のための方法の別のフローチャートである。図１１に示されるように、プロシージャは、以下のステップを含む。
【０１９５】
ステップＳ１１０２で、メッセージ１は、端末と基地局との間のランダムアクセスプリアンブル伝送である。
【０１９６】
ステップＳ１１０４で、基地局は、メッセージ２：ランダムアクセス応答を端末に伝送する。
【０１９７】
ステップＳ１１０６で、基地局は、端末によって伝送されるデータ端末アイデンティティ情報を搬送する要求メッセージを受信する。
【０１９８】
ステップＳ１１０８で、端末は、基地局によって伝送される、基地局が端末との接続を確立または再開することを示す、第２の応答メッセージを受信し、第２の応答メッセージは、空の無線リソース構成を備える。
【０１９９】
図１２は、本発明の代替実施形態に基づく、端末とネットワークとの間の接続処理のための方法の別のフローチャートである。図１２に示されるように、プロシージャは、以下のステップを含む。
【０２００】
ステップＳ１２０２で、メッセージ１は、端末と基地局との間のランダムアクセスプリアンブル伝送である。
【０２０１】
ステップＳ１２０４で、基地局は、メッセージ２：ランダムアクセス応答を端末に伝送する。
【０２０２】
ステップＳ１２０６で、基地局は、端末によって伝送される、端末アイデンティティ情報を搬送する要求メッセージを受信する。
【０２０３】
ステップＳ１２０８で、端末は、基地局によって伝送される、基地局が端末との接続を確立または再開することを示す、第２の応答メッセージを受信し、第２の応答メッセージは、空ではない無線リソース構成を備える。
【０２０４】
ステップＳ１２１０で、端末は、ＲＲＣ接続プロセス完了を示すために使用されるメッセージを基地局に伝送する。
【０２０５】
図１３は、本発明の代替実施形態に基づく、端末とネットワークとの間の接続処理のための方法の別のフローチャートである。図１３に示されるように、プロシージャは、以下のステップを含む。
【０２０６】
ステップＳ１３０２で、メッセージ１は、端末と基地局との間のランダムアクセスプリアンブル伝送である。
【０２０７】
ステップＳ１３０４で、基地局は、メッセージ２：ランダムアクセス応答を端末に伝送する。
【０２０８】
ステップＳ１３０６で、基地局は、端末によって伝送される、端末アイデンティティ情報を搬送する要求メッセージを受信する。
【０２０９】
ステップＳ１３０８で、端末は、ＲＲＣ接続プロセス完了を示すために使用されるメッセージを伝送しないことを示すために使用される、命令を明示的に備える、基地局によって伝送される、基地局が端末との接続を確立または再開することを示す、第２の応答メッセージを受信する。
【０２１０】
図１４は、本発明の代替実施形態に基づく、端末とネットワークとの間の接続処理のための方法の別のフローチャートである。図１４に示されるように、プロシージャは、以下のステップを含む。
【０２１１】
ステップＳ１４０２で、メッセージ１は、端末と基地局との間のランダムアクセスプリアンブル伝送である。
【０２１２】
ステップＳ１４０４で、基地局は、メッセージ２：ランダムアクセス応答を端末に伝送する。
【０２１３】
ステップＳ１４０６で、基地局は、端末によって伝送される、端末アイデンティティ情報を搬送する要求メッセージを受信する。
【０２１４】
ステップＳ１４０８で、基地局によって伝送される、基地局が端末との接続を確立または再開することを示す、端末によって受信される第２の応答メッセージは、ＲＲＣ接続プロセス完了を示すために使用されるメッセージを伝送するかどうかを示す命令を明示的に備えず、第２の応答メッセージは、空ではない無線リソース構成を備える。
【０２１５】
ステップＳ１４１０で、端末は、ＲＲＣ接続プロセス完了を示すために使用されるメッセージを基地局に伝送する。
【０２１６】
図１５は、本発明の代替実施形態に基づく、端末とネットワークとの間の接続処理のための方法の別のフローチャートである。図１５に示されるように、プロシージャは、以下のステップを含む。
【０２１７】
ステップＳ１５０２で、メッセージ１は、端末と基地局との間のランダムアクセスプリアンブル伝送である。
【０２１８】
ステップＳ１５０４で、基地局は、メッセージ２：ランダムアクセス応答を端末に伝送する。
【０２１９】
ステップＳ１５０６で、基地局は、端末によって伝送される、端末アイデンティティ情報を搬送する要求メッセージを受信する。
【０２２０】
ステップＳ１５０８で、基地局によって伝送される、基地局が端末との接続を確立または再開することを示す、端末によって受信される第２の応答メッセージは、ＲＲＣ接続プロセス完了を示すために使用されるメッセージを伝送することを示す命令を明示的に備える。
【０２２１】
ステップＳ１５１０で、端末は、ＲＲＣ接続プロセス完了を示すために使用されるメッセージを基地局に伝送する。
【０２２２】
実施形態５
本実施形態は、端末とネットワークとの間の接続処理のための方法を提供する。図１６は、本発明の実施形態の端末とネットワークとの間の接続処理の別の随意の方法に基づくフローチャートである。図１６に示されるように、プロシージャは、以下のステップを含む。
【０２２３】
ステップＳ１６０２で、基地局は、端末によって伝送される、端末アイデンティティ情報を搬送する第３の要求メッセージを受信し、端末アイデンティティ情報は、端末のアイデンティティを示すために使用され、第３の要求メッセージは、端末とネットワークとの間の接続を確立または再開するように基地局に要求するために使用される。
【０２２４】
ステップＳ１６０４で、基地局は、第３の要求メッセージインジケーションに基づいて、端末との接続を確立または再開するようにネットワーク側に通知する。
【０２２５】
代替として、端末アイデンティティ情報は、以下：初期端末アイデンティティ情報、再開アイデンティティ情報のうちの少なくとも１つを備えることができるが、それに限定されず、初期確立アイデンティティ情報は、初期端末アイデンティティまたは初期端末アイデンティティを生成するために使用される情報を備え、再開アイデンティティ情報は、再開アイデンティティまたは再開アイデンティティを生成するために使用される情報を備える。
【０２２６】
代替として、初期端末アイデンティティは、４１ビットを超えない長さを伴うアイデンティティ情報を備えることができるが、それに限定されず、初期端末アイデンティティを生成するために使用される情報は、以下：ＳＡＥ−一時モバイルサブスクライバアイデンティティ（Ｓ−ＴＭＳＩ）、モバイル管理エンティティ（ＭＭＥ）アイデンティティＭＭＥＣ、ＭＭＥユーザ一意アイデンティティコードｍ−ＴＭＳＩ、セルアイデンティティ、一意の端末アイデンティティ番号Ｃ−ＲＮＴＩ、ＳｈｏｒｔＭａｃ−Ｉ情報、３２ビットを超えない長さを伴う乱数のうちの少なくとも１つを備えることができるが、それに限定されず、再開アイデンティティは、４１ビットを超えない長さを伴うアイデンティティ情報を備えることができるが、それに限定されず、再開アイデンティティに使用される情報は、以下：ＳＡＥ−一時モバイルサブスクライバアイデンティティ（Ｓ−ＴＭＳＩ）、モバイル管理エンティティ（ＭＭＥ）アイデンティティＭＭＥＣ、ＭＭＥユーザ一意アイデンティティコードｍ−ＴＭＳＩ、セルアイデンティティ、一意の端末アイデンティティ番号Ｃ−ＲＮＴＩ、ＳｈｏｒｔＭａｃ−Ｉ情報、３２ビットを超えない長さを伴う乱数のうちの少なくとも１つを備えることができるが、それに限定されない。
【０２２７】
代替として、ステップＳ１６０４では、基地局は、第３の要求メッセージに基づいて、端末との接続を確立または再開するようにネットワーク側に通知し、再開アイデンティティ情報に合致するコンテキスト情報を取得することができる。
【０２２８】
代替として、基地局が、第３の要求メッセージに基づいて、再開アイデンティティ情報に合致するコンテキスト情報を取得するプロセスは、基地局が再開アイデンティティ情報に合致するコンテキスト情報を検索すること、または基地局が近隣基地局内から再開アイデンティティ情報に合致するコンテキスト情報を検索することであることができる。
【０２２９】
代替として、第３の要求メッセージはさらに、再開インジケーションを備えることができ、再開インジケーションは、基地局との接続の再開を示すために使用される。
【０２３０】
代替として、基地局が、第３の要求メッセージに基づいて、再開アイデンティティ情報に合致するコンテキスト情報を取得するプロセスはさらに、再開インジケーションまたは再開要求メッセージによってトリガされたとき、基地局が、再開アイデンティティ情報に合致するコンテキスト情報を検索すること、または再開インジケーションまたは再開要求メッセージによってトリガされたとき、基地局が、近隣基地局内から再開アイデンティティに合致するコンテキスト情報を検索することであることができる。
【０２３１】
代替として、ステップＳ１６０４の後に、基地局は、ネットワーク側が端末との接続結果を確立または再開することを示すために使用される、第３の応答メッセージを受信することができ、ネットワーク側が端末との接続を正常に確立または再開したことを示す、第３の応答メッセージを受信するとき、基地局と端末との間の接続が確立または再開される。
【０２３２】
代替として、基地局が、ネットワーク側が端末との接続結果を確立または再開することを示すために使用される、第３の応答メッセージを受信した後、基地局は、ネットワーク側が端末との接続の確立または再開に失敗したことを示す、第３の応答メッセージを受信し得るが、基地局は、再開アイデンティティ情報に合致するコンテキスト情報を正常に受信し、これらの状況下で、基地局は、端末とネットワークとの間の接続を再確立することができる。
【０２３３】
代替として、端末との接続を確立または再開するようにネットワーク側に通知した後、基地局は、ネットワーク側が端末との接続の確立または再開に失敗したことを示す、第３の応答メッセージを受信することができ、加えて、基地局は、再開アイデンティティに合致するコンテキスト情報を正常に受信せず、これらの状況下で、基地局は、拒否メッセージを端末に伝送し、拒否メッセージは、要求メッセージの要求される動作を拒否するために使用され、拒否メッセージは、拒否原因値を搬送する。
【０２３４】
代替として、基地局が拒否メッセージを端末に伝送した後、端末は、ランダムアクセスプリアンブルの伝送プロセスを無視し、端末アイデンティティ情報を搬送する要求メッセージを基地局にもう一度伝送することができる。
【０２３５】
本実施形態はさらに、端末とネットワークとの間の接続処理のための方法を提供し、本方法は、以下のステップ：端末が、端末アイデンティティ情報を搬送する第３の要求メッセージを基地局に伝送することを含み、端末アイデンティティ情報は、端末のアイデンティティを示すために使用され、第３の要求メッセージは、端末とネットワークとの間の接続を確立または再開するように基地局に要求するために使用される。
【０２３６】
代替として、端末アイデンティティ情報を搬送する第３の要求メッセージを伝送した後、端末は、タイマの時間値を拡張することができ、または基地局インジケーションに基づいてタイマの時間値を拡張することができ、時間値は、基地局が応答メッセージを伝送することを端末が待つ時間である。
【０２３７】
以下は、実装の随意のモードに基づく、本実施形態の接続処理プロシージャを説明する。図１７は、本発明の代替実施形態に基づく、端末とネットワークとの間の接続処理のための方法の別のフローチャートである。図１７に示されるように、プロシージャは、以下のステップを含む。
【０２３８】
ステップＳ１７０２で、メッセージ１は、端末と基地局との間のランダムアクセスプリアンブル伝送である。
【０２３９】
ステップＳ１７０４で、基地局は、メッセージ２：ランダムアクセス応答を端末に伝送する。
【０２４０】
ステップＳ１７０６で、基地局は、端末によって伝送される、端末アイデンティティ情報を搬送する要求メッセージを受信し、応答メッセージは、初期端末アイデンティティ（例えば、Ｓ−ＴＭＳＩ）を搬送する。
【０２４１】
ステップＳ１７０８で、端末は、タイマの時間値を拡張する。
【０２４２】
ステップＳ１７１０で、基地局は、ネットワーク側から、Ｓ１インターフェースリソースを再開する要求メッセージを要求する。
【０２４３】
ステップＳ１７１２で、基地局は、ネットワーク側のＳ１インターフェースリソースを再開する応答メッセージを受信する。
【０２４４】
ステップＳ１７１４で、基地局は、端末アイデンティティ情報を搬送する第３の要求メッセージを端末に伝送する。
【０２４５】
ステップＳ１７１６で、基地局は、端末によって伝送される完了メッセージを受信する。
【０２４６】
図１８は、本発明の代替実施形態に基づく、端末とネットワークとの間の接続処理のための方法の別のフローチャートである。図１８に示されるように、プロシージャは、以下のステップを含む。
【０２４７】
ステップＳ１８０２で、メッセージ１は、端末と基地局との間のランダムアクセスプリアンブル伝送である。
【０２４８】
ステップＳ１８０４で、基地局は、メッセージ２：ランダムアクセス応答を端末に伝送する。
【０２４９】
ステップＳ１８０６で、基地局は、端末によって伝送される、端末アイデンティティ情報を搬送する要求メッセージを受信し、要求メッセージは、再開アイデンティティ（例えば、Ｒｅｓｕｍｅ  ＩＤ）を搬送する。
【０２５０】
ステップＳ１８０８で、端末は、タイマの時間値を拡張する。
【０２５１】
ステップＳ１８１０で、基地局は、ネットワーク側から、Ｓ１インターフェースリソースを再開する要求メッセージを要求する。
【０２５２】
ステップＳ１８１２で、基地局は、ネットワーク側のＳ１インターフェースリソースを再開する応答メッセージを受信する。
【０２５３】
ステップＳ１８１４で、基地局は、端末アイデンティティ情報を搬送する第３の要求メッセージを端末に伝送する。
【０２５４】
ステップＳ１８１６で、基地局は、端末によって伝送される完了メッセージを受信する。
【０２５５】
ＲＲＣ接続を正常に再開または確立する基地局は、エアインターフェースのＲＲＣ接続およびネットワーク側のＲＲＣ接続が両方とも、正常に再開または確立されることを要求し得、端末とのＲＲＣ接続がエアインターフェースを通して再開または確立された後、ネットワーク側は、ＲＲＣ接続を再開または確立するように通知されなければならない。ある状況では、ＲＲＣ接続は、ネットワーク側の再開が失敗したため、再開または確立する方法を有し得ない。例えば、基地局が端末アイデンティティに合致するコンテキスト情報を見出すことができないとき、基地局は、ＲＲＣ接続拒否メッセージを端末に伝送することができる。コンテキスト再開失敗等の拒否原因が、ＲＲＣ接続拒否メッセージに追加されることができる。
【０２５６】
本発明の実施形態の説明をさらに明確にするために、以下は、解説の目的のために代替実施形態を組み合わせる。
【０２５７】
代替実施形態内で、第１の応答メッセージは、実施例としてＲＲＣ接続再開成功応答を使用する。
【０２５８】
本代替実施形態は、ユーザプレーン最適化シナリオにおいてエアインターフェースおよびネットワーク側プロシージャとＲＲＣ接続再開を調整するための方法を提供する。
【０２５９】
本代替実施形態内で、基地局が端末によって伝送されるＲＲＣ接続再開プロシージャに関連する要求メッセージを受信する（これは、ＲＲＣ接続要求、ＲＲＣ接続再確立要求、新たに追加されたＲＲＣ接続再開要求メッセージ、または異なるメッセージであり得る）とき、かつそれが再開インジケーションを搬送するとき、基地局は、最初に、ＲＲＣ接続再開プロシージャをもたらすようにネットワーク側をトリガする。ＲＲＣ接続再開成功応答を受信した後、ＲＲＣ接続再開プロシージャに関連する応答メッセージ（これは、ＲＲＣ接続設定、ＲＲＣ接続再確立、新たに追加されたＲＲＣ接続再開応答メッセージ、または異なるメッセージであり得る）が、次いで、端末に伝送される。基地局は、応答メッセージの中でエアインターフェースベアラをコアネットワークベアラと直接リンクすることができる。
【０２６０】
本代替実施形態内で、基地局が端末によって伝送されるＲＲＣ接続再開プロシージャに関連する要求メッセージを受信するとき、かつそれが再開インジケーションを搬送するとき、基地局が端末アイデンティティに合致するコンテキスト情報を見出す方法を有していない場合、同時に、ＲＲＣ接続再開プロシージャをもたらすようにネットワーク側をトリガし、ＲＲＣ接続取得プロシージャをもたらすようにＸ２インターフェースをトリガすることができる。基地局が両方から成功した応答を受信する場合、ＲＲＣ接続再開プロシージャに関連する応答メッセージ（例えば、ＲＲＣ接続設定、ＲＲＣ接続再確立、新たに追加されたＲＲＣ接続再開応答メッセージ、または異なるメッセージ）を端末に伝送することができる。基地局は、応答メッセージの中でエアインターフェースベアラをコアネットワークベアラと直接リンクすることができる。
【０２６１】
本代替実施形態内で、ＲＲＣ接続再開プロシージャをもたらすネットワーク側のみが開始され、それが成功し、またはネットワーク側がＲＲＣ接続再開プロシージャをもたらすことに成功するが、Ｘ２インターフェースがＲＲＣ接続取得プロシージャをもたらすことに成功しない場合、基地局は、後続の接続確立プロシージャを完了するためにＳ−ＴＭＳＩを使用することができ、基地局から端末に伝送される、ＲＲＣ接続再開プロシージャに関連する応答メッセージ内で、エアインターフェースベアラおよびコアネットワークベアラは、直接リンクされることができる。
【０２６２】
本代替実施形態内で、ネットワーク側がＲＲＣ接続再開プロシージャをもたらすことに失敗するが、Ｘ２インターフェースがＲＲＣ接続取得プロシージャを正常にもたらす場合、または両方が失敗である場合、基地局は、ＲＲＣ接続再開拒否メッセージ（例えば、端末へのＲＲＣ接続拒否、ＲＲＣ接続再確立拒否、新たに追加されたＲＲＣ接続再開拒否メッセージ、または異なるメッセージ）を端末に伝送することができる。ネットワーク側または基地局側コンテキスト再開失敗等の新しい拒否原因が、ＲＲＣ接続拒否メッセージに追加されることができる。
【０２６３】
本実施形態の方法の採用は、ユーザプレーン最適化モードのシグナリングプロシージャを完成させること、および異常状況を迅速に処理することの両方を行うことができる。
【０２６４】
上記の実施形態の説明を通して、上記の方法は、ソフトウェアおよび必要なユニバーサルハードウェアプラットフォームを使用して実装されることができ、また、ハードウェアを伴って実装されることもできるが、多くの状況に関して、前者の実装モードが理想的であることが、当業者に明白であろう。本理解に基づいて、本発明の技術的ソリューション自体、または既存の技術に寄与するであろうその部分は、端末デバイス（例えば、電話、コンピュータ、サーバ、またはネットワークデバイス等）に本実施形態の各方法を実装させるために使用される、いくつかの命令を備える、記憶媒体（例えば、ＲＯＭ／ＲＡＭ、磁気ディスク、光ディスク）上に記憶されたコンピュータソフトウェア製品の形態で具現化されることができる。
【０２６５】
実施形態６
本実施形態はさらに、基地局に適用可能である、端末とネットワーク接続処理装置を提供し、本装置は、前述の実施形態および随意の方法を実装するために使用され、すでに解説されていることは、本明細書でさらに説明されないであろう。以下で使用されるように、「モジュール」という用語は、事前設定された機能を達成するために使用されるソフトウェアおよび／またはハードウェアの組み合わせを指す。以下の実施形態によって説明される装置は、好ましくは、ソフトウェアを伴って実装されるが、実装の手段として、ハードウェア、またはハードウェアおよびソフトウェアの組み合わせの使用も考えられる。
【０２６６】
図１９は、本発明の実施形態の随意の端末・ネットワーク接続処理装置に基づく構造ブロック図である。図１９に示されるように、本装置は、
１）端末によって伝送される、端末アイデンティティ情報を搬送する第１の要求メッセージを受信するように構成される、第１の受信機モジュール１９２であって、端末アイデンティティ情報は、端末のアイデンティティを示すために使用され、第１の要求メッセージは、端末とネットワークとの間の接続を再開するように基地局に要求するために使用される、第１の受信機モジュール１９２と、
２）端末アイデンティティ情報に合致するコンテキスト情報を検索するように構成される、第１の受信機モジュール１９２に結合された検索モジュール１９４と、
３）コンテキスト情報が見出されたときに、端末との接続を再開するためにコンテキスト情報を使用するように構成される、検索モジュール１９４に結合された第１の再開モジュール１９６と
を備える。
【０２６７】
代替として、端末アイデンティティ情報は、以下：初期端末アイデンティティ情報、再開アイデンティティ情報のうちの少なくとも１つを備えることができるが、それに限定されず、初期端末アイデンティティ情報は、初期端末アイデンティティまたは初期端末アイデンティティを生成するために使用される情報を備え、再開アイデンティティ情報は、再開アイデンティティまたは再開アイデンティティを生成するために使用される情報を備える。
【０２６８】
代替として、本装置はさらに、コンテキスト情報が見出されないときに、近隣基地局からコンテキスト情報を取得するように構成される、検索モジュール１９４に結合された取得モジュール（図面に図示されていない）と、端末との接続を再開するために近隣基地局内で取得されるコンテキスト情報を使用するように構成される、取得モジュールに結合された第２の再開モジュールとを備えることができる。
【０２６９】
代替として、本装置はさらに、コンテキスト情報が見出されないときに、端末との接続を確立するために端末アイデンティティ情報を使用するように構成される、検索モジュール１９４に結合された第１の確立モジュールを備える。
【０２７０】
代替として、第１の要求メッセージは、以下：再開要求メッセージ、接続再開インジケーションを搬送するメッセージのうちの１つを備えることができるが、それに限定されない。
【０２７１】
代替として、接続再開インジケーションを搬送するメッセージは、以下：無線リソース制御（ＲＲＣ）接続要求メッセージ、およびＲＲＣ接続再確立要求メッセージのうちの少なくとも１つを備えることができるが、それに限定されない。
【０２７２】
代替として、検索モジュール１９４は、第１の要求メッセージによってトリガされるとき、再開アイデンティティ情報に合致するコンテキスト情報を優先的に見出すように構成される、検索ユニットを備える。
【０２７３】
代替として、検索モジュール１９４は、コンテキスト情報が見出されないときに初期端末アイデンティティ情報に基づいて端末とのＲＲＣ接続を確立するように構成される、検索ユニットに結合された確立ユニットを備える。
【０２７４】
代替として、本装置はさらに、コンテキスト情報が見出されないときに拒否メッセージを端末に伝送するように構成される、検索モジュール１９４に結合された第４の伝送モジュール（図面に図示されていない）を備え、拒否メッセージは、拒否原因値またはインジケーション情報を搬送し、インジケーション情報は、端末がネットワークとの接続を再確立するかどうかを判定するために使用される。
【０２７５】
代替として、拒否メッセージは、以下：ＲＲＣ接続拒否メッセージ、ＲＲＣ再確立拒否メッセージ、ＲＲＣ接続再開拒否メッセージのうちの少なくとも１つを備えることができるが、それに限定されない。
【０２７６】
代替として、初期端末アイデンティティは、４１ビットを超えない長さを伴うアイデンティティ情報を備え、初期端末アイデンティティを生成するために使用される情報は、以下：ＳＡＥ−一時モバイルサブスクライバアイデンティティ（Ｓ−ＴＭＳＩ）、モバイル管理エンティティ（ＭＭＥ）アイデンティティＭＭＥＣ、ＭＭＥユーザ一意アイデンティティコードｍ−ＴＭＳＩ、セルアイデンティティ、一意の端末アイデンティティ番号Ｃ−ＲＮＴＩ、ＳｈｏｒｔＭａｃ−Ｉ情報、３２ビットを超えない長さを伴う乱数のうちの少なくとも１つを備え、再開アイデンティティは、４１ビットを超えない長さを伴うアイデンティティ情報を備え、再開アイデンティティに使用される情報は、以下：ＳＡＥ−一時モバイルサブスクライバアイデンティティ（Ｓ−ＴＭＳＩ）、モバイル管理エンティティ（ＭＭＥ）アイデンティティＭＭＥＣ、ＭＭＥユーザ一意アイデンティティコードｍ−ＴＭＳＩ、セルアイデンティティ、一意の端末アイデンティティ番号Ｃ−ＲＮＴＩ、ＳｈｏｒｔＭａｃ−Ｉ情報、３２ビットを超えない長さを伴う乱数のうちの少なくとも１つを備える。
【０２７７】
本実施形態はさらに、端末に適用可能である、端末とネットワーク接続処理装置を提供し、本装置は、端末アイデンティティ情報を搬送する第１の要求メッセージを基地局に伝送するように構成される、第１の伝送モジュールを備え、端末アイデンティティ情報は、端末のアイデンティティを示すために使用され、要求メッセージは、端末とネットワークとの間の接続を再開するように基地局に要求するために使用される。
【０２７８】
上記のモジュールは、ソフトウェアまたはハードウェアを伴って実装されることができ、後者は、限定されないが、以下のモード：モジュールが全て同一のプロセッサ上に位置すること、またはモジュールが複数のプロセッサにわたって分散されることを通して実装されることができることに留意されたい。
【０２７９】
実施形態７
本実施形態はさらに、基地局に適用可能である、端末とネットワーク接続処理装置を提供し、本装置は、前述の実施形態および随意の方法を実装するために使用され、すでに解説されていることは、本明細書でさらに説明されないであろう。以下で使用されるように、「モジュール」という用語は、事前設定された機能を達成するために使用されるソフトウェアおよび／またはハードウェアの組み合わせを指す。以下の実施形態によって説明される装置は、好ましくは、ソフトウェアを伴って実装されるが、実装の手段として、ハードウェア、またはハードウェアおよびソフトウェアの組み合わせの使用も考えられる。
【０２８０】
図２０は、本発明の実施形態の別の随意の端末・ネットワーク接続処理装置に基づく構造ブロック図である。図２０に示されるように、本装置は、
１）端末によって伝送される、データ伝送モード情報を搬送する第２の要求メッセージ２０２を受信するように構成される、第２の受信機モジュールであって、データ伝送モード情報は、端末のデータ伝送モードを示すために使用される、第２の受信機モジュール２０２と、
２）データ伝送モード情報に基づいて、端末とネットワークとの間の接続のリソースを構成するように設定される、第２の受信機モジュール２０２に結合された構成モジュール２０４と
を備える。
【０２８１】
代替として、データ伝送モード情報は、以下：ユーザプレーン最適化モード情報、制御プレーン最適化モード情報のうちの少なくとも１つを備えることができるが、それに限定されない。
【０２８２】
代替として、構成モジュール２０４は、データ伝送モード情報に基づいて無線リソースを構成し、および／またはデータ伝送モード情報に基づいてネットワーク要素を構成し、および／またはデータ伝送モード情報に基づいてネットワークアクセスリソースを構成するように設定される。
【０２８３】
代替として、構成モジュール２０４は、基地局が端末とネットワークとの間の接続の無線リソースのためにシグナリング無線ベアラの特徴を構成すること、および／または基地局が端末とネットワークとの間の接続の無線リソースのためにデータ無線ベアラの特徴を構成することのために設定される。
【０２８４】
代替として、シグナリング無線ベアラの特徴は、以下：パケットデータ収束プロトコル（ＰＤＣＰ）プロトコル層を含むかどうか、透過モードＰＤＣＰプロトコル層を使用するかどうか、ＰＤＣＰプロトコルヘッダを含むかどうか、ＰＤＣＰシーケンス番号を含むかどうか、安全性情報を含むかどうかのうちの少なくとも１つを備え、データ無線ベアラの特徴は、以下：ＰＤＣＰプロトコル層を含むかどうか、透過モードＰＤＣＰプロトコル層を使用するかどうか、ＰＤＣＰプロトコルヘッダを含むかどうか、ＰＤＣＰシーケンス番号を含むかどうか、安全性情報を含むかどうかのうちの少なくとも１つを備える。
【０２８５】
代替として、ユーザプレーン最適化モード情報は、以下の接続：ユーザプレーン最適化モード開始コールデータ、ユーザプレーン最適化モード開始コールシグナリング、ユーザプレーン最適化モード開始コール異常報告、ユーザプレーン最適化受信コールデータ、ユーザプレーン最適化モード受信コールシグナリング、ユーザプレーン最適化モード受信コール異常報告のうちの少なくとも１つを通して、原因インジケーションを確立し、制御プレーン最適化モードのデータ伝送モード情報は、以下の接続確立理由：制御プレーン最適化モード開始コールデータ、制御プレーン最適化モード開始コールシグナリング、制御プレーン最適化モード開始コール異常報告、制御プレーン最適化モード受信コールデータ、制御プレーン最適化モード受信コールシグナリング、制御プレーン最適化モード受信コール異常報告のうちの少なくとも１つによって示される。
【０２８６】
代替として、構成モジュール２０４は、データ伝送モード情報が制御プレーン最適化モードの開始コールデータまたは受信コールデータであるとき、端末とネットワークとの間の接続の無線リソースのために構成される信号無線ベアラが、ＰＤＣＰプロトコルヘッダを備えないものとして構成され、構成モジュール２０４は、データ伝送モード情報が制御プレーン最適化モードの開始コールデータおよび受信コールデータ以外の任意の情報であるとき、端末とネットワークとの間の接続の無線リソースのために構成されるシグナリング無線ベアラが、ＰＤＣＰプロトコルヘッダを備えるものとして構成される。
【０２８７】
代替として、本装置はさらに、通知メッセージを通して、ネットワークと端末との間の接続のために構成されるリソースについて端末に通知するように構成される、構成モジュール２０４に結合された通知モジュール（図面に図示されていない）を備える。
【０２８８】
本実施形態はさらに、端末に適用可能である、端末とネットワーク接続処理装置を提供し、本装置は、データ伝送モード情報を搬送する第２の要求メッセージを基地局に伝送するように構成される、第２の伝送モジュールを備え、データ伝送モード情報は、端末のデータ伝送モードを示すために使用される。
【０２８９】
上記のモジュールは、ソフトウェアまたはハードウェアを伴って実装されることができ、後者は、限定されないが、以下のモード：モジュールが全て同一のプロセッサ上に位置すること、またはモジュールが複数のプロセッサにわたって分散されることを通して実装されることができることに留意されたい。
【０２９０】
実施形態８
本実施形態はさらに、端末に適用可能である、端末とネットワーク接続処理装置を提供し、本装置は、前述の実施形態および随意の方法を実装するために使用され、すでに解説されていることは、本明細書でさらに説明されないであろう。以下で使用されるように、「モジュール」という用語は、事前設定された機能を達成するために使用されるソフトウェアおよび／またはハードウェアの組み合わせを指す。以下の実施形態によって説明される装置は、好ましくは、ソフトウェアを伴って実装されるが、実装の手段として、ハードウェア、またはハードウェアおよびソフトウェアの組み合わせの使用も考えられる。
【０２９１】
図２１は、本発明の実施形態の別の随意の端末・ネットワーク接続処理装置に基づく構造ブロック図である。図２１に示されるように、本装置は、
１）基地局によって伝送され、基地局が端末との接続を確立または再開することを示すために使用される第１の応答メッセージを受信するように構成される、第３の受信機モジュール２１２と、
２）第１の応答メッセージの中で搬送される無線リソース構成インジケーションに基づいて、無線リソース構成を実行するモードを判定するように構成される、第３の受信機モジュール２１２に結合された第１の判定モジュール２１４と
を備える。
【０２９２】
代替として、構成モジュールは、第１の応答メッセージが、無線リソース構成インジケーションを備えず、空の無線リソース構成を備えるとき、ローカルに記憶された無線リソース構成を使用し、または第１の応答メッセージが、無線リソース構成インジケーションを備えず、空の無線リソース構成を備えないとき、ローカルに記憶された無線リソース構成および／または第１の応答メッセージの中に含有される無線リソース構成に基づいて生成される、無線リソース構成を使用するように構成される。
【０２９３】
上記のモジュールは、ソフトウェアまたはハードウェアを伴って実装されることができ、後者は、限定されないが、以下のモード：モジュールが全て同一のプロセッサ上に位置すること、またはモジュールが複数のプロセッサにわたって分散されることを通して実装されることができることに留意されたい。
【０２９４】
実施形態９
本実施形態はさらに、端末に適用可能である、端末とネットワーク接続処理装置を提供し、本装置は、前述の実施形態および随意の方法を実装するために使用され、すでに解説されていることは、本明細書でさらに説明されないであろう。以下で使用されるように、「モジュール」という用語は、事前設定された機能を達成するために使用されるソフトウェアおよび／またはハードウェアの組み合わせを指す。以下の実施形態によって説明される装置は、好ましくは、ソフトウェアを伴って実装されるが、実装の手段として、ハードウェア、またはハードウェアおよびソフトウェアの組み合わせの使用も考えられる。
【０２９５】
図２２は、本発明の実施形態の別の随意の端末・ネットワーク接続処理装置に基づく構造ブロック図である。図２２に示されるように、本装置は、
１）端末アイデンティティ情報を搬送し、ＲＲＣ接続プロセス完了を示すために使用される、メッセージを基地局に伝送するように構成される、第３の伝送モジュール２２２を備え、端末アイデンティティ情報は、端末のアイデンティティを示すために使用される。
【０２９６】
代替として、端末アイデンティティ情報は、端末アイデンティティまたは端末アイデンティティを生成するために使用される情報を含むことができるが、それに限定されない。
【０２９７】
代替として、端末アイデンティティは、４１ビットを超えない長さを伴うアイデンティティ情報を備えることができるが、それに限定されず、端末アイデンティティを生成するために使用される情報は、以下：ＳＡＥ−一時モバイルサブスクライバアイデンティティ、モバイル管理エンティティ（ＭＭＥ）コードＭＭＥＣ、ＭＭＥユーザ一意アイデンティティ番号ｍ−ＴＭＳＩ、セルアイデンティティ、物理的セルアイデンティティ、一意の端末アイデンティティ番号Ｃ−ＲＮＴＩ、ＳｈｏｒｔＭＡＣ−Ｉ情報、３２ビットを超えない長さを伴う乱数のうちの少なくとも１つを備える。
【０２９８】
代替として、本装置はさらに、基地局によって送信される、基地局が端末との接続を確立または再開することを示す第２の応答メッセージを受信するように構成される、第５の受信機モジュールと、第２の応答メッセージインジケーションに基づいて、ＲＲＣ接続プロセス完了を示すために使用されるメッセージを基地局に伝送するかどうかを判定するように構成される、第５の受信機モジュールと第３の伝送モジュールとの間で使用されるために結合された第２の判定モジュールとを備える。
【０２９９】
代替として、第２の判定モジュールは、第２の応答メッセージが、ＲＲＣ接続プロセス完了を示すために使用されるメッセージを伝送するかどうかを示すために使用される、命令を明示的に備えるとき、命令に基づいて、ＲＲＣ接続プロセス完了を示すために使用されるメッセージを基地局に伝送するかどうかを判定するように構成される。
【０３００】
代替として、第２の判定モジュールは、第２の応答メッセージが、ＲＲＣ接続プロセス完了を示すために使用されるメッセージを伝送するかどうかを示す命令を明示的に備えず、第２の応答メッセージが、空の無線リソース構成を備えるとき、端末は、ＲＲＣ接続プロセス完了を示すために使用されるメッセージを基地局に伝送しないこと、または第２の応答メッセージが、ＲＲＣ接続プロセス完了を示すために使用されるメッセージを伝送するかどうかを示す命令を明示的に備えず、第２の応答メッセージが、空ではない無線リソース構成を備えるとき、端末は、ＲＲＣ接続プロセス完了を示すために使用されるメッセージを基地局に伝送するように構成される。
【０３０１】
代替として、第２の応答メッセージが、ＲＲＣ接続プロセス完了を示すために使用されるメッセージを伝送するかどうかを示すために使用される、命令を明示的に備えず、第２の応答メッセージが、空ではない無線リソース構成を備えるとき、ＲＲＣ接続プロセス完了を示すために使用されるメッセージは、応答メッセージを備える、無線リソース構成に向けた端末の処理結果を搬送する。
【０３０２】
上記のモジュールは、ソフトウェアまたはハードウェアを伴って実装されることができ、後者は、限定されないが、以下のモード：モジュールが全て同一のプロセッサ上に位置すること、またはモジュールが複数のプロセッサにわたって分散されることを通して実装されることができることに留意されたい。
【０３０３】
実施形態１０
本実施形態はさらに、基地局に適用可能である、端末とネットワーク接続処理装置を提供し、本装置は、前述の実施形態および随意の方法を実装するために使用され、すでに解説されていることは、本明細書でさらに説明されないであろう。以下で使用されるように、「モジュール」という用語は、事前設定された機能を達成するために使用されるソフトウェアおよび／またはハードウェアの組み合わせを指す。以下の実施形態によって説明される装置は、好ましくは、ソフトウェアを伴って実装されるが、実装の手段として、ハードウェア、またはハードウェアおよびソフトウェアの組み合わせの使用も考えられる。
【０３０４】
図２３は、本発明の実施形態の別の随意の端末・ネットワーク接続処理装置に基づく構造ブロック図である。図２３に示されるように、本装置は、
１）端末によって伝送される、端末アイデンティティ情報を搬送する、第３の要求メッセージを受信するように構成される、第４の受信機モジュール２３２であって、端末アイデンティティ情報は、端末のアイデンティティを示すために使用され、第３の要求メッセージは、端末とネットワークとの間の接続を確立または再開するように基地局に要求するために使用される、第４の受信機モジュール２３２と、
２）第３の要求メッセージインジケーションに基づいて、端末との接続を確立または再開するようにネットワーク側に通知するように構成される、第４の受信機モジュール２３２に結合された処理モジュール２３４と
を備える。
【０３０５】
代替として、端末アイデンティティ情報は、以下：初期端末アイデンティティ情報、再開アイデンティティ情報のうちの少なくとも１つを備えることができるが、それに限定されず、初期確立アイデンティティ情報は、初期端末アイデンティティまたは初期端末アイデンティティを生成するために使用される情報を備え、再開アイデンティティ情報は、再開アイデンティティまたは再開アイデンティティを生成するために使用される情報を備える。
【０３０６】
代替として、初期端末アイデンティティは、４１ビットを超えない長さを伴うアイデンティティ情報を備え、初期端末アイデンティティを生成するために使用される情報は、以下：ＳＡＥ−一時モバイルサブスクライバアイデンティティ（Ｓ−ＴＭＳＩ）、モバイル管理エンティティ（ＭＭＥ）アイデンティティＭＭＥＣ、ＭＭＥユーザ一意アイデンティティコードｍ−ＴＭＳＩ、セルアイデンティティ、一意の端末アイデンティティ番号Ｃ−ＲＮＴＩ、ＳｈｏｒｔＭａｃ−Ｉ情報、３２ビットを超えない長さを伴う乱数のうちの少なくとも１つを備え、再開アイデンティティは、４１ビットを超えない長さを伴うアイデンティティ情報を備え、再開アイデンティティに使用される情報は、以下：ＳＡＥ−一時モバイルサブスクライバアイデンティティ（Ｓ−ＴＭＳＩ）、モバイル管理エンティティ（ＭＭＥ）アイデンティティＭＭＥＣ、ＭＭＥユーザ一意アイデンティティコードｍ−ＴＭＳＩ、セルアイデンティティ、一意の端末アイデンティティ番号Ｃ−ＲＮＴＩ、ＳｈｏｒｔＭａｃ−Ｉ情報、３２ビットを超えない長さを伴う乱数のうちの少なくとも１つを備える。
【０３０７】
代替として、処理モジュール２３４は、基地局が、第３の要求メッセージインジケーションに基づいて、端末との接続を確立または再開するようにネットワーク側に通知し、再開アイデンティティ情報に合致するコンテキスト情報を取得するために構成される。
【０３０８】
代替として、処理モジュール２３４は、基地局が再開アイデンティティ情報に合致するコンテキスト情報を検索するため、または基地局が近隣基地局内から再開アイデンティティ情報に合致するコンテキスト情報を検索するために構成される。
【０３０９】
代替として、第３の要求メッセージはさらに、再開インジケーションを備えることができ、再開インジケーションは、基地局との接続の再開を示すために使用される。
【０３１０】
代替として、処理モジュール２３４は、再開インジケーションまたは再開要求メッセージによってトリガされたとき、基地局が再開アイデンティティ情報に合致するコンテキスト情報を検索し、または基地局が再開インジケーションまたは再開要求メッセージによってトリガされるとき、近隣基地局内から再開アイデンティティ情報に合致するコンテキスト情報を検索するように構成される。
【０３１１】
代替として、本装置はさらに、ネットワーク側が端末との接続結果を確立または再開することを示すために使用される、第３の応答メッセージを受信するように構成される、処理モジュール２３４に結合された第６の受信機モジュールと、ネットワーク側が端末との接続を正常に確立または再開することを示すために使用される第３の応答メッセージが受信されたとき、基地局と端末との間の接続を確立または再開するように構成される、第６の受信機モジュールに結合された第２の確立モジュールを備える。
【０３１２】
代替として、本装置はさらに、ネットワーク側が端末との接続の確立または再開に失敗したことを示すために使用される、第３の応答メッセージが受信されるが、再開アイデンティティ情報に合致するコンテキスト情報が正常に取得されたとき、端末とネットワークとの間の接続を再確立するように構成される、第６の受信機モジュールに結合された再確立モジュールを備える。
【０３１３】
代替として、基地局が端末との接続を確立または再開するようにネットワーク側に通知した後、本装置はさらに、ネットワーク側が端末との接続の確立または再開に失敗したことを示すために使用される、第３の応答メッセージが受信され、基地局が再開アイデンティティ情報に合致するコンテキスト情報の取得にも失敗したとき、拒否メッセージを端末に伝送するように構成される、処理モジュール２３４に結合された第５の伝送モジュールを備え、拒否メッセージは、要求メッセージの要求される動作を拒否するために使用され、拒否メッセージは、拒否原因値を搬送する。
【０３１４】
代替として、基地局が拒否メッセージを端末に伝送した後、本装置はさらに、ランダムアクセスプリアンブルの伝送プロセスを無視し、端末アイデンティティ情報を搬送する要求メッセージを基地局にもう一度伝送するために使用される、第５の伝送モジュールに結合された第６の伝送モジュールを備える。
【０３１５】
代替として、基地局が、端末によって伝送される、端末アイデンティティ情報を搬送する第３の要求メッセージを受信した後、本装置はさらに、タイマの時間値を拡張し、または基地局インジケーションに基づいてタイマの時間値を拡張するように構成される、第４の受信機モジュール２３２に結合された拡張モジュールを備え、時間値は、基地局が応答メッセージを伝送することを端末が待つ時間の時間値である。
【０３１６】
上記のモジュールは、ソフトウェアまたはハードウェアを伴って実装されることができ、後者は、限定されないが、以下のモード：モジュールが全て同一のプロセッサ上に位置すること、またはモジュールが複数のプロセッサにわたって分散されることを通して実装されることができることに留意されたい。
【０３１７】
実施形態１１
本実施形態は、端末とネットワークとの間の接続処理のための方法を提供し、本方法は、無線ベアラが、ＡＳ層セキュリティの確立に先立って、簡略化ＰＤＣＰ機能を使用することを含む。
【０３１８】
代替として、無線ベアラは、シグナリング無線ベアラ（ＳＲＢ）またはデータ無線ベアラ（ＤＲＢ）を備える。
【０３１９】
代替として、無線ベアラが簡略化ＰＤＣＰ機能を使用することは、以下：無線ベアラが透過モードＰＤＣＰプロトコル層を使用すること、無線ベアラがＰＤＣＰプロトコルヘッダを含有しないこと、無線ベアラがＰＤＣＰシーケンス番号を含有しないことのうちの少なくとも１つを含む。
【０３２０】
代替として、本方法はさらに、ＡＳ層セキュリティが確立される前に、端末が簡略化ＰＤＣＰ機能の無線ベアラを使用することができること、またはＡＳ層セキュリティが確立される前に、基地局が簡略化ＰＤＣＰ機能の無線ベアラを使用することができることを含む。
【０３２１】
代替として、以下：所定のモード、事前構成されたモード、端末および基地局ネゴシエーションモード、基地局が、以下のメッセージ：システムメッセージ、専用通知メッセージを端末に伝送するモードのうちの少なくとも１つを通して、無線ベアラが簡略化ＰＤＣＰ機能を使用することを判定する。代替として、所定のモードは、プロトコル内の所定のモードであることができる。代替として、前述のシステムメッセージまたは専用通知メッセージは、簡略化ＰＤＣＰ機能を使用するように無線ベアラに命令するための命令を搬送する。
【０３２２】
実施形態１２
本実施形態は、端末とネットワークとの間の接続処理のための方法を提供する。図２４は、本発明の実施形態の端末とネットワークとの間の接続処理の別の随意の方法に基づくフローチャートである。図２４に示されるように、プロシージャは、以下のステップを含む。
【０３２３】
ステップＳ２４０２で、基地局は、端末によって伝送される、再開アイデンティティ情報を搬送する第４の要求メッセージを受信し、第４の要求メッセージは、端末とネットワークとの間の接続を再開するように基地局に要求するために使用される。
【０３２４】
ステップＳ２４０４で、基地局は、再開アイデンティティ情報に基づいて端末との接続を再開する。
【０３２５】
代替として、ステップＳ２４０２の前に、基地局は、再開アイデンティティ情報の全てまたは一部を端末に配分することができるが、それに限定されない。例えば、基地局は、コンテキスト情報が一時停止されるときに、再開アイデンティティ情報の全てまたは一部を端末に伝送することができるが、それに限定されず、基地局は、以下の２つの方法：コンテキスト情報が一時停止されるときに、基地局が接続一時停止メッセージを通して再開アイデンティティ情報の全てまたは一部を端末に伝送する、方法１と、コンテキスト情報が一時停止されるときに、基地局が接続解放メッセージを通して再開アイデンティティ情報の全てまたは一部を端末に伝送する、方法２とのうちの少なくとも１つを使用して、再開アイデンティティ情報の全てまたは一部を端末に伝送することができる。
【０３２６】
代替として、ステップＳ２４０２の前に、基地局は、第４の要求メッセージの伝送のために要求されるリソースを端末に配分することができるが、それに限定されず、基地局が、第４の要求メッセージの伝送のために要求されるリソースを端末に配分することは、以下の方法：基地局が、端末に伝送されるランダムアクセス応答メッセージの中でリソースを示す、方法１と、基地局が、端末に伝送される、チャネルフォーマットメッセージまたはランダムアクセス応答メッセージを搬送する媒体アクセス制御パッケージの中でリソースを示す、方法２とうちの少なくとも１つを含む。
【０３２７】
代替として、第４の要求メッセージは、以下：再開要求メッセージ、または再開アイデンティティ情報を搬送するメッセージのうちの１つを備えることができるが、それに限定されない。
【０３２８】
代替として、再開アイデンティティ情報を搬送するメッセージは、以下：無線リソース制御（ＲＲＣ）接続要求メッセージ、およびＲＲＣ接続再確立要求メッセージのうちの少なくとも１つを備えることができるが、それに限定されない。
【０３２９】
代替として、再開アイデンティティ情報は、以下：端末コンテキストアイデンティティ、グローバルセルアイデンティティ、物理的セルアイデンティティ、基地局アイデンティティ、および事前設定ビット長値のうちの少なくとも１つを備えることができるが、それに限定されない。
【０３３０】
代替として、端末コンテキストアイデンティティは、１６ビット値であることができるが、そのように限定されない。
【０３３１】
代替として、グローバルセルアイデンティティは、以下：コンテキスト情報が一時停止されるときのセルのグローバルセルアイデンティティ、端末コンテキスト情報を記憶するセルのグローバルセルアイデンティティのうちの少なくとも１つを備えることができるが、それに限定されない。
【０３３２】
代替として、物理的セルアイデンティティは、以下：コンテキスト情報が一時停止されるときのセルの物理的セルアイデンティティ、端末コンテキスト情報を記憶するセルの物理的セルアイデンティティのうちの少なくとも１つを備えることができるが、それに限定されない。
【０３３３】
代替として、基地局アイデンティティは、以下：コンテキスト情報が一時停止されるときの基地局の基地局アイデンティティ、端末コンテキスト情報を記憶する基地局の基地局アイデンティティのうちの少なくとも１つを備えることができるが、それに限定されない。
【０３３４】
代替として、事前設定ビット長値は、以下：設定ビット長値、１６ビット〜４４ビットの間の長値のうちの少なくとも１つを備えることができるが、それに限定されない。
【０３３５】
実施形態１３
本実施形態は、端末とネットワークとの間の接続処理のための方法を提供し、本方法は、端末が、再開アイデンティティ情報を搬送する第４の要求メッセージを基地局に伝送することを含み、第４の要求メッセージは、端末とネットワークとの間の接続を再開するように基地局に要求するために使用され、再開アイデンティティ情報は、端末とネットワークとの間の接続を再開するために使用される。
【０３３６】
代替として、端末が再開アイデンティティ情報を搬送する第４の要求メッセージを基地局に伝送する前に、端末は、セルのシステムメッセージを読み取ることを通して、再開アイデンティティ情報を生成するために使用される情報の全てまたは一部を取得することができ、または端末は、再開アイデンティティ情報の全てまたは一部を構築することができ、または端末は、基地局によって配分される再開アイデンティティ情報の全てまたは一部を受信することができる。
【０３３７】
代替として、端末が、セルシステムメッセージを読み取ることを通して、再開アイデンティティ情報を生成するために使用される情報の全てまたは一部を取得するとき、端末は、セルシステムメッセージを読み取ることを通して、グローバルセルアイデンティティを取得することができ、および／または端末は、セルシステムメッセージを読み取ることを通して、物理的セルアイデンティティを取得することができ、および／または端末は、セルシステムメッセージを読み取ることを通して、基地局アイデンティティを取得することができる。
【０３３８】
代替として、端末が基地局によって配分される再開アイデンティティ情報の全てまたは一部を受信するとき、コンテキスト情報が一時停止されるときに、端末は、基地局によって配分される再開アイデンティティ情報の全てまたは一部を受信することができるが、それに限定されない。
【０３３９】
代替として、コンテキスト情報が一時停止されるときに、端末が、基地局によって配分される再開アイデンティティ情報の全てまたは一部を受信する、本方法は、コンテキスト情報が一時停止されるときに、端末が、接続一時停止メッセージを通して、基地局によって配分される再開アイデンティティ情報の全てまたは一部を受信すること、および／またはコンテキスト情報が一時停止されるときに、端末が、接続解放メッセージを通して、基地局によって配分される再開アイデンティティ情報の全てまたは一部を受信することを含むことができる。
【０３４０】
代替として、端末が再開アイデンティティ情報を搬送する第４の要求メッセージを基地局に伝送する前に、端末は、第４の要求メッセージを伝送するために要求され、基地局によって配分されるリソースを受信することができる。
【０３４１】
代替として、端末は、以下の方法：端末がランダムアクセス応答メッセージの中で基地局によって示されるリソースを受信する、方法１、および／または端末がチャネルフォーマット情報またはランダムアクセス応答メッセージを搬送するＭＡＣパッケージの中で基地局によって示されるリソースを受信する、方法２を通して、第４の要求メッセージを伝送するために要求され、基地局によって配分されるリソースを受信することができる。
【０３４２】
代替として、端末が、基地局によって配分される第４の要求メッセージを伝送するために要求されるリソースを受信した後、端末は、リソースに基づいて再開アイデンティティ情報を構築することができるが、それに限定されない。
【０３４３】
代替として、端末は、異なるサイズのリソースに基づいて、異なる再開アイデンティティ情報を構築し、端末は、再開アイデンティティ情報を構築するために端末コンテキストアイデンティティおよび事前設定情報を使用し、事前設定情報は、以下：グローバルセルアイデンティティの全てまたは一部、物理的セルアイデンティティの全てまたは一部、基地局アイデンティティの全てまたは一部のうちの１つを備える。
【０３４４】
代替として、事前設定情報は、事前構成されることができ、また、以下の方法：端末がセルシステムメッセージを読み取ることを通して事前設定情報を取得することができること、または端末が事前設定情報を構築することができること、または端末が基地局によって配分される事前設定情報を受信することができることを通して端末によって取得されることもできる。
【０３４５】
例えば、基地局によって示されるリソースは、比較的少なくあり得、またはリソースサイズは、閾値よりも小さくあり得、またはリソースサイズは、１の間隔内に留まり得、またはリソースフォーマットは、比較的小さい長さを伴う１つまたは複数のフォーマットであり得るため、端末は、比較的短い再開アイデンティティ情報を構築し得、端末は、再開アイデンティティ情報を構築するために端末コンテキストアイデンティティおよび物理的セルアイデンティティを使用し得るが、それに限定されない。
【０３４６】
基地局によって示されるリソースは、比較的多数であり得、またはリソースサイズは、閾値よりも大きくあり得、またはリソースサイズは、２の間隔内に留まり得、またはリソースモードは、比較的大きい長さを伴う１つまたは複数のフォーマットであり得るため、端末は、比較的長い再開アイデンティティ情報を構築し得、端末は、再開アイデンティティ情報を構築するために端末コンテキストアイデンティティおよび物理的セルアイデンティティを使用し得るが、それに限定されない。
【０３４７】
基地局がまた、再開アイデンティティ情報の長さにある制限を有し得るため、再開アイデンティティ情報は、切断されることができ、端末は、再開アイデンティティ情報を構築するために端末コンテキストアイデンティティおよび省略グローバルセルアイデンティティを使用することができるが、それに限定されない。
【０３４８】
例えば、端末によって構築される再開アイデンティティ情報は、以下の形態のうちの１つをとることができるが、それに限定されない。
１，再開アイデンティティ情報＝１６ビット端末コンテキストアイデンティティ＋９ビット物理的セルアイデンティティ
２，再開アイデンティティ情報＝１６ビット端末コンテキストアイデンティティ＋２８ビットグローバルセルアイデンティティ
３，再開アイデンティティ情報＝１６ビット端末コンテキストアイデンティティ＋２４ビット省略グローバルセルアイデンティティ
【０３４９】
代替として、第４の要求メッセージは、以下：再開要求メッセージ、または再開アイデンティティ情報を搬送するメッセージのうちの１つを備えることができるが、それに限定されない。
【０３５０】
代替として、再開アイデンティティ情報を搬送するメッセージは、以下：無線リソース制御（ＲＲＣ）接続要求メッセージ、およびＲＲＣ接続再確立要求メッセージのうちの少なくとも１つを備えることができるが、それに限定されない。
【０３５１】
代替として、再開アイデンティティ情報は、以下：端末コンテキストアイデンティティ、グローバルセルアイデンティティ、物理的セルアイデンティティ、基地局アイデンティティ、および事前設定ビット長値のうちの少なくとも１つを備えることができるが、それに限定されない。
【０３５２】
代替として、端末コンテキストアイデンティティは、１６ビット値であることができるが、そのように限定されない。
【０３５３】
代替として、グローバルセルアイデンティティは、以下：コンテキスト情報が一時停止されるときのセルのグローバルセルアイデンティティ、端末コンテキスト情報を記憶するセルのグローバルセルアイデンティティのうちの少なくとも１つを備えることができるが、それに限定されない。
【０３５４】
代替として、物理的セルアイデンティティは、以下：コンテキスト情報が一時停止されるときのセルの物理的セルアイデンティティ、端末コンテキスト情報を記憶するセルの物理的セルアイデンティティのうちの少なくとも１つを備えることができるが、それに限定されない。
【０３５５】
代替として、基地局アイデンティティは、以下：コンテキスト情報が一時停止されるときの基地局の基地局アイデンティティ、端末コンテキスト情報を記憶する基地局の基地局アイデンティティのうちの少なくとも１つを備えることができるが、それに限定されない。
【０３５６】
代替として、事前設定ビット長値は、以下：設定ビット長値、１６ビット〜４４ビットの間の長値のうちの少なくとも１つを備えることができるが、それに限定されない。
【０３５７】
以下は、３つの随意の実装モードに基づく、本実施形態の接続処理プロシージャを説明する。端末は、基地局によって示される異なるリソースに基づいて、変動する長さおよびフォーマットの再開アイデンティティ情報を構築することができる。随意の実施形態内で、基地局によって示されるリソースが、比較的少なくあり得るため、端末は、比較的短い再開アイデンティティ情報を構築し得る。例えば、端末は、再開アイデンティティ情報を構築するために端末コンテキストアイデンティティおよび物理的セルアイデンティティを使用し得るが、それに限定されない。再開アイデンティティ情報を構築するために端末コンテキストアイデンティティおよび物理的セルアイデンティティを使用する、端末のフローチャートである、図２５に示されるように、プロシージャは、以下のステップを含む。
【０３５８】
ステップＳ２５０２で、端末は、基地局によって伝送されるシステムメッセージを受信する。
【０３５９】
ステップＳ２５０４で、端末は、システムメッセージに基づいて、以下の情報：グローバルセルアイデンティティ、物理的セルアイデンティティ、基地局アイデンティティのうちの少なくとも１つを取得する。
【０３６０】
ステップＳ２５０６で、端末は、基地局によって伝送される一時停止メッセージを受信し、一時停止メッセージは、ＵＥコンテキスト情報アイデンティティおよび／または以下の情報：グローバルセルアイデンティティ、物理的セルアイデンティティ、基地局アイデンティティを搬送する。
【０３６１】
ステップＳ２５０８で、端末は、ＵＥコンテキスト情報アイデンティティおよび／または他の利用可能な情報を記憶する。
【０３６２】
ステップＳ２５１０で、端末は、メッセージ１：ランダムアクセスプリアンブルを基地局に伝送する。
【０３６３】
ステップＳ２５１２で、端末は、基地局によって伝送されるメッセージ２：ランダムアクセス応答を受信する。
【０３６４】
ステップＳ２５１４で、端末は、基地局によって示されるリソースに基づいて、再開アイデンティティ情報を構築し、例えば、基地局によって示されるリソースが比較的少なく、または基地局がリソースを示すために事前設定されたフォーマットを使用するとき、端末は、再開アイデンティティ情報を構築するために、端末コンテキストアイデンティティおよび比較的小さい長さを伴う物理的セルアイデンティティを使用し得るが、それに限定されない：再開アイデンティティ情報＝１６ビット端末コンテキストアイデンティティ＋９ビット物理的セルアイデンティティである。
【０３６５】
ステップＳ２５１６で、端末は、再開アイデンティティ情報を搬送する第４の要求メッセージを基地局に伝送する。
【０３６６】
別の随意の実施形態内で、基地局によって示されるリソースが、比較的多数であり得るため、端末は、比較的長い再開アイデンティティ情報を構築することができる。例えば、端末は、再開アイデンティティ情報を構築するために端末コンテキストアイデンティティおよびグローバルセルアイデンティティを使用し得るが、それに限定されない。再開アイデンティティ情報を構築するために端末コンテキストアイデンティティおよびグローバルセルアイデンティティを使用する、端末のフローチャートである、図２６に示されるように、プロシージャは、以下のステップを含む。
【０３６７】
ステップＳ２６０２で、端末は、基地局によって伝送されるシステムメッセージを受信する。
【０３６８】
ステップＳ２６０４で、端末は、システムメッセージに基づいて、以下の情報：グローバルセルアイデンティティ、物理的セルアイデンティティ、基地局アイデンティティのうちの少なくとも１つを取得する。
【０３６９】
ステップＳ２６０６で、端末は、基地局によって伝送される一時停止メッセージを受信し、一時停止メッセージは、ＵＥコンテキスト情報アイデンティティおよび／または以下の情報：グローバルセルアイデンティティ、物理的セルアイデンティティ、基地局アイデンティティを搬送する。
【０３７０】
ステップＳ２６０８で、端末は、ＵＥコンテキスト情報アイデンティティおよび／または他の利用可能な情報を記憶する。
【０３７１】
ステップＳ２６１０で、端末は、メッセージ１：ランダムアクセスプリアンブルを基地局に伝送する。
【０３７２】
ステップＳ２６１２で、端末は、基地局によって伝送されるメッセージ２：ランダムアクセス応答を受信する。
【０３７３】
ステップＳ２６１４で、端末は、基地局によって示されるリソースに基づいて、再開アイデンティティ情報を構築し、例えば、基地局によって示されるリソースが比較的多数であり、または基地局がリソースを示すために事前設定されたフォーマットを使用するとき、端末は、再開アイデンティティ情報を構築するために、端末コンテキストアイデンティティおよび比較的長い長さを伴うグローバルセルアイデンティティを使用し得るが、それに限定されない、すなわち、再開アイデンティティ情報＝１６ビット端末コンテキストアイデンティティ＋２８ビットグローバルセルアイデンティティである。
【０３７４】
ステップＳ２６１６で、端末は、再開アイデンティティ情報を搬送する第４の要求メッセージを基地局に伝送する。
【０３７５】
別の随意の実施形態内で、基地局によって示されるリソースが、比較的多数であり得るため、端末は、比較的長い再開アイデンティティ情報を構築することができるが、再開アイデンティティ情報の長さに向けたある制限を有し得るため、再開アイデンティティ情報は、切断され得る。例えば、端末は、再開アイデンティティ情報を構築するために端末コンテキストアイデンティティおよび省略グローバルセルアイデンティティを使用し得るが、それに限定されない。再開アイデンティティ情報を構築するために端末コンテキストアイデンティティおよび省略グローバルセルアイデンティティを使用する、端末のフローチャートである、図２７に示されるように、プロシージャは、以下のステップを含む。
【０３７６】
ステップＳ２７０２で、端末は、基地局によって伝送されるシステムメッセージを受信する。
【０３７７】
ステップＳ２７０４で、端末は、システムメッセージに基づいて、以下の情報：グローバルセルアイデンティティ、物理的セルアイデンティティ、基地局アイデンティティのうちの少なくとも１つを取得する。
【０３７８】
ステップＳ２７０６で、端末は、基地局によって伝送される一時停止メッセージを受信し、一時停止メッセージは、ＵＥコンテキスト情報アイデンティティおよび／または以下の情報：グローバルセルアイデンティティ、物理的セルアイデンティティ、基地局アイデンティティを搬送する。
【０３７９】
ステップＳ２７０８で、端末は、ＵＥコンテキスト情報アイデンティティおよび／または他の利用可能な情報を記憶する。
【０３８０】
ステップＳ２７１０で、端末は、メッセージ１：ランダムアクセスプリアンブルを基地局に伝送する。
【０３８１】
ステップＳ２７１２で、端末は、基地局によって伝送されるメッセージ２：ランダムアクセス応答を受信する。
【０３８２】
ステップＳ２７１４で、端末は、基地局によって示されるリソースに基づいて、再開アイデンティティ情報を構築し、例えば、基地局によって示されるリソースが比較的多数であり、または基地局がリソースを示すために事前設定されたフォーマットを使用するとき、端末は、再開アイデンティティ情報を構築するために、端末コンテキストアイデンティティおよび省略グローバルセルアイデンティティを使用し得るが、それに限定されない、すなわち、再開アイデンティティ情報＝１６ビット端末コンテキストアイデンティティ＋２４ビット省略グローバルセルアイデンティティである。
【０３８３】
ステップＳ２７１６で、端末は、再開アイデンティティ情報を搬送する第４の要求メッセージを基地局に伝送する。
【０３８４】
以下は、実装の随意のモードに基づく、本実施形態の接続処理フローを説明する。
端末が基地局との接続を一時停止するとき、端末は、一時停止プロシージャにおいて記憶される情報に基づいて、異なる基地局との接続再開の再開アイデンティティ情報を構築することができる。基地局は、基地局によって示される異なるリソースに基づいて、変動する長さまたはフォーマットを伴う再開アイデンティティ情報を構築することができる。図２８に示されるように、再開アイデンティティ情報を構築するために端末コンテキストアイデンティティおよび物理的セルアイデンティティを使用する、端末のフローチャートは、以下のステップを含む。
【０３８５】
ステップＳ２８０２で、端末は、基地局（ａ）によって伝送されるシステムメッセージを受信する。
【０３８６】
ステップＳ２８０４で、端末は、システムメッセージに基づいて、以下の情報：グローバルセルアイデンティティ、物理的セルアイデンティティ、基地局アイデンティティのうちの少なくとも１つを取得する。
【０３８７】
ステップＳ２８０６で、端末は、基地局（ａ）によって伝送される一時停止メッセージを受信し、一時停止メッセージは、ＵＥコンテキスト情報アイデンティティおよび／または以下の情報：グローバルセルアイデンティティ、物理的セルアイデンティティ、基地局アイデンティティを搬送する。
【０３８８】
ステップＳ２８０８で、端末は、ＵＥコンテキスト情報アイデンティティおよび／または他の利用可能な情報を記憶する。
【０３８９】
ステップＳ２８１０で、端末は、基地局（ｂ）によって受信されるシステムメッセージを受信する。
【０３９０】
ステップＳ２８１２で、端末は、システムメッセージに基づいて、以下の情報：グローバルセルアイデンティティ、物理的セルアイデンティティ、基地局アイデンティティのうちの少なくとも１つを取得する。
【０３９１】
ステップＳ２８１４で、端末は、メッセージ１：ランダムアクセスプリアンブルを基地局（ｂ）に伝送する。
【０３９２】
ステップＳ２８１６で、端末は、基地局（ｂ）によって伝送されるメッセージ２：ランダムアクセス応答を受信する。
【０３９３】
ステップＳ２８１８で、端末は、基地局（ｂ）によって示されるリソースに基づいて、再開アイデンティティ情報を構築し、例えば、基地局（ｂ）によって示されるリソースが比較的多数であり、または基地局（ｂ）がリソースを示すために事前設定されたフォーマットを使用するとき、端末は、再開アイデンティティ情報を構築するために、端末コンテキストアイデンティティおよび省略グローバルセルアイデンティティを使用し得るが、それに限定されない、すなわち、再開アイデンティティ情報＝１６ビット端末コンテキストアイデンティティ＋２４ビットグローバルセルアイデンティティである。ここで、端末は、基地局（ａ）において取得されるグローバルセルアイデンティティに基づいて、２４ビットグローバルセルアイデンティティを取得する。
【０３９４】
本随意の実施形態の再開アイデンティティ情報はまた、基地局（ａ）から端末によって取得されるグローバルセルアイデンティティまたは物理的セルアイデンティティおよび端末コンテキストから成ることができるが、本明細書では限定されないことに留意されたい。
【０３９５】
ステップＳ２８２０で、端末は、再開アイデンティティ情報を搬送する第４の要求メッセージを基地局（ｂ）に伝送する。
【０３９６】
実施形態１４
本実施形態はさらに、基地局に適用可能である、端末とネットワーク接続処理装置を提供し、本装置は、前述の実施形態および随意の方法を実装するために使用され、すでに解説されていることは、本明細書でさらに説明されないであろう。以下で使用されるように、「モジュール」という用語は、事前設定された機能を達成するために使用されるソフトウェアおよび／またはハードウェアの組み合わせを指す。以下の実施形態によって説明される装置は、好ましくは、ソフトウェアを伴って実装されるが、実装の手段として、ハードウェア、またはハードウェアおよびソフトウェアの組み合わせの使用も考えられる。
【０３９７】
図２９は、本発明の実施形態の別の随意の端末・ネットワーク接続処理装置に基づく構造ブロック図である。図２９に示されるように、本装置は、
１）端末によって伝送される、再開アイデンティティ情報を搬送する第４の要求メッセージを受信するように構成される、第７の受信機モジュール２９２であって、第４の要求メッセージは、端末とネットワークとの間の接続を再開するように基地局に要求するために使用される、第７の受信機モジュールと、
２）再開アイデンティティ情報に基づいて端末との接続を再開するように構成される、第７の受信機モジュール２９２に結合された第３の再開モジュール２９４と
を備える。
【０３９８】
代替として、本装置はさらに、再開アイデンティティ情報の全てまたは一部を端末に配分するために使用される。
【０３９９】
代替として、本装置はさらに、コンテキスト情報が一時停止されるときに、再開アイデンティティ情報の全てまたは一部を端末に伝送するために使用される。
【０４００】
代替として、本装置はさらに、コンテキスト情報が一時停止されるときに、接続一時停止メッセージを通して再開アイデンティティ情報の全てまたは一部を端末に伝送し、および／またはコンテキスト情報が一時停止されるときに、接続解放メッセージを通して再開アイデンティティ情報の全てまたは一部を端末に伝送するように構成される。
【０４０１】
代替として、本装置はさらに、第４の要求メッセージの伝送のために要求されるリソースを端末に配分するように構成される。
【０４０２】
代替として、本装置はさらに、端末に伝送されるランダムアクセス応答メッセージの中でリソースを示す、および／または端末に伝送される、チャネルフォーマット情報またはランダムアクセス応答メッセージを搬送する媒体アクセス制御（ＭＡＣ）パッケージの中でリソースを示すように構成される。
【０４０３】
代替として、第４の要求メッセージは、以下：再開要求メッセージ、または再開アイデンティティ情報を搬送するメッセージのうちの１つを備える。
【０４０４】
代替として、再開アイデンティティ情報を搬送するメッセージは、以下：無線リソース制御（ＲＲＣ）接続要求メッセージ、およびＲＲＣ接続再確立要求メッセージのうちの少なくとも１つを備える。
【０４０５】
代替として、再開アイデンティティ情報は、以下：端末コンテキストアイデンティティ、グローバルセルアイデンティティ、物理的セルアイデンティティ、基地局アイデンティティ、および事前設定ビット長値のうちの少なくとも１つを備える。
【０４０６】
代替として、端末コンテキストアイデンティティは、１６ビット値である。
【０４０７】
代替として、グローバルセルアイデンティティは、以下：コンテキスト情報が一時停止されるときのセルのグローバルセルアイデンティティ、端末コンテキスト情報を記憶するセルのグローバルセルアイデンティティのうちの少なくとも１つを備える。
【０４０８】
代替として、物理的セルアイデンティティは、以下：コンテキスト情報が一時停止されるときのセルの物理的セルアイデンティティ、端末コンテキスト情報を記憶するセルの物理的セルアイデンティティのうちの少なくとも１つを備える。
【０４０９】
代替として、基地局アイデンティティは、以下：コンテキスト情報が一時停止されるときの基地局の基地局アイデンティティ、端末コンテキスト情報を記憶する基地局の基地局アイデンティティのうちの少なくとも１つを備える。
【０４１０】
代替として、事前設定ビット長値は、以下：設定ビット長値、１６ビット〜４４ビットの間の長値のうちの少なくとも１つを備える。
【０４１１】
実施形態１５
本実施形態はさらに、端末に適用可能である、端末とネットワーク接続処理装置を提供し、本装置は、前述の実施形態および随意の方法を実装するために使用され、すでに解説されていることは、本明細書でさらに説明されないであろう。以下で使用されるように、「モジュール」という用語は、事前設定された機能を達成するために使用されるソフトウェアおよび／またはハードウェアの組み合わせを指す。以下の実施形態によって説明される装置は、好ましくは、ソフトウェアを伴って実装されるが、実装の手段として、ハードウェア、またはハードウェアおよびソフトウェアの組み合わせの使用も考えられる。本装置は、再開アイデンティティ情報を搬送する第４の要求メッセージを基地局に伝送するように構成される、第７の伝送モジュールを備え、第４の要求メッセージは、端末とネットワークとの間の接続を再開するように基地局に要求するために使用され、再開アイデンティティ情報は、端末とネットワークとの間の接続を再開するために使用される。
【０４１２】
代替として、本装置はさらに、セルシステムメッセージを読み取ることを通して、再開アイデンティティ情報の全てまたは一部を生成するために使用される情報の全てまたは一部を取得するように構成され、または端末は、再開アイデンティティ情報の全てまたは一部を構築し、または端末は、基地局によって配分されるような再開アイデンティティ情報の全てまたは一部を受信する。
【０４１３】
代替として、本装置はさらに、セルシステムメッセージを読み取ることを通して、グローバルセルアイデンティティを取得し、および／またはセルシステムメッセージを読み取ることを通して、物理的セルアイデンティティを取得し、および／またはセルシステムメッセージを読み取ることを通して、基地局アイデンティティを取得するように構成される。
【０４１４】
代替として、本装置はさらに、コンテキスト情報が一時停止されるときに、基地局によって配分される再開アイデンティティ情報の全てまたは一部を受信するように構成される。
【０４１５】
代替として、本装置はさらに、コンテキスト情報が一時停止されるときに、接続一時停止メッセージを通して、基地局によって配分される再開アイデンティティ情報の全てまたは一部を受信するように構成され、および／または端末は、コンテキスト情報が一時停止されるときに、接続解放メッセージを通して、基地局によって配分される再開アイデンティティ情報の全てまたは一部を受信する。
【０４１６】
代替として、本装置はさらに、基地局によって配分される第４の要求メッセージを伝送するために要求されるリソースを受信するように構成される。
【０４１７】
代替として、本装置はさらに、ランダムアクセス応答メッセージの中で基地局によって示されるリソース、および／またはチャネルフォーマット情報またはランダムアクセス応答メッセージを搬送するＭＡＣパッケージの中で基地局によって示されるリソースを受信するように構成される。
【０４１８】
代替として、本装置はさらに、リソースに基づいて再開アイデンティティ情報を構築するように構成される。
【０４１９】
代替として、端末がリソースに基づいて再開アイデンティティ情報を構築することは、端末が、異なるサイズのリソースに基づいて、異なる再開アイデンティティ情報を構築することを含む。
【０４２０】
代替として、本装置はさらに、再開アイデンティティ情報を構築するために端末コンテキストアイデンティティおよび事前設定情報を使用するように構成され、事前設定情報は、以下：グローバルセルアイデンティティの全てまたは一部、物理的セルアイデンティティの全てまたは一部、基地局アイデンティティの全てまたは一部のうちの１つを備える。
【０４２１】
代替として、第４の要求メッセージは、以下：再開要求メッセージ、または再開アイデンティティ情報を搬送するメッセージのうちの１つを備える。
【０４２２】
代替として、再開アイデンティティ情報を搬送するメッセージは、以下：無線リソース制御（ＲＲＣ）接続要求メッセージ、およびＲＲＣ接続再確立要求メッセージのうちの少なくとも１つを備える。
【０４２３】
代替として、再開アイデンティティ情報は、以下：端末コンテキストアイデンティティ、グローバルセルアイデンティティ、物理的セルアイデンティティ、基地局アイデンティティ、および事前設定ビット長値のうちの少なくとも１つを備える。
【０４２４】
代替として、端末コンテキストアイデンティティは、１６ビット値である。
【０４２５】
代替として、グローバルセルアイデンティティは、以下：コンテキスト情報が一時停止されるときのセルのグローバルセルアイデンティティ、端末コンテキスト情報を記憶するセルのグローバルセルアイデンティティのうちの少なくとも１つを備える。
【０４２６】
代替として、物理的セルアイデンティティは、以下：コンテキスト情報が一時停止されるときのセルの物理的セルアイデンティティ、端末コンテキスト情報を記憶するセルの物理的セルアイデンティティのうちの少なくとも１つを備える。
【０４２７】
代替として、基地局アイデンティティは、以下：コンテキスト情報が一時停止されるときの基地局の基地局アイデンティティ、端末コンテキスト情報を記憶する基地局の基地局アイデンティティのうちの少なくとも１つを備える。
【０４２８】
代替として、事前設定ビット長値は、以下：設定ビット長値、１６ビット〜４４ビットの間の長値のうちの少なくとも１つを備える。
【０４２９】
実施形態１６
本実施形態はさらに、前述の実施形態およびそれらの随意の実装モードで説明される技術的ソリューションを実行するために使用される、ソフトウェアのタイプを提供する。
【０４３０】
本実施形態はさらに、記憶媒体を提供し、本実施形態内で、記憶媒体は、以下のステップを実行するために使用されるプログラムコードを記憶するように構成されることができる。
【０４３１】
Ｓ１１で、基地局は、端末によって伝送される、端末アイデンティティ情報を搬送する第１の要求メッセージを受信し、端末アイデンティティ情報は、端末のアイデンティティを示すために使用され、第１の要求メッセージは、端末とネットワークとの間の接続を再開するように基地局に要求するために使用される。
【０４３２】
Ｓ１２で、基地局は、端末アイデンティティ情報に合致するコンテキスト情報を検索する。
【０４３３】
Ｓ１３で、基地局がコンテキスト情報を見出すとき、端末との接続を再開するためにコンテキスト情報を使用する。
【０４３４】
代替として、記憶媒体はさらに、以下のステップを実行するために使用されるプログラムコードを記憶するように構成される。
【０４３５】
Ｓ２１で、端末は、端末アイデンティティ情報を搬送する第１の要求メッセージを基地局に伝送することを含み、端末アイデンティティ情報は、端末のアイデンティティを示すために使用され、第１の要求メッセージは、端末とネットワークとの間の接続を再開するように基地局に要求するために使用される。
【０４３６】
代替として、記憶媒体はさらに、以下のステップを実行するために使用されるプログラムコードを記憶するように構成される。
【０４３７】
Ｓ３１で、基地局は、端末によって伝送される、データ伝送モード情報を搬送する第２の要求メッセージを受信し、データ伝送モード情報は、端末のデータ伝送モードを示すために使用される。
【０４３８】
Ｓ３２で、基地局は、データ伝送モード情報に基づいて、端末とネットワークとの間の接続のためのリソースを構成する。
【０４３９】
代替として、記憶媒体はさらに、以下のステップを実行するために使用されるプログラムコードを記憶するように構成される。
【０４４０】
Ｓ４１で、端末は、データ伝送モード情報を搬送する第２の要求メッセージを基地局に伝送し、データ伝送モード情報は、端末のデータ伝送モードを示すために使用される。
【０４４１】
代替として、記憶媒体はさらに、以下のステップを実行するために使用されるプログラムコードを記憶するように構成される。
【０４４２】
Ｓ５１で、端末は、基地局によって伝送される、基地局が端末との接続を確立または再開することを示すために使用される第１の応答メッセージを受信する。
【０４４３】
Ｓ５２で、第１の応答メッセージの中で搬送される無線リソース構成インジケーションに基づいて、端末は、無線リソース構成を実行するモードを判定する。
【０４４４】
代替として、記憶媒体はさらに、以下のステップを実行するために使用されるプログラムコードを記憶するように構成される。
【０４４５】
Ｓ６１で、端末は、端末アイデンティティ情報を搬送する、無線リソース制御（ＲＲＣ）接続プロセス完了を示すために使用されるメッセージを基地局に伝送し、端末アイデンティティ情報は、端末のアイデンティティを示すために使用される。
【０４４６】
代替として、記憶媒体はさらに、以下のステップを実行するために使用されるプログラムコードを記憶するように構成される。
【０４４７】
Ｓ７１で、基地局は、端末によって伝送される、端末アイデンティティ情報を搬送する第３の要求メッセージを受信し、端末アイデンティティ情報は、端末のアイデンティティを示すために使用され、第３の要求メッセージは、端末とネットワークとの間の接続を確立または再開するように基地局に要求するために使用される。
【０４４８】
Ｓ７２で、第３の要求メッセージ命令に基づいて、基地局は、端末との接続を確立または再開するようにネットワーク側に通知する。
【０４４９】
代替として、記憶媒体はさらに、以下のステップを実行するために使用されるプログラムコードを記憶するように構成される。
【０４５０】
Ｓ８１で、端末は、端末アイデンティティ情報を搬送する第３の要求メッセージを基地局に伝送し、端末アイデンティティ情報は、端末のアイデンティティを示すために使用され、第３の要求メッセージは、端末とネットワークとの間の接続を確立または再開するように基地局に要求するために使用される。
【０４５１】
代替として、記憶媒体はさらに、以下のステップを実行するために使用されるプログラムコードを記憶するように構成される。
【０４５２】
Ｓ９１で、無線ベアラは、ＡＳ層セキュリティの確立に先立って、簡略化ＰＤＣＰ機能を使用する。
【０４５３】
代替として、記憶媒体はさらに、以下のステップを実行するために使用されるプログラムコードを記憶するように構成される。
【０４５４】
Ｓ１０１で、基地局は、端末によって伝送される、再開アイデンティティ情報を搬送する第４の要求メッセージを受信し、第４の要求メッセージは、端末とネットワークとの間の接続を再開するように基地局に要求するために使用される。
【０４５５】
Ｓ１０２で、基地局は、再開アイデンティティ情報に基づいて端末との接続を再開する。
【０４５６】
代替として、記憶媒体はさらに、以下のステップを実行するために使用されるプログラムコードを記憶するように構成される。
【０４５７】
Ｓ１１１で、端末は、再開アイデンティティ情報を搬送する第４の要求メッセージを基地局に伝送し、第４の要求メッセージは、端末とネットワークとの間の接続を再開するように基地局に要求するために使用され、再開アイデンティティ情報は、端末とネットワークとの間の接続を再開するために使用される。
【０４５８】
代替として、本実施形態内で、記憶媒体は、ＵＳＢ、読取専用メモリ（ＲＯＭ）、ランダムアクセスメモリ（ＲＡＭ）、モバイルハードディスク、磁気または光ディスク等のプログラムコードを記憶することが可能な任意の媒体を備えることができるが、それに限定されない。
【０４５９】
本発明のステップおよびモジュールは、ユニバーサルコンピューティングデバイスを使用して実装されることができ、それらは、単一のコンピューティング装置上に集中され得、または複数のコンピュータ装置のネットワークにわたって分散され得ることが、当業者に明白であろう。代替として、それらは、コンピュータ実行可能プログラムコードを使用して実装されることができ、したがって、コンピューティング装置によって実装されるように記憶媒体上に記憶されることができる。ある状況では、本発明のステップは、本明細書で説明または図示されるものと異なる順序で実装されることができ、それらは、集積回路モジュールに別個に製造されることができる、または複数のステップ／モジュールは、実装のために単一の集積回路モジュールに製造されることができる。このように、本発明は、ハードウェアおよびソフトウェアの任意の具体的組み合わせに限定されない。
【０４６０】
先行するものは、本発明の随意の実施形態にすぎず、その請求項を限定する役割を果たさすものではない。本発明は、全て本発明の精神および原理内に入るであろう、任意の数の変更および変形例を受け得ることが、当業者に明白であろう。任意の修正、同等の置換、改良等が、本開示の保護範囲内に含まれるはずである。
【産業上の利用可能性】
【０４６１】
本発明の実施形態によって提供される技術的ソリューションは、端末と基地局との間の接続プロセスに適用可能であり、基地局が、端末によって伝送される、端末のアイデンティティ情報を搬送する第１の要求メッセージを受信する、方法を採用し、端末アイデンティティ情報は、端末のアイデンティティを示すために使用され、第１の要求メッセージは、端末とネットワークとの間の接続を再開するように基地局に要求するために使用され、基地局は、端末アイデンティティ情報に合致するコンテキスト情報を検索し、基地局がコンテキスト情報を見出すとき、端末との接続を再開するためにコンテキスト情報を使用し、接続再開を要求する端末が、すでに以前に基地局との接続を確立した可能性があり、基地局が、端末のコンテキスト情報を留保している場合があるため、基地局によって受信される要求メッセージは、端末との接続を優先的に再開するように基地局に命令することができる、接続要求メッセージを搬送し、基地局は、要求メッセージの中で搬送される端末アイデンティティ情報に基づいて、示された端末アイデンティティ情報に合致するコンテキスト情報が存在するかどうかを検索し、コンテキスト情報が見出された場合、基地局が、コンテキスト情報に基づいて、端末との接続を直接再開し、それによって、関連技術における端末とネットワークとの間の複雑な接続処理の問題を解決し、端末とネットワークとの間の高速接続再開を達成する。これ以外にも、基地局は、本来のコンテキスト情報を利用し、それによって、接続確立フローの反復実行を回避し、端末とネットワークとの間の接続処理の効率を向上させる。
【図１】
2019508959.tif 000003
【図２】
2019508959.tif 000004
【図３】
2019508959.tif 000005
【図４】
2019508959.tif 000006
【図５】
2019508959.tif 000007
【図６】
2019508959.tif 000008
【図７】
2019508959.tif 000009
【図８】
2019508959.tif 000010
【図９】
2019508959.tif 000011
【図１０】
2019508959.tif 000012
【図１１】
2019508959.tif 000013
【図１２】
2019508959.tif 000014
【図１３】
2019508959.tif 000015
【図１４】
2019508959.tif 000016
【図１５】
2019508959.tif 000017
【図１６】
2019508959.tif 000018
【図１７】
2019508959.tif 000019
【図１８】
2019508959.tif 000020
【図１９】
2019508959.tif 000021
【図２０】
2019508959.tif 000022
【図２１】
2019508959.tif 000023
【図２２】
2019508959.tif 000024
【図２３】
2019508959.tif 000025
【図２４】
2019508959.tif 000026
【図２５】
2019508959.tif 000027
【図２６】
2019508959.tif 000028
【図２７】
2019508959.tif 000029
【図２８】
2019508959.tif 000030
【図２９】
2019508959.tif 000031
【手続補正書】
【提出日】平成30年10月3日(2018.10.3)
【手続補正１】
【補正対象書類名】特許請求の範囲
【補正対象項目名】全文
【補正方法】変更
【補正の内容】
【特許請求の範囲】
【請求項１】
ワイヤレス通信デバイスによって行われる方法であって、
ワイヤレス通信ノードから第１のメッセージを受信することであって、前記第１のメッセージは、前記ワイヤレス通信ノードに伝送される第２のメッセージに応答して、前記ワイヤレス通信デバイスと前記ワイヤレス通信ノードとの間の無線リソース制御（ＲＲＣ）接続を再開するように構成され、前記第２のメッセージは、前記ワイヤレス通信デバイスと前記ワイヤレス通信ノードとの間の前記ＲＲＣ接続を再開することを要求する、ことと、
第３のメッセージを前記ワイヤレス通信ノードに伝送することであって、前記第３のメッセージは、前記ＲＲＣ接続の完了を示し、ＳＡＥ−一時モバイルサブスクライバアイデンティティ（Ｓ−ＴＭＳＩ）を備え、前記Ｓ−ＴＭＳＩは、前記ワイヤレス通信デバイスのアイデンティティを示す、ことと
を含む、方法。
【請求項２】
前記第２のメッセージを前記ワイヤレス通信ノードに伝送することに応答して前記第１のメッセージを受信することに基づいて、前記第３のメッセージを前記ワイヤレス通信ノードに伝送することを判定することをさらに含む、請求項１に記載の方法。
【請求項３】
ワイヤレス通信ノードによって行われる方法であって、
ワイヤレス通信デバイスから第１のメッセージを受信することであって、前記第１のメッセージは、前記ワイヤレス通信ノードと前記ワイヤレス通信デバイスとの間の無線リソース制御（ＲＲＣ）接続を再開することを要求する、ことと、
前記第１のメッセージに応答して、第２のメッセージを前記ワイヤレス通信デバイスに伝送することであって、前記第２のメッセージは、前記ワイヤレス通信ノードと前記ワイヤレス通信デバイスとの間の前記ＲＲＣ接続を再開するように構成される、ことと、
前記ワイヤレス通信デバイスから第３のメッセージを受信することであって、前記第３のメッセージは、前記ＲＲＣ接続の完了を示し、システムアーキテクチャエボリューション（ＳＡＥ）−一時モバイルサブスクライバアイデンティティ（Ｓ−ＴＭＳＩ）を備え、前記Ｓ−ＴＭＳＩは、前記ワイヤレス通信デバイスのアイデンティティを示す、ことと
を含む、方法。
【請求項４】
前記第３のメッセージは、前記第２のメッセージを伝送することに応答して受信される、請求項３に記載の方法。
【請求項５】
ワイヤレス通信デバイスによって行われる方法であって、
ワイヤレス通信ノードから専用通知メッセージを受信することであって、前記専用通知メッセージは、透過モードにおいてパケットデータ収束プロトコル（ＰＤＣＰ）層を使用して、シグナリング無線ベアラ（ＳＲＢ）の確立を示す、ことと、
アクセス層（ＡＳ）セキュリティの確立に先立って、透過モードにおいて前記ＰＤＣＰ層を使用して、前記ＳＲＢを確立することと
を含む、方法。
【請求項６】
ワイヤレス通信ノードによって行われる方法であって、
専用通知メッセージをワイヤレス通信デバイスに伝送することであって、前記専用通知メッセージは、透過モードにおいてパケットデータ収束プロトコル（ＰＤＣＰ）層を使用して、シグナリング無線ベアラ（ＳＲＢ）の確立を示す、ことと、
アクセス層（ＡＳ）セキュリティの確立に先立って、透過モードにおいて前記ＰＤＣＰ層を使用して、前記ＳＲＢを確立することと
を含む、方法。
【請求項７】
コンピュータ実行可能な命令を記憶する非一過性のコンピュータ可読媒体であって、前記命令は、実行されると、請求項１〜６のいずれか１項に記載の方法のいずれか１つを行う、非一過性のコンピュータ可読媒体。
【請求項８】
ワイヤレス通信デバイスであって、
ワイヤレス通信ノードから第１のメッセージを受信するように構成された受信機であって、前記第１のメッセージは、前記ワイヤレス通信ノードに伝送される第２のメッセージに応答して、前記ワイヤレス通信デバイスと前記ワイヤレス通信ノードとの間の無線リソース制御（ＲＲＣ）接続を再開するように構成され、前記第２のメッセージは、前記ワイヤレス通信デバイスと前記ワイヤレス通信ノードとの間の前記ＲＲＣ接続を再開することを要求する、受信機と、
第３のメッセージを前記ワイヤレス通信ノードに伝送するように構成された伝送機であって、前記第３のメッセージは、前記ＲＲＣ接続の完了を示し、ＳＡＥ−一時モバイルサブスクライバアイデンティティ（Ｓ−ＴＭＳＩ）を備え、前記Ｓ−ＴＭＳＩは、前記ワイヤレス通信デバイスのアイデンティティを示す、伝送機と
を備える、ワイヤレス通信デバイス。
【請求項９】
前記第２のメッセージを前記ワイヤレス通信ノードに伝送することに応答して前記第１のメッセージを受信することに基づいて、前記第３のメッセージを前記ワイヤレス通信ノードに伝送することを判定するように構成されている、少なくとも１つのプロセッサをさらに備える、請求項８に記載のワイヤレス通信デバイス。
【請求項１０】
ワイヤレス通信ノードであって、
ワイヤレス通信デバイスから第１のメッセージを受信するように構成された受信機であって、前記第１のメッセージは、前記ワイヤレス通信ノードと前記ワイヤレス通信デバイスとの間の無線リソース制御（ＲＲＣ）接続を再開することを要求する、受信機と、
前記第１のメッセージに応答して、第２のメッセージを前記ワイヤレス通信デバイスに伝送するように構成されている、伝送機であって、前記第２のメッセージは、前記ワイヤレス通信ノードと前記ワイヤレス通信デバイスとの間の前記ＲＲＣ接続を再開するように構成される、伝送機と
を備え、
前記受信機はさらに、前記ワイヤレス通信デバイスから第３のメッセージを受信するように構成され、前記第３のメッセージは、前記ＲＲＣ接続の完了を示し、システムアーキテクチャエボリューション（ＳＡＥ）−一時モバイルサブスクライバアイデンティティ（Ｓ−ＴＭＳＩ）を備え、前記Ｓ−ＴＭＳＩは、前記ワイヤレス通信デバイスのアイデンティティを示す、ワイヤレス通信ノード。
【請求項１１】
前記第３のメッセージは、前記第２のメッセージを伝送することに応答して受信される、請求項１０に記載のワイヤレス通信ノード。
【請求項１２】
ワイヤレス通信デバイスであって、
ワイヤレス通信ノードから専用通知メッセージを受信するように構成された受信機であって、前記専用通知メッセージは、透過モードにおいてパケットデータ収束プロトコル（ＰＤＣＰ）層を使用して、シグナリング無線ベアラ（ＳＲＢ）の確立を示す、受信機と、
アクセス層（ＡＳ）セキュリティの確立に先立って、透過モードにおいて前記ＰＤＣＰ層を使用して、前記ＳＲＢを確立するように構成されている、少なくとも１つのプロセッサと
を備える、ワイヤレス通信デバイス。
【請求項１３】
ワイヤレス通信ノードであって、
専用通知メッセージをワイヤレス通信デバイスに伝送するように構成された伝送機であって、前記専用通知メッセージは、透過モードにおいてパケットデータ収束プロトコル（ＰＤＣＰ）層を使用して、シグナリング無線ベアラ（ＳＲＢ）の確立を示す、伝送機と、
アクセス層（ＡＳ）セキュリティの確立に先立って、透過モードにおいて前記ＰＤＣＰ層を使用して、前記ＳＲＢを確立するように構成されている、少なくとも１つのプロセッサと
を備える、ワイヤレス通信ノード。
【手続補正２】
【補正対象書類名】明細書
【補正対象項目名】０１０６
【補正方法】変更
【補正の内容】
【０１０６】
基地局が、端末によって伝送される、端末のアイデンティティ情報を搬送する第１の要求メッセージを受信し、端末アイデンティティ情報が、端末のアイデンティティを示すために使用され、第１の要求メッセージが、端末とネットワークとの間の接続を再開するように基地局に要求するために使用され、基地局が、端末アイデンティティ情報に合致するコンテキスト情報を検索し、基地局が、コンテキスト情報を見出すとき、端末との接続を再開するためにコンテキスト情報を使用し、接続再開を要求する端末が、すでに以前に基地局との接続を確立した可能性があり、基地局が、端末のコンテキスト情報を留保している場合があるため、基地局によって受信される要求メッセージは、端末との接続を優先的に再開するように基地局に命令することができる、接続要求メッセージを搬送し、基地局が、要求メッセージの中で搬送される端末アイデンティティ情報に基づいて、示された端末アイデンティティ情報に合致するコンテキスト情報が存在するかどうかを検索し、コンテキスト情報が見出された場合、基地局が、コンテキスト情報に基づいて、端末との接続を直接再開する、本発明の実施形態の実装は、関連技術における端末とネットワークとの間の複雑な接続処理の問題を解決し、端末とネットワークとの間の高速接続再開を達成する。これ以外にも、基地局は、本来のコンテキスト情報を利用し、それによって、接続確立プロシージャの反復実行を回避し、端末とネットワークとの間の接続処理の効率を向上させる。
本願明細書は、例えば、以下の項目も提供する。
（項目１）
端末とネットワークとの間の接続処理のための方法であって、
基地局によって、前記端末によって伝送される、端末アイデンティティ情報を搬送する第１の要求メッセージを受信することであって、前記端末アイデンティティ情報は、前記端末のアイデンティティを示すために使用され、前記第１の要求メッセージは、前記端末とネットワークとの間の接続を再開するように前記基地局に要求するために使用される、ことと、
基地局によって、前記端末アイデンティティ情報に合致するコンテキスト情報を検索することと、
前記基地局が前記コンテキスト情報を見出すとき、前記端末との接続を再開するために前記コンテキスト情報を使用することと
を含む、方法。
（項目２）
前記端末アイデンティティ情報は、以下：初期端末アイデンティティ情報および再開アイデンティティ情報のうちの少なくとも１つを備え、初期端末アイデンティティ情報は、初期端末アイデンティティまたは初期端末アイデンティティを生成するために使用される情報を備え、前記再開アイデンティティ情報は、再開アイデンティティまたは再開アイデンティティを生成するために使用される情報を備える、項目１に記載の方法。
（項目３）
前記基地局が前記端末アイデンティティ情報に合致するコンテキスト情報を検索した後、前記方法はさらに、
前記基地局が前記コンテキスト情報を見出さないとき、前記コンテキスト情報は、近隣基地局から入手されることと、
前記基地局は、前記端末との前記接続を再開するために、前記近隣基地局から取得される前記コンテキスト情報を利用することと
を含む、項目１に記載の方法。
（項目４）
前記基地局が前記端末アイデンティティ情報に合致するコンテキスト情報を検索した後、前記方法はさらに、前記基地局が前記コンテキスト情報を見出さないとき、前記端末との接続を確立するために前記端末アイデンティティ情報を使用することを含む、項目１に記載の方法。
（項目５）
前記第１の要求メッセージは、以下：再開要求メッセージ、接続再開インジケーションを搬送するメッセージのうちの１つを備える、項目１に記載の方法。
（項目６）
接続再開インジケーションを搬送する前記メッセージは、以下：無線リソース制御（ＲＲＣ）接続要求メッセージ、およびＲＲＣ接続再確立要求メッセージのうちの少なくとも１つを備える、項目５に記載の方法。
（項目７）
前記端末のアイデンティティ情報に合致する第１のコンテキスト情報を検索することは、前記基地局が前記第１の要求メッセージによってトリガされるとき、前記基地局は、前記再開アイデンティティ情報に合致する前記コンテキスト情報を優先的に検索することを含む、項目２に記載の方法。
（項目８）
前記基地局が前記第１の要求メッセージによってトリガされるとき、前記基地局が前記再開アイデンティティ情報に合致する前記コンテキスト情報を優先的に検索した後、前記方法はさらに、前記基地局が前記コンテキスト情報を見出さないとき、前記初期端末アイデンティティ情報に基づいて前記端末とのＲＲＣ接続を確立することを含む、項目７に記載の方法。
（項目９）
前記基地局が前記コンテキスト情報を検索した後、前記方法はさらに、前記基地局が前記コンテキスト情報を見出さないとき、拒否メッセージを前記端末に伝送することを含み、前記拒否メッセージは、拒否原因値またはインジケーション情報を搬送し、前記インジケーション情報は、前記端末が前記ネットワークとの接続を再確立するかどうかを判定するために使用される、項目１に記載の方法。
（項目１０）
前記拒否メッセージは、以下：ＲＲＣ接続拒否メッセージ、ＲＲＣ再確立拒否メッセージ、ＲＲＣ接続再開拒否メッセージのうちの少なくとも１つを備える、項目９に記載の方法。
（項目１１）
前記初期端末アイデンティティは、４１ビットを超えない長さを伴うアイデンティティ情報を備え、
前記初期端末アイデンティティを生成するために使用される前記情報は、以下：ＳＡＥ−一時モバイルサブスクライバアイデンティティ（Ｓ−ＴＭＳＩ）、モバイル管理エンティティ（ＭＭＥ）アイデンティティＭＭＥＣ、ＭＭＥユーザ一意アイデンティティコードｍ−ＴＭＳＩ、セルアイデンティティ、一意の端末アイデンティティ番号Ｃ−ＲＮＴＩ、ＳｈｏｒｔＭａｃ−Ｉ情報、３２ビットを超えない長さを伴う乱数のうちの少なくとも１つを備え、
前記再開アイデンティティは、４１ビットを超えない長さを伴うアイデンティティ情報を備え、
前記再開アイデンティティに使用される前記情報は、以下：ＳＡＥ−一時モバイルサブスクライバアイデンティティ（Ｓ−ＴＭＳＩ）、モバイル管理エンティティ（ＭＭＥ）アイデンティティＭＭＥＣ、ＭＭＥユーザ一意アイデンティティコードｍ−ＴＭＳＩ、セルアイデンティティ、一意の端末アイデンティティ番号Ｃ−ＲＮＴＩ、ＳｈｏｒｔＭａｃ−Ｉ情報、３２ビットを超えない長さを伴う乱数のうちの少なくとも１つを備える、項目２に記載の方法。
（項目１２）
端末とネットワークとの間の接続処理のための方法であって、
端末が、端末アイデンティティ情報を搬送する第１の要求メッセージを基地局に伝送することを含み、
前記端末アイデンティティ情報は、前記端末のアイデンティティを示すために使用され、前記第１の要求メッセージは、前記端末とネットワークとの間の接続を再開するように前記基地局に要求するために使用される、方法。
（項目１３）
端末とネットワークとの間の接続処理のための方法であって、
基地局が、前記端末によって伝送される、データ伝送モード情報を搬送する第２の要求メッセージを受信することであって、前記データ伝送モード情報は、前記端末のデータ伝送モードを示すために使用される、ことと、
前記基地局が、前記データ伝送モード情報に基づいて、前記端末とネットワークとの間の接続のためのリソースを構成することと
を含む、方法。
（項目１４）
前記データ伝送モード情報は、以下：ユーザプレーン最適化モード情報、制御プレーン最適化モード情報のうちの少なくとも１つを備える、項目１３に記載の方法。
（項目１５）
前記基地局が、前記データ伝送モード情報に基づいて、前記端末とネットワークとの間の接続のためのリソースを構成することは、
前記基地局が、前記データ伝送モード情報に基づいて無線リソースを構成すること、および／または
前記基地局が、前記データ伝送モード情報に基づいてネットワーク要素を構成すること、および／または
前記基地局が、前記データ伝送モード情報に基づいてネットワークインターフェースリソースを構成すること
を含む、項目１３に記載の方法。
（項目１６）
前記基地局が、前記データ伝送モード情報に基づいて無線リソースを構成することは、前記基地局が、前記端末とネットワークとの間の前記接続の前記無線リソースのためにシグナリング無線ベアラの特徴を構成すること、および／または前記基地局が、前記端末とネットワークとの間の前記接続の前記無線リソースのためにデータ無線ベアラの特徴を構成することを含む、項目１５に記載の方法。
（項目１７）
前記シグナリング無線ベアラの特徴は、以下：パケットデータ収束プロトコル（ＰＤＣＰ）プロトコル層を含むかどうか、透過モードＰＤＣＰプロトコル層を使用するかどうか、ＰＤＣＰプロトコルヘッダを含むかどうか、ＰＤＣＰシーケンス番号を含むかどうか、安全性情報を含むかどうかのうちの少なくとも１つを備え、
前記データ無線ベアラの特徴は、以下：ＰＤＣＰプロトコル層を含むかどうか、透過モードＰＤＣＰプロトコル層を使用するかどうか、ＰＤＣＰプロトコルヘッダを含むかどうか、ＰＤＣＰシーケンス番号を含むかどうか、安全性情報を含むかどうかのうちの少なくとも１つを備える、項目１６に記載の方法。
（項目１８）
前記ユーザプレーン最適化モード情報は、以下の接続確立原因：ユーザプレーン最適化モード開始コールデータ、ユーザプレーン最適化モード開始コールシグナリング、ユーザプレーン最適化モード開始コール異常報告、ユーザプレーン最適化受信コールデータ、ユーザプレーン最適化モード受信コールシグナリング、ユーザプレーン最適化モード受信コール異常報告のうちの少なくとも１つによって示され、
前記制御プレーン最適化モードの前記データ伝送モード情報は、以下の接続確立原因：制御プレーン最適化モード開始コールデータ、制御プレーン最適化モード開始コールシグナリング、制御プレーン最適化モード開始コール異常報告、制御プレーン最適化モード受信コールデータ、制御プレーン最適化モード受信コールシグナリング、制御プレーン最適化モード受信コール異常報告のうちの少なくとも１つによって示される、項目１４に記載の方法。
（項目１９）
前記基地局が、前記端末とネットワークとの間の前記接続の前記無線リソースのために前記シグナリング無線ベアラの特徴を構成することは、前記データ伝送モード情報が前記制御プレーン最適化モード開始コールデータまたは制御プレーン最適化モード受信コールデータであるとき、前記端末とネットワークとの間の前記接続の前記無線リソースのために前記基地局によって構成される前記信号無線ベアラが、前記ＰＤＣＰプロトコルヘッダを備えないことを含み、
前記基地局が、前記端末とネットワークとの間の前記接続の前記無線リソースのために前記シグナリング無線ベアラの特徴を構成することは、前記データ伝送モード情報が前記制御最適化モード開始コールデータおよび前記制御最適化モード受信コールデータ以外の情報であるとき、前記端末とネットワークとの間の前記接続の前記無線リソースのために前記基地局によって構成される前記シグナリング無線ベアラが、前記ＰＤＣＰプロトコルヘッダを備えることを含む、項目１８に記載の方法。
（項目２０）
前記基地局が前記データ伝送モード情報に基づいて前記端末とネットワークとの間の前記接続のためにリソースを構成した後、前記方法はさらに、前記基地局が、通知メッセージを通して、前記端末とネットワークとの間の前記接続の前記構成されたリソースについて前記端末に通知することを含む、項目１３に記載の方法。
（項目２１）
端末とネットワークとの間の接続処理のための方法であって、
端末が、データ伝送モード情報を搬送する第２の要求メッセージを基地局に伝送することを含み、
前記データ伝送モード情報は、前記端末のデータ伝送モードを示すために使用される、方法。
（項目２２）
端末とネットワークとの間の接続処理のための方法であって、
端末が、基地局によって伝送される、前記基地局が前記端末との接続を確立または再開することを示すために使用される第１の応答メッセージを受信することと、
前記第１の応答メッセージの中で搬送される無線リソース構成インジケーションに基づいて、前記端末が、無線リソース構成を実行するモードを判定することと
を含む、方法。
（項目２３）
前記端末が、前記第１の応答メッセージの中で搬送される前記無線リソース構成インジケーションに基づいて、無線リソース構成を実行するモードを判定することは、
前記第１の応答メッセージが、前記無線リソース構成インジケーションを備えず、空の無線リソース構成を備えるとき、前記端末が、ローカルに記憶された無線リソース構成を使用すること、または
前記第１の応答メッセージが、前記無線リソース構成インジケーションを備えず、空の無線リソース構成を備えないとき、前記端末が、前記ローカルに記憶された無線リソース構成および／または前記第１の応答メッセージの中に含有される前記無線リソース構成に基づいて生成される、無線リソース構成を使用すること
を含む、項目２２に記載の方法。
（項目２４）
端末とネットワークとの間の接続処理のための方法であって、
端末が、前記端末アイデンティティ情報を搬送し、ＲＲＣ接続プロセス完了を示すために使用される、メッセージを基地局に伝送することを含み、
前記端末アイデンティティ情報は、前記端末のアイデンティティを示すために使用される、方法。
（項目２５）
前記端末アイデンティティ情報は、前記端末アイデンティティまたは前記端末アイデンティティを生成するために使用される情報を備える、項目２４に記載の方法。
（項目２６）
前記端末アイデンティティは、４１ビットを超えない長さを伴うアイデンティティ情報を備え、
前記端末アイデンティティを生成するために使用される前記情報は、以下：ＳＡＥ−一時モバイルサブスクライバアイデンティティ（Ｓ−ＴＭＳＩ）、モバイル管理エンティティ（ＭＭＥ）コードＭＭＥＣ、ＭＭＥユーザ一意アイデンティティ番号ｍ−ＴＭＳＩ、セルアイデンティティ、物理的セルアイデンティティ、一意の端末アイデンティティ番号Ｃ−ＲＮＴＩ、ＳｈｏｒｔＭＡＣ−Ｉ情報、３２ビットを超えない長さを伴う乱数のうちの少なくとも１つを備える、項目２５に記載の方法。
（項目２７）
前記端末が、ＲＲＣ接続プロセス完了を示すために使用される、前記端末アイデンティティ情報を搬送する前記メッセージを伝送する前に、前記方法はさらに、
前記端末が、前記基地局によって伝送される、前記基地局が前記端末との接続を確立または再開することを示すために使用される第２の応答メッセージを受信することと、
前記第２の応答メッセージのインジケーションに従って、前記端末が、ＲＲＣ接続プロセス完了を示すために使用される前記メッセージを前記基地局に伝送するかどうかを判定することと
を含む、項目２５に記載の方法。
（項目２８）
前記端末が、前記第２の応答メッセージの前記インジケーションに基づいて、ＲＲＣ接続プロセス完了を示すために使用される前記メッセージを前記基地局に伝送するかどうかを判定することは、前記第２の応答メッセージが、ＲＲＣ接続プロセス完了を示すために使用されるメッセージを伝送するかどうかを示すために使用される、命令を明示的に備えるとき、前記端末が、前記命令に基づいて、ＲＲＣ接続プロセス完了を示すために使用される前記メッセージを前記基地局に伝送するかどうかを判定することを含む、項目２７に記載の方法。
（項目２９）
前記端末が、前記応答メッセージの命令に基づいて、ＲＲＣ接続プロセス完了を示すために使用される前記メッセージを前記基地局に伝送するかどうかを判定することは、
前記第２の応答メッセージが、ＲＲＣ接続プロセス完了を示すために使用されるメッセージを伝送するかどうかを示すために使用される、命令を明示的に備えず、空の無線リソース構成を備えるとき、前記端末は、ＲＲＣ接続プロセス完了を示すために使用される前記メッセージを前記基地局に伝送しないこと、または
前記第２の応答メッセージが、ＲＲＣ接続プロセス完了を示すために使用されるメッセージを伝送するかどうかを示すために使用される、命令を明示的に備えず、空ではない無線リソース構成を備えるとき、前記端末は、ＲＲＣ接続プロセス完了を示すために使用される前記メッセージを前記基地局に伝送すること
を含む、項目２７に記載の方法。
（項目３０）
前記第２の応答メッセージが、ＲＲＣ接続プロセス完了を示すために使用されるメッセージを伝送するかどうかを示すために使用される、命令を明示的に備えず、空ではない無線リソース構成を備えるとき、ＲＲＣ接続プロセス完了を示すために使用される前記メッセージは、前記応答メッセージを備える、前記無線リソース構成に向けた前記端末の処理結果を搬送する、項目２９に記載の方法。
（項目３１）
端末とネットワークとの間の接続処理のための方法であって、
基地局が、前記端末によって伝送される、端末アイデンティティ情報を搬送する第３の要求メッセージを受信することであって、前記端末アイデンティティ情報は、前記端末のアイデンティティを示すために使用され、前記第３の要求メッセージは、前記端末とネットワークとの間の接続を確立または再開するように前記基地局に要求するために使用される、ことと、
前記第３の要求メッセージ命令に基づいて、前記基地局が、前記端末との接続を確立または再開するように前記ネットワーク側に通知することと
を含む、方法。
（項目３２）
前記端末アイデンティティ情報は、以下：初期端末アイデンティティ情報、再開アイデンティティ情報のうちの少なくとも１つを備え、前記初期確立アイデンティティ情報は、初期端末アイデンティティまたは初期端末アイデンティティを生成するために使用される情報を備え、前記再開アイデンティティ情報は、再開アイデンティティまたは再開アイデンティティを生成するために使用される情報を備える、項目３１に記載の方法。
（項目３３）
前記初期端末アイデンティティは、４１ビットを超えない長さを伴うアイデンティティ情報を備え、
前記初期端末アイデンティティを生成するために使用される情報は、以下：ＳＡＥ−一時モバイルサブスクライバアイデンティティ（Ｓ−ＴＭＳＩ）、モバイル管理エンティティ（ＭＭＥ）アイデンティティＭＭＥＣ、ＭＭＥユーザ一意アイデンティティコードｍ−ＴＭＳＩ、セルアイデンティティ、一意の端末アイデンティティ番号Ｃ−ＲＮＴＩ、ＳｈｏｒｔＭａｃ−Ｉ情報、３２ビットを超えない長さを伴う乱数のうちの少なくとも１つを備え、
前記再開アイデンティティは、４１ビットを超えない長さを伴うアイデンティティ情報を備え、
前記再開アイデンティティに使用される情報は、以下：ＳＡＥ−一時モバイルサブスクライバアイデンティティ（Ｓ−ＴＭＳＩ）、モバイル管理エンティティ（ＭＭＥ）アイデンティティＭＭＥＣ、ＭＭＥユーザ一意アイデンティティコードｍ−ＴＭＳＩ、セルアイデンティティ、一意の端末アイデンティティ番号Ｃ−ＲＮＴＩ、ＳｈｏｒｔＭａｃ−Ｉ情報、３２ビットを超えない長さを伴う乱数のうちの少なくとも１つを備える、項目３２に記載の方法。
（項目３４）
前記基地局が、前記第３の要求メッセージ命令に基づいて、前記端末との接続を確立または再開するように前記ネットワーク側に通知することは、前記基地局が、前記第３の要求メッセージに基づいて、前記端末との接続を確立または再開するように前記ネットワーク側に通知し、前記再開アイデンティティ情報に合致するコンテキスト情報を取得することを含む、項目３１に記載の方法。
（項目３５）
前記基地局が、前記第３の要求メッセージに基づいて、前記再開アイデンティティ情報に合致する前記コンテキスト情報を取得することは、
前記基地局が、前記再開アイデンティティ情報に合致する前記コンテキスト情報を検索すること、または
前記基地局が、近隣基地局内の前記再開アイデンティティ情報に合致する前記コンテキスト情報を検索すること
を含む、項目３４に記載の方法。
（項目３６）
前記第３の要求メッセージはさらに、再開命令を備え、前記再開命令は、前記基地局との接続を再開するように命令する、項目３４に記載の方法。
（項目３７）
前記基地局が、前記第３の要求メッセージに基づいて、前記再開アイデンティティ情報に合致する前記コンテキスト情報を取得することは、
前記再開要求メッセージまたは前記再開命令によってトリガされたとき、前記基地局が、前記再開アイデンティティ情報に合致する前記コンテキスト情報を検索すること、または
前記再開要求メッセージまたは前記再開命令によってトリガされたとき、前記基地局が、前記近隣基地局内の前記再開アイデンティティ情報に合致する前記コンテキスト情報を検索すること
を含む、項目３６に記載の方法。
（項目３８）
前記基地局が、前記第３の要求メッセージに基づいて、前記端末との前記接続を確立または再開するように前記ネットワーク側に通知した後、前記方法はさらに、
前記基地局が、前記ネットワーク側が前記端末との接続結果を確立または再開することを示す、前記第３の応答メッセージを受信することと、
前記基地局が、前記ネットワーク側が前記端末との接続を正常に確立または再開することを示す、前記第３の応答メッセージを受信するとき、前記基地局が、前記端末との接続を確立または再開することと
を含む、項目３４に記載の方法。
（項目３９）
前記基地局が、前記ネットワーク側が前記端末との接続結果を確立または再開することを示す、前記第３の応答メッセージを受信した後、前記方法はさらに、前記基地局が、前記ネットワーク側が前記端末との接続の確立または再開に失敗したことを示す、前記第３の応答メッセージを受信するが、前記基地局が、前記再開アイデンティティ情報に合致する前記コンテキスト情報を正常に取得するとき、前記基地局が、前記端末とネットワークとの間の前記接続を再確立することを含む、項目３８に記載の方法。
（項目４０）
前記基地局が、前記端末との接続を確立または再開するように前記ネットワーク側に通知した後、前記方法はさらに、前記基地局が、前記ネットワーク側が前記端末との接続の確立または再開に失敗したことを示す、前記第３の応答メッセージを受信し、前記基地局が前記再開アイデンティティ情報に合致する前記コンテキスト情報を取得することも失敗したとき、前記基地局が、拒否メッセージを前記端末に伝送することを含み、前記拒否メッセージは、前記要求メッセージによって要求される動作を拒否するために使用され、前記拒否メッセージは、拒否原因値を搬送する、項目３８に記載の方法。
（項目４１）
前記基地局が前記拒否メッセージを前記端末に伝送した後、前記方法はさらに、前記端末が、ランダムアクセスプリアンブルの伝送プロセスを無視し、前記端末アイデンティティ情報を搬送する前記要求メッセージを前記基地局にもう一度伝送することを含む、項目４０に記載の方法。
（項目４２）
端末とネットワークとの間の接続処理のための方法であって、
前記端末が、端末アイデンティティ情報を搬送する第３の要求メッセージを基地局に伝送することを含み、
前記端末アイデンティティ情報は、前記端末のアイデンティティを示すために使用され、前記第３の要求メッセージは、前記端末とネットワークとの間の接続を確立または再開するように前記基地局に要求するために使用される、方法。
（項目４３）
前記端末が前記端末アイデンティティ情報を搬送する前記第３の要求メッセージを前記基地局に伝送した後、前記方法はさらに、
前記端末が、タイマのタイミング値を拡張すること、または
前記端末が、基地局インジケーションに基づいて前記タイマのタイミング値を拡張すること
を含み、
前記タイミング値は、前記基地局が前記応答メッセージを伝送することを前記端末が待つ時間値である、項目４２に記載の方法。
（項目４４）
端末とネットワークとの間の接続処理のための方法であって、
無線ベアラ（ＲＢ）が、ＡＳ層セキュリティの確立に先立って、簡略化ＰＤＣＰ機能を使用することを含む、方法。
（項目４５）
無線ベアラは、以下：シグナリング無線ベアラ（ＳＲＢ）、データ無線ベアラ（ＤＲＢ）のうちの１つを備える、項目４４に記載の方法。
（項目４６）
無線ベアラが簡略化ＰＤＣＰ機能を使用することは、以下：無線ベアラが透過モードＰＤＣＰプロトコル層を使用すること、無線ベアラがＰＤＣＰプロトコルヘッダを含有しないこと、無線ベアラがＰＤＣＰシーケンス番号を含有しないことのうちの１つを含む、項目４４に記載の方法。
（項目４７）
前記方法はさらに、
前記ＡＳ層セキュリティが確立される前に、前記端末が、簡略化ＰＤＣＰ機能の無線ベアラを使用することができること、または
前記ＡＳ層セキュリティが確立される前に、前記基地局が、簡略化ＰＤＣＰ機能の無線ベアラを使用することができること
を含む、項目４４に記載の方法。
（項目４８）
以下：所定のモード、事前構成されたモード、端末および基地局ネゴシエーションモード、前記基地局が、以下のメッセージ：システムメッセージ、専用通知メッセージを前記端末に伝送するモードのうちの少なくとも１つを通して、無線ベアラが簡略化ＰＤＣＰ機能を使用することを判定する、項目４４に記載の方法。
（項目４９）
前記システムメッセージまたは専用通知メッセージは、前記無線ベアラが簡略化ＰＤＣＰ機能を使用するための命令を搬送する、項目４８に記載の方法。
（項目５０）
基地局に適用可能である、端末とネットワーク接続処理装置であって、
前記端末によって伝送される、端末アイデンティティ情報を搬送する第１の要求メッセージを受信するように構成される、第１の受信機モジュールであって、前記端末アイデンティティ情報は、前記端末のアイデンティティを示すために使用され、前記第１の要求メッセージは、前記端末とネットワークとの間の接続を再開するように前記基地局に要求するために使用される、第１の受信機モジュールと、
前記端末アイデンティティ情報に合致するコンテキスト情報を検索するように構成される、検索モジュールと、
前記コンテキスト情報が見出されるときに、前記端末との接続を再開するために前記コンテキスト情報を使用するように構成される、第１の再開モジュールと
を備える、端末とネットワーク接続処理装置。
（項目５１）
端末に適用可能である、端末とネットワーク接続処理装置であって、
端末アイデンティティ情報を搬送する第１の要求メッセージを基地局に伝送するように構成される、第１の伝送モジュールを備え、
前記端末アイデンティティ情報は、前記端末のアイデンティティを示すために使用され、前記要求メッセージは、端末とネットワークとの間の接続を再開するように前記基地局に要求するために使用される、端末とネットワーク接続処理装置。
（項目５２）
基地局に適用可能である、端末とネットワーク接続処理装置であって、
前記端末によって伝送される、データ伝送モード情報を搬送する第２の要求メッセージを受信するように構成される、第２の受信機モジュールであって、前記データ伝送モード情報は、前記端末のデータ伝送モードを示すために使用される、第２の受信機モジュールと、
前記データ伝送モード情報に基づいて、前記端末とネットワークとの間の接続のリソースを構成するように構成される、構成モジュールと
を備える、端末とネットワーク接続処理装置。
（項目５３）
端末に適用可能である、端末とネットワーク接続処理装置であって、
データ伝送モード情報を搬送する第２の要求メッセージを基地局に伝送するように構成される、第２の伝送モジュールを備え、
前記データ伝送モード情報は、前記端末のデータ伝送モードを示すために使用される、端末とネットワーク接続処理装置。
（項目５４）
端末に適用可能である、端末とネットワーク接続処理装置であって、
基地局によって伝送され、前記基地局が前記端末との接続を確立または再開することを示すために使用される、第１の応答メッセージを受信するように構成される、第３の受信機モジュールと、
前記第１の応答メッセージの中で搬送される無線リソース構成インジケーションに基づいて、無線リソース構成を実行するモードを判定するように構成される、第１の判定モジュールと
を備える、端末とネットワーク接続処理装置。
（項目５５）
端末に適用可能である、端末とネットワーク接続処理装置であって、
端末アイデンティティ情報を搬送し、ＲＲＣ接続プロセス完了を示すために使用される、メッセージを基地局に伝送するように構成される、第３の伝送モジュールを備え、
前記端末アイデンティティ情報は、前記端末のアイデンティティを示すために使用される、端末とネットワーク接続処理装置。
（項目５６）
基地局に適用可能である、端末とネットワーク接続処理装置であって、
前記端末によって伝送される、端末アイデンティティ情報を搬送する、第３の要求メッセージを受信するように構成される、第４の受信機モジュールであって、前記端末アイデンティティ情報は、前記端末のアイデンティティを示すために使用され、前記第３の要求メッセージは、前記端末とネットワークとの間の接続を確立または再開するように前記基地局に要求するために使用される、第４の受信機モジュールと、
前記第３の要求メッセージインジケーションに基づいて、前記端末との接続を確立または再開するようにネットワーク側に通知するように構成される、処理モジュールと
を備える、端末とネットワーク接続処理装置。
（項目５７）
端末に適用可能である、端末とネットワーク接続処理装置であって、
端末アイデンティティ情報を搬送する第３の要求メッセージを基地局に伝送するように構成される、第４の伝送モジュールを備え、
前記端末アイデンティティ情報は、前記端末のアイデンティティを示すために使用され、前記第３の要求メッセージは、前記端末とネットワークとの間の接続を確立または再開するように前記基地局に要求するために使用される、端末とネットワーク接続処理装置。
（項目５８）
端末とネットワークとの間の接続処理のための方法であって、
基地局が、前記端末によって伝送される、再開アイデンティティ情報を搬送する第４の要求メッセージを受信することであって、前記第４の要求メッセージは、前記端末とネットワークとの間の接続を再開するように前記基地局に要求するために使用される、ことと、
前記基地局が、前記再開アイデンティティ情報に基づいて前記端末との接続を再開することと
を含む、方法。
（項目５９）
前記基地局が、前記端末によって伝送される、前記再開アイデンティティ情報を搬送する前記第４の要求メッセージを受信する前に、前記方法はさらに、前記基地局が、前記再開アイデンティティ情報の全てまたは一部を前記端末に配分することを含む、項目５８に記載の方法。
（項目６０）
前記基地局が、前記再開アイデンティティ情報の全てまたは一部を前記端末に配分することは、コンテキスト情報が一時停止されるときに、前記基地局が、前記再開アイデンティティ情報の全てまたは一部を前記端末に伝送することを含む、項目５９に記載の方法。
（項目６１）
前記基地局が、前記再開アイデンティティ情報の全てまたは一部を前記端末に配分することは、
前記コンテキスト情報が接続一時停止メッセージを通して一時停止されるときに、前記基地局が、前記再開アイデンティティ情報の全てまたは一部を前記端末に伝送すること、および／または
前記コンテキスト情報が接続解放メッセージを通して一時停止されるときに、前記基地局が、前記再開アイデンティティ情報の全てまたは一部を前記端末に伝送すること
を含む、項目５９に記載の方法。
（項目６２）
前記基地局が、前記端末によって伝送される、前記再開アイデンティティ情報を搬送する前記第４の要求メッセージを受信する前に、前記方法はさらに、前記基地局が、前記第４の要求メッセージの伝送のために要求されるリソースを前記端末に配分することを含む、項目５８に記載の方法。
（項目６３）
前記基地局が、前記第４の要求メッセージの伝送のために要求される前記リソースを前記端末に配分することは、以下：
前記基地局が、前記端末に伝送されるランダムアクセス応答メッセージの中で前記リソースを示すことと、
前記基地局が、前記端末に伝送される、チャネルフォーマットメッセージまたはランダムアクセス応答メッセージを搬送する媒体アクセス制御パッケージの中で前記リソースを示すことと
のうちの少なくとも１つを含む、項目６２に記載の方法。
（項目６４）
前記第４の要求メッセージは、以下：再開要求メッセージ、または前記再開アイデンティティ情報を搬送するメッセージのうちの１つを備える、項目５８〜項目６３のいずれかに記載の方法。
（項目６５）
前記再開アイデンティティ情報を搬送する前記メッセージは、以下：無線リソース制御（ＲＲＣ）接続要求メッセージ、およびＲＲＣ接続再確立要求メッセージのうちの少なくとも１つを備える、項目６４に記載の方法。
（項目６６）
前記再開アイデンティティ情報は、以下：端末コンテキストアイデンティティ、グローバルセルアイデンティティ、物理的セルアイデンティティ、基地局アイデンティティ、および事前設定ビット長値のうちの少なくとも１つを備える、項目５８〜項目６３のいずれかに記載の方法。
（項目６７）
前記端末コンテキストアイデンティティは、１６ビット値である、項目６６に記載の方法。
（項目６８）
前記グローバルセルアイデンティティは、以下：前記コンテキスト情報が一時停止されるときのセルの前記グローバルセルアイデンティティ、前記端末コンテキスト情報を記憶するセルの前記グローバルセルアイデンティティのうちの少なくとも１つを備える、項目６６に記載の方法。
（項目６９）
前記物理的セルアイデンティティは、以下：前記コンテキスト情報が一時停止されるときのセルの前記物理的セルアイデンティティ、前記端末コンテキスト情報を記憶するセルの前記物理的セルアイデンティティのうちの少なくとも１つを備える、項目６６に記載の方法。
（項目７０）
前記基地局アイデンティティは、以下：前記コンテキスト情報が一時停止されるときの基地局の前記基地局アイデンティティ、前記端末コンテキスト情報を記憶する基地局の前記基地局アイデンティティのうちの少なくとも１つを備える、項目６６に記載の方法。
（項目７１）
前記事前設定ビット長値は、以下：設定ビット長値、１６ビット〜４４ビットの間の長値のうちの少なくとも１つを備える、項目６６に記載の方法。
（項目７２）
端末とネットワークとの間の接続処理のための方法であって、
前記端末が、再開アイデンティティ情報を搬送する第４の要求メッセージを基地局に伝送することを含み、
前記第４の要求メッセージは、前記端末とネットワークとの間の接続を再開するように前記基地局に要求するために使用され、前記再開アイデンティティ情報は、前記端末とネットワークとの間の接続を再開するために使用される、方法。
（項目７３）
前記端末が、前記再開アイデンティティ情報を搬送する前記第４の要求メッセージを前記基地局に伝送する前に、前記方法はさらに、
前記端末が、セルのシステムメッセージを読み取ることを通して、前記再開アイデンティティ情報を生成するために使用される情報の全てまたは一部を取得すること、または
前記端末が、前記再開アイデンティティ情報の全てまたは一部を構築すること、または
前記端末が、前記基地局によって配分される前記再開アイデンティティ情報の全てまたは一部を受信すること
を含む、項目７２に記載の方法。
（項目７４）
前記端末が、前記セルのシステムメッセージを読み取ることを通して、前記再開アイデンティティ情報を生成するために使用される前記情報の全てまたは一部を取得することは、
前記端末が、前記セルのシステムメッセージを読み取ることを通して、グローバルセルアイデンティティを取得すること、および／または
前記端末が、前記セルのシステムメッセージを読み取ることを通して、物理的セルアイデンティティを取得すること、および／または
前記端末が、前記セルのシステムメッセージを読み取ることを通して、基地局アイデンティティを取得すること
を含む、項目７３に記載の方法。
（項目７５）
前記端末が、前記基地局によって配分される前記再開アイデンティティ情報の全てまたは一部を受信することは、コンテキスト情報が一時停止されるときに、前記端末が、前記基地局によって配分される前記再開アイデンティティ情報の全てまたは一部を受信することを含む、項目７３に記載の方法。
（項目７６）
前記コンテキスト情報が一時停止されるときに、前記端末が、前記基地局によって配分される前記再開アイデンティティ情報の全てまたは一部を受信することは、
前記コンテキスト情報が一時停止されるときに、前記端末が、接続一時停止メッセージを通して、前記基地局によって配分される前記再開アイデンティティ情報の全てまたは一部を受信すること、および／または
前記コンテキスト情報が一時停止されるときに、前記端末が、接続解放メッセージを通して、前記基地局によって配分される前記再開アイデンティティ情報の全てまたは一部を受信すること
を含む、項目７５に記載の方法。
（項目７７）
前記端末が、前記再開アイデンティティ情報を搬送する前記第４の要求メッセージを前記基地局に伝送する前に、前記方法はさらに、前記端末が、前記基地局によって配分される前記第４の要求メッセージの伝送のために要求されるリソースを受信することを含む、項目７２に記載の方法。
（項目７８）
前記端末が、前記基地局によって配分される前記第４の要求メッセージの伝送のために要求される前記リソースを受信することは、
前記端末が、ランダムアクセス応答メッセージの中で前記基地局によって示される前記リソースを受信すること、および／または
前記端末が、チャネルフォーマットメッセージまたはランダムアクセス応答メッセージを搬送する媒体アクセス制御（ＭＡＣ）パッケージの中で前記基地局によって示される前記リソースを受信することと
を含む、項目７７に記載の方法。
（項目７９）
前記端末が、前記基地局によって配分される前記第４の要求メッセージの伝送のために要求される前記リソースを受信した後、前記方法はさらに、前記端末が、前記リソースに基づいて前記再開アイデンティティ情報を構築することを含む、項目７７に記載の方法。
（項目８０）
前記端末が、前記リソースに基づいて前記再開アイデンティティ情報を構築することは、前記端末が、異なるサイズのリソースに基づいて、異なる再開アイデンティティ情報を構築することを含む、項目７９に記載の方法。
（項目８１）
前記端末が、リソースに基づいて再開アイデンティティ情報を構築することは、前記端末が、前記再開アイデンティティ情報を構築するために前記端末コンテキストアイデンティティおよび事前設定情報を使用することを含み、
事前設定情報は、以下：前記グローバルセルアイデンティティの全てまたは一部、前記物理的セルアイデンティティの全てまたは一部、前記基地局アイデンティティの全てまたは一部のうちの１つを備える、項目７９〜項目８０のいずれかに記載の方法。
（項目８２）
前記第４の要求メッセージは、以下：再開要求メッセージ、または前記再開アイデンティティ情報を搬送するメッセージのうちの１つを備える、項目７２〜項目８０のいずれかに記載の方法。
（項目８３）
前記再開アイデンティティ情報を搬送する前記メッセージは、以下：無線リソース制御（ＲＲＣ）接続要求メッセージ、およびＲＲＣ接続再確立要求メッセージのうちの少なくとも１つを備える、項目８２に記載の方法。
（項目８４）
前記再開アイデンティティ情報は、以下：端末コンテキストアイデンティティ、グローバルセルアイデンティティ、物理的セルアイデンティティ、基地局アイデンティティ、および事前設定ビット長値のうちの少なくとも１つを備える、項目７２〜項目８０のいずれかに記載の方法。
（項目８５）
前記端末コンテキストアイデンティティは、１６ビット値である、項目７２〜項目８０のいずれかに記載の方法。
（項目８６）
前記グローバルセルアイデンティティは、以下：前記コンテキスト情報が一時停止されるときのセルの前記グローバルセルアイデンティティ、前記端末コンテキスト情報を記憶するセルの前記グローバルセルアイデンティティのうちの少なくとも１つを備える、項目７２〜項目８０のいずれかに記載の方法。
（項目８７）
前記物理的セルアイデンティティは、以下：前記コンテキスト情報が一時停止されるときのセルの前記物理的セルアイデンティティ、前記端末コンテキスト情報を記憶するセルの前記物理的セルアイデンティティのうちの少なくとも１つを備える、項目７２〜項目８０のいずれかに記載の方法。
（項目８８）
前記基地局アイデンティティは、以下：前記コンテキスト情報が一時停止されるときの基地局の前記基地局アイデンティティ、前記端末コンテキスト情報を記憶する基地局の前記基地局アイデンティティのうちの少なくとも１つを備える、項目７２〜項目８０のいずれかに記載の方法。
（項目８９）
前記事前設定ビット長値は、以下：設定ビット長値、１６ビット〜４４ビットの間の長値のうちの少なくとも１つを備える、項目７２〜項目８０のいずれかに記載の方法。
（項目９０）
基地局に適用可能である、端末とネットワーク接続処理装置であって、
前記端末によって伝送される、再開アイデンティティ情報を搬送する第４の要求メッセージを受信するように構成される、第７の受信機モジュールであって、前記第４の要求メッセージは、前記端末とネットワークとの間の接続を再開するように前記基地局に要求するために使用される、第７の受信機モジュールと、
前記再開アイデンティティ情報に基づいて前記端末との接続を再開するように構成される、第３の再開モジュールと
を備える、端末とネットワーク接続処理装置。
（項目９１）
端末に適用可能である、端末とネットワーク接続処理装置であって、
再開アイデンティティ情報を搬送する第４の要求メッセージを基地局に伝送するように構成される、第７の伝送モジュールを備え、
前記第４の要求メッセージは、前記端末とネットワークとの間の接続を再開するように前記基地局に要求するために使用され、前記再開アイデンティティ情報は、前記端末とネットワークとの間の前記接続を再開するために使用される、端末とネットワーク接続処理装置。
【国際調査報告】
2019508959.tif 000032
2019508959.tif 000033
2019508959.tif 000034
2019508959.tif 000035
2019508959.tif 000036
2019508959.tif 000037